(57)【要約】      （修正有）【課題】複数の波長で画像を同時に取り込む方法及びシステムを提供する。【解決手段】ハイパースペクトル／マルチスペクトル撮像装置１００は、対象で後方散乱した光を受光するよう構成されたレンズ１０４、複数のフォトセンサ、各フォトセンサを覆う複数のバンドパスフィルタ、ならびに、レンズ及びフォトセンサと光通信する複数のビームスプリッタを備え、各バンドパスフィルタは、異なる各スペクトルバンドがフィルタを通過するよう構成され、各ビームスプリッタはレンズで受光された光を複数の光路に分光し、各光路は、各フォトセンサに対応するバンドパスフィルタを介して、対応するフォトセンサに光を向けるよう構成される。【選択図】図１Ａ
2018151400.tif 000002
【特許請求の範囲】
【請求項１】
撮像装置であって、
光軸に沿って配置され、光を受けるよう構成されたレンズ、
複数のフォトセンサ、
前記レンズ及び前記複数のフォトセンサと光通信する複数のビームスプリッタを備える光路アセンブリ、及び
複数のマルチバンドパスフィルタを備え、前記複数のマルチバンドパスフィルタの各マルチバンドパスフィルタは、前記複数のフォトセンサのうち対応するフォトセンサを覆い、前記レンズにより受光され前記複数のビームスプリッタにより分光された前記光からそれぞれ対応する光のスペクトルバンドを選択的に前記対応フォトセンサまで通過させ、
前記複数のビームスプリッタの各ビームスプリッタは、前記レンズにより受光された前記光を少なくとも２つの光路に分光するよう構成され、
前記複数のビームスプリッタのうち第一ビームスプリッタは、前記レンズと直接的に光通信し、前記複数のビームスプリッタのうち第二ビームスプリッタは、前記第一ビームスプリッタを介して前記レンズと間接的に光通信し、
前記複数のビームスプリッタは全体で、前記レンズにより受光された光を複数の光路に分光し、前記複数の光路の各光路は、前記各フォトセンサを覆う前記各マルチバンドパスフィルタを介して、前記複数のフォトセンサのうち対応するフォトセンサに光を向けるよう構成された、前記撮像装置。
【請求項２】
前記マルチバンドパスフィルタがデュアルバンドパスフィルタである、請求項１に記載の撮像装置。
【請求項３】
第一光源及び第二光源をさらに備え、前記第一光源及び前記第二光源は、光を照射し前記光の一部が対象で後方散乱され前記レンズにより受光されるよう構成された、請求項１または２に記載の撮像装置。
【請求項４】
前記第一光源が第一スペクトル範囲に実質的に限定された光を発し、前記第二光源が第二スペクトル範囲に実質的に限定された光を発する、請求項３に記載の撮像装置。
【請求項５】
前記第一光源は第一バンドパスフィルタで覆われた第一マルチスペクトル光源であり、前記第一バンドパスフィルタが、前記第一光源により発光された前記第一スペクトル範囲外の全ての光を実質的にブロックし、
第二光源は第二バンドパスフィルタで覆われた第二マルチスペクトル光源であり、前記第二バンドパスフィルタが、前記第二光源により発光された前記第二スペクトル範囲外の全ての光を実質的にブロックする、請求項４に記載の撮像装置。
【請求項６】
前記第一マルチスペクトル光源は第一白色発光ダイオードであり、前記第二マルチスペクトル光源は第二白色発光ダイオードである、請求項５に記載の撮像装置。
【請求項７】
前記複数のマルチバンドパスフィルタの各マルチバンドパスフィルタは、２つの個別スペクトルバンドのいずれかに対応する光を前記対応フォトセンサまで選択的に通過させるよう構成された、請求項４に記載の撮像装置。
【請求項８】
前記２つの個別スペクトルバンドのうち一方は、前記第一スペクトル範囲にあるが前記第二スペクトル範囲ではない第一スペクトルバンドに対応し、
前記２つの個別スペクトルバンドのうち他方は、前記第二スペクトル範囲にあるが前記第一スペクトル範囲ではない第二スペクトルバンドに対応する、請求項７に記載の撮像装置。
【請求項９】
前記第一スペクトル範囲は前記第二スペクトル範囲に実質的に重ならない、請求項４−８のいずれかに記載の撮像装置。
【請求項１０】
前記第一スペクトル範囲は前記第二スペクトル幅に実質的に隣接する、請求項４−９のいずれかに記載の撮像装置。
【請求項１１】
前記第一スペクトル範囲は、５２０ｎｍ、５４０ｎｍ、５６０ｎｍ及び６４０ｎｍの波長光を備えるが、５８０ｎｍ、５９０ｎｍ、６１０ｎｍ及び６２０ｎｍの波長光を備えておらず、
前記前記第二スペクトル範囲は、５８０ｎｍ、５９０ｎｍ、６１０ｎｍ及び６２０ｎｍの波長光を備えるが、５２０ｎｍ、５４０ｎｍ、５６０ｎｍ及び６４０ｎｍの波長光を備えていない、請求項４に記載の撮像装置。
【請求項１２】
前記複数のビームスプリッタの各ビームスプリッタからの前記少なくとも２つの光路は実質的に同一平面上にある、請求項１に記載の撮像装置。
【請求項１３】
複数のビームステアリングエレメントをさらに備え、各ビームステアリングエレメントは、前記複数のフォトセンサのうち前記各光路に対応する各フォトセンサへの各光路に光を向けるよう構成された、請求項１に記載の撮像装置。
【請求項１４】
前記複数のビームステアリングエレメントの少なくとも１つは前記レンズの前記光軸に垂直に光を向けるよう構成された、請求項１３に記載の撮像装置。
【請求項１５】
前記複数のビームステアリングエレメントの第一サブセットのそれぞれは、前記光軸に垂直な第一方向に光を向けるよう構成され、前記複数のビームステアリングエレメントの第二サブセットのそれぞれは、前記光軸に垂直で前記第一方向と反対の第二方向に光を向けるよう構成された、請求項１３に記載の撮像装置。
【請求項１６】
前記複数のフォトセンサの各フォトセンサのセンシング面は、前記光軸に実質的に垂直である、請求項１３−１５のいずれか１項に記載の撮像装置。
【請求項１７】
方法の実施により前記複数のフォトセンサから複数の画像を取り込むよう構成されたコントローラをさらに備え、前記方法では、
（Ａ）前記第一光源で前記対象を一度目として照明し、
（Ｂ）前記照明（Ａ）時前記複数のフォトセンサを用いて第一画像セットを取り込み、前記第一画像セットは、前記複数のフォトセンサの各フォトセンサに対し、前記対応マルチバンドパスフィルタが通過させる第一スペクトルバンドに対応する画像を備え、前記第一スペクトル範囲の前記光は、前記複数のマルチバンドパスフィルタの各マルチバンドパスフィルタの前記第一スペクトル範囲の光を備え、
（Ｃ）前記第一光源を消灯し、
（Ｄ）前記第二光源で前記対象を二度目として照明し、
（Ｅ）前記照明（Ｄ）時前記複数のフォトセンサを用いて第二画像セットを取り込み、前記第二画像セットは、前記複数のフォトセンサの各フォトセンサに対し、前記対応マルチバンドパスフィルタが通過させる第二スペクトルバンドに対応する画像を備え、前記第二スペクトル範囲の前記光は、前記複数のマルチバンドパスフィルタの各マルチバンドパスフィルタの前記第二スペクトルバンドの光を備えた、請求項４−１１のいずれか１項に記載の撮像装置。
【請求項１８】
前記複数のフォトセンサの各フォトセンサは、前記各フォトセンサの撮像積算時間を判断する対応シャッタ機構により制御される画素アレイであり、
前記複数のフォトセンサのうち第一フォトセンサは、前記取り込み（Ｂ）に要する第一積算時間、及び、前記取り込み（Ｅ）に要する第二積算時間に独立して関連し、前記第一積算時間は前記第二積算時間とは無関係である、請求項１７に記載の撮像装置。
【請求項１９】
前記複数のフォトセンサの各フォトセンサは、前記各フォトセンサの撮像積算時間を判断する対応シャッタ機構により制御される画素アレイであり、
前記照明（Ａ）時間は、前記取り込み（Ｂ）時の前記複数のフォトセンサと関連する第一最大積算時間で判断され、前記複数のフォトセンサのうち第一フォトセンサの積算時間は、前記取り込み（Ｂ）時の前記複数のフォトセンサのうち第二フォトセンサの積算時間とは異なり、
前記照明（Ｄ）時間は、前記取り込み（Ｅ）時の前記複数のフォトセンサと関連する第二最大積算時間で判断され、前記第一フォトセンサの積算時間は、前記取り込み（Ｅ）時の前記第二フォトセンサの積算時間とは異なり、
前記第一最大積算時間は、前記第二最大積算時間とは異なる、請求項１７に記載の撮像装置。
【請求項２０】
前記複数のビームスプリッタの各ビームスプリッタは、光反射に対する光透過の比率が約５０：５０である、請求項１−１９のいずれかに記載の撮像装置。
【請求項２１】
前記複数のビームスプリッタのうち少なくとも１つの前記ビームスプリッタがダイクロイックビームスプリッタである、請求項２０に記載の撮像装置。
【請求項２２】
少なくとも前記第一ビームスプリッタがダイクロイックビームスプリッタである、請求項２１に記載の撮像装置。
【請求項２３】
前記複数のビームスプリッタのうち少なくとも１つの前記ビームスプリッタがダイクロイックビームスプリッタであり、
前記第一スペクトル範囲は、少なくとも２つの断続的なスペクトルサブレンジを備え、
前記複数のビームスプリッタはそれぞれ、光反射に対する光透過の比率が約５０：５０であり、
前記第一ビームスプリッタは、第三スペクトル範囲の光を通過させ、第四スペクトル範囲の光を反射するよう構成された、請求項３に記載の撮像装置。
【請求項２４】
前記複数のビームスプリッタは、前記第一ビームスプリッタ、前記第二ビームスプリッタ、及び、第三ビームスプリッタを含む、請求項２３に記載の撮像装置。
【請求項２５】
前記第三スペクトル範囲の前記光を前記第二ビームスプリッタに向け通過させ、前記第四スペクトル範囲の前記光を前記第三ビームスプリッタに向け反射させる、請求項２４に記載の撮像装置。
【請求項２６】
前記第二及び前記第三ビームスプリッタが波長非依存型ビームスプリッタである、請求項２５に記載の撮像装置。
【請求項２７】
前記第三スペクトル範囲は、両前記第一及び前記第二スペクトル範囲の光を備え、
前記第四スペクトル範囲は、両前記第一及び前記第二スペクトル範囲の光を備える、請求項２３−２６のいずれかに記載の撮像装置。
【請求項２８】
前記第一ビームスプリッタがプレート型ダイクロイックビームスプリッタまたはブロック型ダイクロイックビームスプリッタである、請求項２２−２７のいずれかに記載の撮像装置。
【請求項２９】
前記第一ビームスプリッタ、前記第二ビームスプリッタ、及び、前記第三ビームスプリッタがダイクロイックビームスプリッタである、請求項２４に記載の撮像装置。
【請求項３０】
前記第一スペクトル範囲は、少なくとも２つの断続的なスペクトルサブレンジを備え、前記複数のビームスプリッタはそれぞれ、光反射に対する光透過の比率が約５０：５０であり、
前記第一ビームスプリッタは、第三スペクトル範囲の光を通過させ、第四スペクトル範囲の光を反射するよう構成され、
前記複数のビームスプリッタは、前記第一ビームスプリッタ、前記第二ビームスプリッタ、及び、前記第三ビームスプリッタを含み、
前記第一ビームスプリッタ、前記第二ビームスプリッタ、及び、前記第三ビームスプリッタがダイクロイックビームスプリッタである、請求項４に記載の撮像装置。
【請求項３１】
前記第三スペクトル範囲は少なくとも２つの断続的なスペクトルサブレンジを備え、前記第四スペクトル範囲は少なくとも２つの断続的なスペクトルサブレンジを備える、請求項３０に記載の撮像装置。
【請求項３２】
前記第三スペクトル範囲の前記光を前記第二ビームスプリッタに向け通過させ、前記第四スペクトル範囲の前記光を前記第三ビームスプリッタに向け反射させる、請求項３１に記載の撮像装置。
【請求項３３】
前記第二ビームスプリッタは、少なくとも２つの断続的なスペクトルサブレンジを備える第五スペクトル範囲の光を反射させ、前記第五スペクトルサブレンジの前記少なくとも２つの断続的なスペクトルサブレンジのどちらでもない光を通過させるよう構成された、請求項３２に記載の撮像装置。
【請求項３４】
前記第三ビームスプリッタは、少なくとも２つの断続的なスペクトルサブレンジを備える第六スペクトル範囲の光を反射させ、前記第六スペクトルサブレンジの前記少なくとも２つの断続的なスペクトルサブレンジのどちらでもない光を通過させるよう構成された、請求項３２または３３に記載の撮像装置。
【請求項３５】
前記第一ビームスプリッタ、前記第二ビームスプリッタ、及び、前記第三ビームスプリッタがそれぞれ、プレート型ダイクロイックビームスプリッタまたはブロック型ダイクロイックビームスプリッタである、請求項３０−３４のいずれかに記載の撮像装置。
【請求項３６】
前記第一光源は第一照明アセンブリ内にあり、第二光源は前記第一照明アセンブリとは別の第二照明アセンブリ内にある、請求項２−３５のいずれか１項に記載の撮像装置。
【請求項３７】
前記複数の画像の各画像は、前記対象の１つの位置での多画素画像であり、前記方法ではさらに、
（Ｆ）前記複数画像の各画像を画素ごとに合成して合成画像を形成する、請求項１７−２９のいずれか１項に記載の撮像装置。
【請求項３８】
前記撮像装置は携帯可能で、前記照明（Ａ）時及び前記照明（Ｄ）時は電力グリッドから独立して給電され、
前記第一光源は、前記照明（Ａ）時は少なくとも８０ワットの光力を提供し、
前記第二光源は、前記照明（Ｄ）時は少なくとも８０ワットの光力を提供し、
前記撮像装置はさらに、前記第一光源及び前記第二光源と電気通信するコンデンサバンクを備え、前記コンデンサバンクのコンデンサの電圧定格が少なくとも２ボルトであり、コンデンサ定格が少なくとも８０ファラドである、請求項１６に記載の撮像装置。
【請求項３９】
前記複数のデュアルバンドパスフィルタのマルチバンドパスフィルタの前記２つの個別バンドは少なくとも６０ｎｍ離れている、請求項７に記載の撮像装置。
【請求項４０】
前記撮像装置は携帯可能で、前記照明（Ａ）時及び前記照明（Ｄ）時は電力グリッドから電気的に独立しており、３００ミリセカンド未満、前記照明（Ａ）が実施され、３００ミリセカンド未満、前記照明（Ｄ）が実施される、請求項１７に記載の撮像装置。
【請求項４１】
前記光路アセンブリの第一側部に配置され、前記複数のフォトセンサのうち第一フォトセンサ及び第三フォトセンサが接続された第一回路板、及び、
前記第一側部と反対にある前記第二光路アセンブリの第二側部に配置され、前記第一回路板と略平行にあり、前記複数のフォトセンサのうち第二フォトセンサ及び第四フォトセンサが接続された第二回路板をさらに備え、
前記第一ビームスプリッタは、前記レンズからの光を第一光路及び第二光路に分光するよう構成され、前記第一光路は前記光軸と略同一線上にあり、前記第二光路は前記光軸と略垂直であり、
前記第二ビームスプリッタは、前記第一光路から受けた光を第三光路及び第四光路に分光するよう構成され、前記第三光路は前記第一光路と略同一線上にあり、前記第四光路は前記光軸と略垂直であり、
前記複数のビームスプリッタのうち第三ビームスプリッタは、前記第二光路から受けた光を第五光路及び第六光路に分光するよう構成され、前記第五光路は前記第二光路と略同一線上にあり、前記第六光路は前記第二光路と略垂直であり、
前記光路アセンブリはさらに、
前記第三光路からの光を、前記第一回路板に接続された前記第一フォトセンサへ前記第三光路に垂直に偏向するよう構成された第一ビームステアリングエレメント、
前記第四光路からの光を、前記第二回路板に接続された前記第二フォトセンサへ前記第四光路に垂直に偏向するよう構成された第二ビームステアリングエレメント、
前記第五光路からの光を、前記第一回路板に接続された前記第三フォトセンサへ前記第五光路に垂直に偏向するよう構成された第三ビームステアリングエレメント、及び、
前記第六光路からの光を、前記第二回路板に接続された前記第四フォトセンサへ前記第六光路に垂直に偏向するよう構成された第四ビームステアリングエレメントを備えた、請求項１に記載の撮像装置。
【請求項４２】
前記複数のマルチバンドパスフィルタのうち第一マルチバンドパスフィルタは、前記第一ビームスプリッタと前記第一フォトセンサとの間で前記第三光路に配置され、
前記複数のマルチバンドパスフィルタのうち第二マルチバンドパスフィルタは、前記第二ビームスプリッタと前記第二フォトセンサとの間で前記第四光路に配置され、
前記複数のマルチバンドパスフィルタのうち第三マルチバンドパスフィルタは、前記第三ビームスプリッタと前記第三フォトセンサとの間で前記第五光路に配置され、
前記複数のマルチバンドパスフィルタのうち第四マルチバンドパスフィルタは、前記第四ビームスプリッタと前記第四フォトセンサとの間で前記第六光路に配置され、請求項４１に記載の撮像装置。
【請求項４３】
前記光軸に沿って配置される偏光フィルタをさらに備える、請求項３８−４２のいずれか１項に記載の撮像装置。
【請求項４４】
前記偏光フィルタは、前記レンズに隣接し、前記光軸に沿って前記第一ビームスプリッタの手前にある、請求項４３に記載の撮像装置。
【請求項４５】
前記第一ビームステアリングエレメントが鏡またはプリズムである、請求項３８−４４のいずれか１項に記載の撮像装置。
【請求項４６】
前記第一ビームステアリングエレメントが折り畳み式プリズムである、請求項３８−４４のいずれか１項に記載の撮像装置。
【請求項４７】
各ビームスプリッタ及び各ビームステアリングエレメントは、実質的に前記同一平面に沿って方向付けを行う、請求項３８−４６のいずれか１項に記載の撮像装置。
【請求項４８】
各フォトセンサは対応する回路板に可撓的に接続された、請求項３８−４７のいずれか１項に記載の撮像装置。
【請求項４９】
前記第一ビームスプリッタ、前記第二ビームスプリッタ、及び、前記第三ビームスプリッタはそれぞれ、光反射に対する光透過の比率が約５０：５０である、請求項３８−４８のいずれか１項に記載の撮像装置。
【請求項５０】
少なくとも前記第一ビームスプリッタがダイクロイックビームスプリッタである、請求項３８−４８のいずれか１項に記載の撮像装置。
【請求項５１】
前記第一ビームスプリッタは、第一スペクトル範囲の光を通過させ、第二スペクトル範囲の光を反射するよう構成された、請求項５０に記載の撮像装置。
【請求項５２】
前記第一スペクトル範囲の前記光を前記第二ビームスプリッタに向け通過させ、前記第二スペクトル範囲の前記光を前記第三ビームスプリッタに向け反射させる、請求項５１に記載の撮像装置。
【請求項５３】
前記第二及び前記第三ビームスプリッタが波長非依存型ビームスプリッタである、請求項５２に記載の撮像装置。
【請求項５４】
前記第一ビームスプリッタ、前記第二ビームスプリッタ、及び、前記第三ビームスプリッタがダイクロイックビームスプリッタである、請求項３８−４８のいずれか１項に記載の撮像装置。
【請求項５５】
前記第一ビームスプリッタは、少なくとも２つの断続的なスペクトルサブレンジを備えた第一スペクトル範囲の光を通過させ、少なくとも２つの断続的なスペクトルサブレンジを備えた第二スペクトル範囲の光を反射させるよう構成された、請求項５４に記載の撮像装置。
【請求項５６】
前記第二ビームスプリッタは、少なくとも２つの断続的なスペクトルサブレンジを備えた第三スペクトル範囲の光を反射させ、前記第三スペクトルサブレンジの前記少なくとも２つの断続的なスペクトルサブレンジのどちらでもない光を通過させるよう構成された、請求項５４−５５のいずれか１項に記載の撮像装置。
【請求項５７】
前記第三ビームスプリッタは、少なくとも２つの断続的なスペクトルサブレンジを備えた第四スペクトル範囲の光を反射させ、前記第四スペクトルサブレンジの前記少なくとも２つの断続的なスペクトルサブレンジのどちらでもない光を通過させるよう構成された、請求項５４−５６のいずれか１項に記載の撮像装置。
【発明の詳細な説明】
【技術分野】
【０００１】
関連出願の相互参照
本出願は、２０１４年３月２１日に出願された米国特許仮出願第６１／９６９，０３９号及び２０１４年１２月１０日に出願された米国特許仮出願第６２／０９０，３０２号の優先権を主張し、その全体をあらゆる目的において参照により本明細書に組み込む。
【０００２】
本開示は、一般的に、ハイパースペクトル分光法などの分光法に関連し、特に、小型撮像装置を可能にするシステム、方法、及び装置に関する。
【背景技術】
【０００３】
ハイパースペクトル（「マルチスペクトル」としても知られる）分光法は、異なるスペクトルバンド（例えば、波長範囲）で分解された複数の対象画像を、３次元ハイパースペクトルデータキューブと呼ばれる１つのデータ構造に統合する撮像技術である。多くの場合、ハイパースペクトル分光法で得られるデータを用いて、特定のハイパースペクトルデータキューブの個別成分のスペクトルシグネチャを認識して、複雑な組成の多数の個別成分を識別する。
【０００４】
ハイパースペクトル分光法は、地質及び農業調査から監視及び工業的評価に渡る、様々な用途に使用されてきた。また、ハイパースペクトル分光法は医用に用いられ、複雑な診断が容易になり治療結果が予測されてきた。例えば、医用ハイパースペクトル撮像を用い、十分な灌流が施されていない組織の生存可能性及び生存を正確に予測し、病変（例えば、癌化または潰瘍性）組織及び虚血組織と正常な組織との区別を行ってきた。
【０００５】
しかし、ハイパースペクトル撮像の潜在的な臨床的価値は高いが、問題点があるため、ハイパースペクトル撮像の使用は臨床に限られてきた。具体的には、好適なハイパースペクトルデータキューブの生成のため複数のスペクトルバンドにおける画像分解に従来使用した光学演算要件が複雑であるため、医用ハイパースペクトル機器は高額である。また、医用に適したハイパースペクトルデータキューブにデータを集め、処理し、分析するのに必要な光学演算要件が複雑で負担が大きいため、光スループット不足だけでなく、低時間分解能及び低空間分解能が、ハイパースペクトル撮像機器にとって問題となり得る。
【０００６】
したがって、当該分野において、より安価でより速いハイパースペクトル／マルチスペクトル撮像及びデータ分析手段のニーズにこたえていない。本開示では、複数の波長で画像を同時に取り込む方法及びシステムを提供し、多大なニーズにこたえる。
【発明の概要】
【０００７】
添付の特許請求の範囲にあるシステム、方法及び装置の多様な実施態様には複数の態様があり、いずれも本明細書で記述する属性が唯一好適な態様ではない。本明細書では顕著な特徴を記述し、添付の特許請求の範囲を限定するものではない。本検討を考察すれば、特に、「発明を実施するための形態」の項を読めば、多様な実施態様における特徴をいかに利用し、様々な用途、特に医用に適した複数のフォトセンサチップ（例えば、ＣＤＤ，ＣＭＯＳなど）を使用した３次元ハイパースペクトルデータキューブの作成が可能なハイパースペクトル撮像装置を作動させるかが理解されるであろう。
【０００８】
第一態様
本開示の多様な態様は撮像装置であり、当該撮像装置は、光軸に沿って配置され光源から発光されて対象で後方散乱された光を受光するよう構成されたレンズ、複数のフォトセンサ、複数のデュアルバンドパスフィルタ、ならびに、レンズ及び複数のフォトセンサと光通信する複数のビームスプリッタを備え、各デュアルバンドパスフィルタは、複数のフォトセンサの各フォトセンサを覆い各フォトセンサにより受光される光をフィルタリングするよう構成され、各デュアルバンドパスフィルタは、異なる各スペクトルバンドが各デュアルバンドパスフィルタを通過するよう構成される。各ビームスプリッタは、レンズにより受光された光を少なくとも２つの光路に分光するよう構成される。複数のビームスプリッタのうち第一ビームスプリッタはレンズと直接的に光通信し、複数のビームスプリッタのうち第二ビームスプリッタは、第一ビームスプリッタを介してレンズと間接的に光通信する。複数のビームスプリッタ全体で、レンズにより受光された光を複数の光路に分光する。複数の光路の各光路は、各フォトセンサに対応するデュアルバンドパスフィルタを介して、複数のフォトセンサのうち対応するフォトセンサに光を向けるよう構成される。
【０００９】
いくつかの実施形態において、撮像装置は、少なくとも第一動作モード及び第二動作モードを備えた少なくとも１つの光源をさらに備える。第一動作モードでは少なくとも１つの光源が実質的に第一スペクトル範囲で発光し、第二動作モードでは少なくとも１つの光源が実質的に第二スペクトル範囲で発光する。
【００１０】
いくつかの実施形態において、複数のバンドパスフィルタの各バンドパスフィルタは、２つの個別スペクトルバンドのいずれかに対応する光がフィルタを通過するよう構成される。いくつかの実施形態において、２つの個別スペクトルバンドのうち一方は、第一スペクトル範囲にあるが第二スペクトル範囲ではない第一スペクトルバンドに対応し、２つの個別スペクトルバンドのうち他方は、第二スペクトル範囲にあるが第一スペクトル範囲ではない第二スペクトルバンドに対応する。
【００１１】
いくつかの実施形態において、第一スペクトル範囲は第二スペクトル範囲と実質的に重ならない。いくつかの実施形態において、第一スペクトル範囲は第二スペクトル範囲と実質的に隣接する。
【００１２】
いくつかの実施形態において、複数のビームスプリッタの各ビームスプリッタからの少なくとも２つの光路は、実質的に同一平面上にある。
【００１３】
いくつかの実施形態において、撮像装置は複数のビームステアリングエレメントをさらに備え、各ビームステアリングエレメントは、各光路に対応する各フォトセンサへの各光路に光を向けるよう構成される。いくつかの実施形態において、複数のビームステアリングエレメントの少なくとも１つは、レンズの光軸に垂直に光を向けるよう構成される。いくつかの実施形態において、複数のビームステアリングエレメントの第一サブセットのそれぞれは、レンズの光軸に垂直な第一方向に光を向けるよう構成され、複数のビームステアリングエレメントの第二サブセットのそれぞれは、レンズの光軸に垂直で第一方向に反対の第二方向に光を向けるよう構成される。
【００１４】
いくつかの実施形態において、複数のフォトセンサの各フォトセンサのセンシング面は、レンズの光軸に実質的に垂直である。
【００１５】
いくつかの実施形態において、撮像装置はさらに、少なくとも１つの光源と光通信する偏光子、及び、偏光回転子を備える。偏光子は、少なくとも１つの光源から光を受光し、少なくとも１つの光源からの光の第一部を対象に投射するよう構成される。光の第一部は第一状態に偏向される。偏光子はさらに、少なくとも１つの光源からの光の第二部を偏光回転子に投射するよう構成される。光の第二部は、第一状態とは異なる第二状態に偏向される。いくつかの実施形態において、偏光回転子は、光の第二部の偏向を第二状態から第一状態に回転させ、第一状態に偏向された光の第二部を対象に投射するよう構成される。いくつかの実施形態において、第一状態はｐ偏光であり、第二状態はｓ偏光である。いくつかの実施形態において、第一状態はｓ偏光であり、第二状態はｐ偏光である。
【００１６】
いくつかの実施形態において、撮像装置は、方法の実施により複数のフォトセンサから複数画像を取り込むよう構成されたコントローラをさらに備え、当該方法では、少なくとも１つの光源を用いて第一スペクトル範囲の光で対象を照明し、複数のフォトセンサで第一画像セットを取り込む。そのような実施形態において、第一画像セットは、各フォトセンサに対し、対応するデュアルバンドパスフィルタが通過させる第一スペクトルバンドに対応する画像を備え、第一スペクトル範囲の光は、各デュアルバンドパスフィルタの第一スペクトルバンドの光を備える。当該方法ではさらに、少なくとも１つの光源を用いて第二スペクトル範囲の光で対象を照明し、複数のフォトセンサを用いて第二画像セットを取り込む。そのような実施形態において、第二画像セットは、各フォトセンサに対し、対応するデュアルバンドパスフィルタが通過させる第二スペクトルバンドに対応する画像を備え、第二スペクトル範囲の光は、各デュアルバンドパスフィルタの第二スペクトルバンドの光を備える。
【００１７】
いくつかの実施形態において、レンズの集束距離は固定であり、撮像装置はさらに、ある形状の第一部を対象に投影するよう構成された第一プロジェクタ、及び、形状の第二部を対象に投影するよう構成された第二プロジェクタを備え、形状の第一部及び形状の第二部は、レンズの位置が対象から所定距離にある場合、あわせて形状を形成するよう構成される。当該所定距離は、レンズの焦点距離に対応する。いくつかの実施形態において、撮像装置で画像を取り込む場合、形状は、複数のフォトセンサにより撮像される対象部分を示す。いくつかの実施形態において、形状は、長方形、正方形、円形及び楕円形を備えるグループから選択される。いくつかの実施形態において、形状は任意の２次元閉鎖形状である。いくつかの実施形態において、形状の第一部は直角を形成する第一ペア線であり、形状の第二部は直角を形成する第二ペア線であり、形状の第一部及び形状の第二部は、撮像装置の位置が対象から所定距離にある場合、対象上に長方形を形成するよう構成される。
【００１８】
いくつかの実施形態において、複数のビームスプリッタの各ビームスプリッタは、光反射に対する光透過の比率が約５０：５０である。
【００１９】
いくつかの実施形態において、複数のビームスプリッタのうち少なくとも１つのビームスプリッタはダイクロイックビームスプリッタである。
【００２０】
いくつかの実施形態において、少なくとも第一ビームスプリッタはダイクロイックビームスプリッタである。
【００２１】
いくつかの実施形態において、第一動作モードでは、少なくとも１つの光源が、少なくとも２つの断続的なスペクトルサブレンジを備えた第一スペクトル範囲で実質的に発光し、第二動作モードでは、少なくとも１つの光源が、実質的に第二スペクトル範囲で発光する。
【００２２】
いくつかの実施形態において、第一ビームスプリッタは、第三スペクトル範囲の光を通過させ、第四スペクトル範囲の光を反射するよう構成される。
【００２３】
いくつかの実施形態において、複数のビームスプリッタは、第一ビームスプリッタ、第二ビームスプリッタ、及び、第三ビームスプリッタを含む。いくつかの実施形態において、第三スペクトル範囲の光を第二ビームスプリッタに向け通過させ、第四スペクトル範囲の光を第三ビームスプリッタに向け反射させる。
【００２４】
いくつかの実施形態において、第二及び第三ビームスプリッタは波長非依存型ビームスプリッタである。
【００２５】
いくつかの実施形態において、第一スペクトル範囲の少なくとも２つの断続的なスペクトルサブレンジは、約４５０−５５０ｎｍの第一スペクトルサブレンジ、及び、約６１５−６５０ｎｍの第二スペクトルサブレンジを備え、第二スペクトル範囲は約５５０−６１５ｎｍである。
【００２６】
いくつかの実施形態において、第三スペクトル範囲は約５８５−６５０ｎｍであり、第四スペクトル範囲は約４５０−５８５ｎｍである。
【００２７】
いくつかの実施形態において、第三スペクトル範囲は、両第一及び第二スペクトル範囲の光を備え、第四スペクトル範囲は、両第一及び第二スペクトル範囲の光を備える。
【００２８】
いくつかの実施形態において、第一ビームスプリッタはプレート型ダイクロイックビームスプリッタまたはブロック型ダイクロイックビームスプリッタである。
【００２９】
いくつかの実施形態において、第一ビームスプリッタ、第二ビームスプリッタ、及び、第三ビームスプリッタはダイクロイックビームスプリッタである。
【００３０】
いくつかの実施形態において、第一動作モードでは、少なくとも１つの光源が、少なくとも２つの断続的なスペクトルサブレンジを備えた第一スペクトル範囲で実質的に発光し、第二動作モードでは、少なくとも１つの光源が、実質的に第二スペクトル範囲で発光する。
【００３１】
いくつかの実施形態において、第一ビームスプリッタは、少なくとも２つの断続的なスペクトルサブレンジを備えた第三スペクトル範囲の光を通過させ、少なくとも２つの断続的なスペクトルサブレンジを備える第四スペクトル範囲の光を反射するよう構成される。
【００３２】
いくつかの実施形態において、複数のビームスプリッタは、第一ビームスプリッタ、第二ビームスプリッタ、及び、第三ビームスプリッタを含む。
【００３３】
いくつかの実施形態において、第三スペクトル範囲の光を第二ビームスプリッタに向け通過させ、第四スペクトル範囲の光を第三ビームスプリッタに向け反射させる。
【００３４】
いくつかの実施形態において、第二ビームスプリッタは、少なくとも２つの断続的なスペクトルサブレンジを備えた第五スペクトル範囲の光を反射させ、第五スペクトルサブレンジの少なくとも２つの断続的なスペクトルサブレンジのどちらでもない光を通過させるよう構成される。
【００３５】
いくつかの実施形態において、第三ビームスプリッタは、少なくとも２つの断続的なスペクトルサブレンジを備えた第六スペクトル範囲の光を反射させ、第六スペクトルサブレンジの少なくとも２つの断続的なスペクトルサブレンジのどちらでもない光を通過させるよう構成される。
【００３６】
いくつかの実施形態において、第一スペクトル範囲の少なくとも２つの断続的なスペクトルサブレンジは、約４５０−５３０ｎｍの第一スペクトルサブレンジ、及び、約６００−６５０ｎｍの第二スペクトルサブレンジを備え、第二スペクトル範囲は約５３０−６００ｎｍである。
【００３７】
いくつかの実施形態において、第三スペクトル範囲の少なくとも２つの断続的なスペクトルサブレンジは、約５７０−６００ｎｍの第三スペクトルサブレンジ、及び、約６１５−６５０ｎｍの第四スペクトルサブレンジを備え、第四スペクトル範囲の少なくとも２つの断続的なスペクトルサブレンジは、約４５０−５７０ｎｍの第五スペクトルサブレンジ、及び、約６００−６１５ｎｍの第六スペクトルサブレンジを備える。
【００３８】
いくつかの実施形態において、第五スペクトル範囲の少なくとも２つの断続的なスペクトルサブレンジは、約５８５−５９５ｎｍの第七スペクトルサブレンジ、及び、約６１５−６２５ｎｍの第八スペクトルサブレンジを備える。
【００３９】
いくつかの実施形態において、第六スペクトル範囲の少なくとも２つの断続的なスペクトルサブレンジは、約５１５−５２５ｎｍの第九スペクトルサブレンジ、及び、約５５５−５６５ｎｍの第十スペクトルサブレンジを備える。
【００４０】
いくつかの実施形態において、第一ビームスプリッタ、第二ビームスプリッタ、及び、第三ビームスプリッタはそれぞれ、プレート型ダイクロイックビームスプリッタまたはブロック型ダイクロイックビームスプリッタである。
【００４１】
いくつかの実施形態において、少なくとも１つの光源は、第一発光ダイオード（ＬＥＤ）セット及び第二ＬＥＤセットを備え、第一ＬＥＤセットの各ＬＥＤは、第一スペクトル範囲外の光をブロックし第一スペクトル範囲の光を通過させるよう構成された第一バンドパスフィルタを介して光を通過させ、第二ＬＥＤセットの各ＬＥＤは、第二スペクトル範囲外の光をブロックし第二スペクトル範囲の光を通過させるよう構成された第二バンドパスフィルタを介して光を通過させる。
【００４２】
いくつかの実施形態において、第一ＬＥＤセットは第一照明アセンブリ内にあり、第二ＬＥＤは第一照明アセンブリとは別の第二照明アセンブリ内にある。
【００４３】
いくつかの実施形態において、第一ＬＥＤセット及び第二ＬＥＤセットは共通の照明アセンブリ内にある。
【００４４】
第二態様
本開示の他の態様は撮像装置用（例えば、ハイパースペクトル／マルチスペクトル）光アセンブリであり、当該光アセンブリは、光軸に沿って配置されたレンズ、レンズからの光を受光するよう構成された光路アセンブリ、光路アセンブリの第一側部に設置された第一回路板、及び、第一側部の反対にある光路アセンブリの第二側部に設置された第二回路板を備える。第二回路板は第一回路板と略平行である。光路アセンブリは、レンズからの光を第一光路及び第二光路に分光するよう構成された第一ビームスプリッタを備える。第一光路は光軸と略同一線上にある。第二光路は光軸に略垂直である。第二ビームスプリッタは、第一ビームスプリッタに隣接する。第二ビームスプリッタは、第一光路からの光を第三光路及び第四光路に分光するよう構成される。第三光路は第一光路と略同一線上にあり、第四光路は光軸に略垂直である。第三ビームスプリッタは、第一ビームスプリッタに隣接する。第三ビームスプリッタは、第二光路からの光を第五光路及び第六光路に分光するよう構成される。第五光路は第二光路と略同一線上にあり、第六光路は第二光路に略垂直である。第一ビームステアリングエレメントは、第二ビームスプリッタに隣接し、第三光路からの光を第一回路板に接続された第一フォトセンサへ第三光路に垂直に偏向するよう構成される。第二ビームステアリングエレメントは、第二ビームスプリッタに隣接し、第四光路からの光を第二回路板に接続された第二フォトセンサへ第四光路に垂直に偏向するよう構成される。第三ビームステアリングエレメントは、第三ビームスプリッタに隣接し、第五光路からの光を第一回路板に接続された第三フォトセンサへ第五光路に垂直に偏向するよう構成される。第四ビームステアリングエレメントは、第三ビームスプリッタに隣接し、第六光路からの光を第二回路板に接続された第四フォトセンサへ第六光路に垂直に偏向するよう構成される。
【００４５】
いくつかの実施形態において、光アセンブリはさらに複数のバンドパスフィルタを備える。複数のバンドパスフィルタには、第二ビームスプリッタと第一フォトセンサとの間で第三光路に設置された第一バンドパスフィルタ、第二ビームスプリッタと第二フォトセンサとの間で第四光路に設置された第二バンドパスフィルタ、第三ビームスプリッタと第三フォトセンサとの間で第五光路に設置された第三バンドパスフィルタ、及び、第三ビームスプリッタと第四フォトセンサとの間で第六光路に設置された第四バンドパスフィルタがある。各バンドパスフィルタは、異なる対応スペクトルバンドが各バンドパスフィルタを通過するよう構成される。
【００４６】
いくつかの実施形態において、複数のバンドパスフィルタのうち少なくとも１つの各バンドパスフィルタはデュアルバンドパスフィルタである。
【００４７】
いくつかの実施形態において、光アセンブリはさらに、光軸に沿って配置された偏光フィルタを備える。いくつかの実施形態において、偏光フィルタは、レンズに隣接し、光軸に沿って第一ビームスプリッタの手前に配置される。
【００４８】
いくつかの実施形態において、各ビームステアリングエレメントは鏡またはプリズムである。いくつかの実施形態において、各ビームステアリングエレメントは折り畳み式プリズムである。
【００４９】
いくつかの実施形態において、各ビームスプリッタ及び各ビームステアリングエレメントは、実質的に同一平面に沿って方向付けを行う。
【００５０】
いくつかの実施形態において、各フォトセンサは対応する回路板に可撓的に接続される。
【００５１】
いくつかの実施形態において、第一ビームスプリッタ、第二ビームスプリッタ、及び、第三ビームスプリッタはそれぞれ、光反射に対する光透過の比率が約５０：５０である。
【００５２】
いくつかの実施形態において、少なくとも第一ビームスプリッタはダイクロイックビームスプリッタである。
【００５３】
いくつかの実施形態において、第一ビームスプリッタは、第一スペクトル範囲の光を通過させ、第二スペクトル範囲の光を反射するよう構成される。
【００５４】
いくつかの実施形態において、第一スペクトル範囲の光を第二ビームスプリッタに向け通過させ、第二スペクトル範囲の光を第三ビームスプリッタに向け反射させる。
【００５５】
いくつかの実施形態において、第二及び第三ビームスプリッタは波長非依存型ビームスプリッタである。
【００５６】
いくつかの実施形態において、第一ビームスプリッタ、第二ビームスプリッタ、及び、第三ビームスプリッタはダイクロイックビームスプリッタである。
【００５７】
いくつかの実施形態において、第一ビームスプリッタは、少なくとも２つの断続的なスペクトルサブレンジを備えた第一スペクトル範囲の光を通過させ、少なくとも２つの断続的なスペクトルサブレンジを備えた第二スペクトル範囲の光を反射させるよう構成される。
【００５８】
いくつかの実施形態において、第二ビームスプリッタは、少なくとも２つの断続的なスペクトルサブレンジを備えた第三スペクトル範囲の光を反射させ、第三スペクトルサブレンジの少なくとも２つの断続的なスペクトルサブレンジのどちらでもない光を通過させるよう構成される。
【００５９】
いくつかの実施形態において、第三ビームスプリッタは、少なくとも２つの断続的なスペクトルサブレンジを備えた第四スペクトル範囲の光を反射させ、第四スペクトルサブレンジの少なくとも２つの断続的なスペクトルサブレンジのどちらでもない光を通過させるよう構成される。
【００６０】
第三態様
本開示の他の態様は撮像（例えば、ハイパースペクトル／マルチスペクトル撮像）装置用照明アセンブリであり、当該照明アセンブリは、少なくとも１つの光源、少なくとも１つの光源と光通信する偏光子、及び、偏光回転子を備える。偏光子は、少なくとも１つの光源から光を受光し、少なくとも１つの光源からの光の第一部を対象に照射し、少なくとも１つの光源からの光の第二部を偏光回転子に照射するよう構成され、光の第一部は第一偏向型であり、光の第二部は第二偏向型である。偏光回転子は、光の第二部の偏向を第二偏向型から第一偏向型に回転させ、第一偏向型光を対象に照射するよう構成される。
【００６１】
いくつかの実施形態において、第一偏向型はｐ偏光であり、第二偏向型はｓ偏光である。いくつかの実施形態において、第一偏向型はｓ偏光であり、第二偏向型はｐ偏光である。
【００６２】
いくつかの実施形態において、少なくとも１つの光源は１以上の発光ダイオード（ＬＥＤ）である。
【００６３】
いくつかの実施形態において、少なくとも１つの光源は２以上の動作モードを備え、２以上の動作モードの各動作モードでは、光を個別スペクトル範囲で発光し、動作モードに対応する光のスペクトル範囲はいずれも、別の動作モードに対応する光の他のどのスペクトル範囲とも完全には重ならない。
【００６４】
いくつかの実施形態において、少なくとも１つの光源から偏光子により受光された全ての光のうち少なくとも９５％は、対象を照らす。
【００６５】
第四態様
本開示の別の態様は、対象についての画像（例えば、ハイパースペクトル／マルチスペクトル画像）の取り込み方法に関し、当該方法において撮像装置は、少なくとも１つの光源、少なくとも１つの光源から発光され対象で後方散乱された光を受光するよう構成されたレンズ、複数のフォトセンサ、及び、複数のバンドパスフィルタを備える。各バンドパスフィルタは、複数のフォトセンサの各フォトセンサを覆い、各フォトセンサにより受光される光をフィルタリングするよう構成される。各バンドパスフィルタは、異なる各スペクトルバンドが各バンドパスフィルタを通過させるよう構成される。少なくとも１つの光源の第一動作モードに従い少なくとも１つの光源で対象を照明し、それぞれが複数のフォトセンサのそれぞれに取り込まれる第一複数画像を取り込み、第一複数画像の各画像は、異なる各スペクトルバンドの光を備える。
【００６６】
複数バンドパスフィルタのそれぞれは、２つの個別スペクトルバンドのいずれかに対応する光がフィルタを通過させるよう構成される。当該方法ではさらに、第一複数画像の取り込み後、少なくとも１つの光源の第二動作モードに従い少なくとも１つの光源で対象を照明し、それぞれが複数のフォトセンサのそれぞれにより取り込まれる第二複数画像を取り込み、第二複数画像の各画像は異なる各スペクトルバンドの光を備え、第二複数画像により取り込まれたスペクトルバンドは第一複数画像により取り込まれたスペクトルバンドとは異なる。
【００６７】
いくつかの実施形態において、少なくとも１つの光源は複数の発光ダイオード（ＬＥＤ）を備える。
【００６８】
いくつかの実施形態において、第一波長光フィルタは、複数のＬＥＤのうち第一ＬＥＤサブセットと対象との間で照明光路に沿って配置され、第二波長光フィルタは、複数のＬＥＤのうち第二ＬＥＤサブセットと対象との間で照明光路に沿って配置される。第一波長光フィルタ及び第二波長光フィルタは、異なるスペクトルバンドに対応する光が各フィルタを通過するよう構成される。
【００６９】
いくつかの実施形態において、複数のＬＥＤは白色光を発するＬＥＤを含む。いくつかの実施形態において、複数のＬＥＤは、光の第一スペクトルバンドに対応する光を発光するよう構成された第一ＬＥＤサブセット、及び、光の第二スペクトルバンドに対応する光を発光するよう構成された第二ＬＥＤサブセットを備え、第一ＬＥＤサブセットから発光された光で対象を照明する第一動作モードに従い少なくとも１つの光源で対象を照明し、第二ＬＥＤサブセットから発光された光で対象を照明する第二動作モードに従い少なくとも１つの光源で対象を照明し、光の第一スペクトルバンドの波長及び光の第二スペクトルバンドの波長は、完全には重ならないか、全く重ならない。
【００７０】
第五態様
本開示の別の態様は撮像装置（例えば、ハイパースペクトル／マルチスペクトル撮像装置）に関し、当該撮像装置は、少なくとも２つの動作モードを有する少なくとも１つの光源、光軸に沿って配置され少なくとも１つの光源から発光されて対象で後方散乱された光を受光するよう構成されたレンズ、複数のフォトセンサ、及び、複数のバンドパスフィルタを備え、各バンドパスフィルタは、複数のフォトセンサの各フォトセンサを覆い、各フォトセンサにより受光される光をフィルタリングするよう構成される。各バンドパスフィルタは、異なる各スペクトルバンドが各バンドパスフィルタを通過させるよう構成される。当該装置はさらに、レンズ及び複数のフォトセンサと光通信する１以上のビームスプリッタを備える。各ビームスプリッタは、レンズにより受光された光を複数の光路に分光するよう構成される。各光路は、各フォトセンサに対応するバンドパスフィルタを介して各フォトセンサに光を向けるよう構成される。
【００７１】
第六態様
本開示の別の態様は撮像装置に関し、当該撮像装置は、光軸に沿って配置され受光するよう構成されたレンズ、複数のフォトセンサ、レンズ及び複数のフォトセンサと光通信する複数のビームスプリッタを備えた光路アセンブリ、ならびに、複数のマルチバンドパスフィルタ（例えば、デュアルバンドパスフィルタ、トリプルバンドパスフィルタ、クウォッドバンドパスフィルタ）を備える。複数のマルチバンドパスフィルタの各マルチバンドパスフィルタは、複数のフォトセンサのうち対応するフォトセンサを覆い、それにより、対応する光の異なる各スペクトルバンドが、レンズにより受光され複数のビームスプリッタにより分光された光から選択的に、対応フォトセンサを通過する。複数のビームスプリッタの各ビームスプリッタは、レンズにより受光された光を少なくとも２つの光路に分光するよう構成される。複数のビームスプリッタのうち第一ビームスプリッタは、レンズと直接的に光通信する。複数のビームスプリッタのうち第二ビームスプリッタは、第一ビームスプリッタを介してレンズと間接的に光通信する。複数のビームスプリッタは全体で、レンズにより受光された光を複数の光路に分光し、複数の光路の各光路は、各フォトセンサに対応するマルチバンドパスフィルタを介して、複数のフォトセンサのうち対応するフォトセンサに光を向けるよう構成される。
【００７２】
特定の実施形態において、マルチバンドパスフィルタは、デュアルバンドパスフィルタである。いくつかの実施形態において、複数の光検知器（例えば、光検知器１１２）の各光検知器は、デュアルバンドパスフィルタ（例えば、フィルタ１１４）で覆われる。
【００７３】
いくつかの実施形態において、各光検知器はトリプルバンドパスフィルタで覆われ、第三光源が使用でき、固有のスペクトルバンドでの画像３セットの収集が可能となる。例えば、４つの光検知器の各検知器がトリプルバンドパスフィルタで覆われている場合、最大１２の固有スペクトルバンドでの画像収集が可能である。
【００７４】
いくつかの実施形態において、各光検知器は、クウォッドバンドパスフィルタで覆われ、第四光源が使用でき、固有のスペクトルバンドでの画像４セットの収集が可能となる。例えば、４つの光検知器の各光検知器がクウォッドバンドパスフィルタで覆われている場合、最大１６のスペクトルバンドでの画像収集が可能である。また別の実施態様において、５、６、７またはそれ以上のバンドを通過させるバンドパスフィルタをそれぞれ使用することで、より多くの固有スペクトルバンドセットでの収集が可能となる。
【００７５】
いくつかの実施形態において、また、撮像装置は第一光源及び第二光源を備え、第一光源及び第二光源が光を投射し、光の一部が対象で後方散乱されレンズで受光されるよう構成される。
【００７６】
いくつかの実施形態において、第一光源は、実質的に第一スペクトル範囲に限定された光を発光し、第二光源は、実質的に第二スペクトル範囲に限定された光を発光する。
【００７７】
いくつかの実施形態において、第一光源は、第一バンドパスフィルタで覆われた第一マルチスペクトル光源であり、第一バンドパスフィルタが第一光源により発光された第一スペクトル範囲外の全ての光を実質的にブロックし、第二光源は、第二バンドパスフィルタで覆われた第二マルチスペクトル光源であり、第二バンドパスフィルタが第二光源により発光された第二スペクトル範囲外の全ての光を実質的にブロックする。
【００７８】
いくつかの実施形態において、第一マルチスペクトル光源は第一白色発光ダイオードであり、第二マルチスペクトル光源は第二白色発光ダイオードである。
【００７９】
いくつかの実施形態において、複数のデュアルバンドパスフィルタの各デュアルバンドパスフィルタは、２つの個別スペクトルバンドのいずれかに対応する光が選択的に対応フォトセンサまで通過するよう構成される。いくつかの実施形態において、２つの個別スペクトルバンドの一方は、第一スペクトル範囲にあるが第二スペクトル範囲でない第一スペクトルバンドに対応し、２つの個別スペクトルバンドの他方は、第二スペクトル範囲にあるが第一スペクトル範囲でない第二スペクトルバンドに対応する。
【００８０】
いくつかの実施形態において、第一スペクトル範囲は第二スペクトル範囲と実質的に重ならない。
【００８１】
いくつかの実施形態において、第一スペクトル範囲は第二スペクトル範囲と実質的に隣接する。
【００８２】
いくつかの実施形態において、第一スペクトル範囲は５２０ｎｍ、５４０ｎｍ、５６０ｎｍ及び６４０ｎｍの波長光を備え、第二スペクトル範囲は５８０ｎｍ、５９０ｎｍ、６１０ｎｍ及び６２０ｎｍの波長光を備える。
【００８３】
いくつかの実施形態において、複数のビームスプリッタの各ビームスプリッタからの少なくとも２つの光路は実質的に同一平面上にある。
【００８４】
いくつかの実施形態において、撮像装置はさらに複数のビームステアリングエレメントを備え、各ビームステアリングエレメントは、複数のフォトセンサのうち、各光路に対応する各フォトセンサへの各光路に光を向けるよう構成される。いくつかの実施形態において、複数のビームステアリングエレメントのうち少なくとも１つは、レンズの光軸に垂直に光を向けるよう構成される。いくつかの実施形態において、複数のビームステアリングエレメントの第一サブセットのそれぞれは、光軸に垂直な第一方向に光を向けるよう構成され、複数のビームステアリングエレメントの第二サブセットのそれぞれは、光軸に垂直で第一方向に反対の第二方向に光を向けるよう構成される。
【００８５】
いくつかの実施形態において、複数のフォトセンサの各フォトセンサのセンシング面は、光軸に実質的に垂直である。
【００８６】
いくつかの実施形態において、撮像装置は、方法の実施により複数のフォトセンサから複数の画像を取り込むよう構成されたコントローラをさらに備え、当該方法では、第一光源一度目として使用し対象を照明し、照明時複数のフォトセンサを用いて第一画像セットを取り込む。第一画像セットは、複数のフォトセンサの各フォトセンサに対し、対応マルチバンドパスフィルタ（例えば、デュアルバンドパスフィルタ）が通過させる第一スペクトルバンドに対応する画像を備え、第一スペクトル範囲の光は、各マルチバンドパスフィルタ（例えば、デュアルバンドパスフィルタ）の第一スペクトルバンドの光を備える。当該方法ではさらに、第一光源を消灯し、次に、第二光源を二度目として使用し対象を照明する。当該方法では、二度目の照明時に複数のフォトセンサを用いて第二画像セットを取り込む。第二画像セットは、複数のフォトセンサの各フォトセンサに対し、対応マルチバンドパスフィルタ（例えば、デュアルバンドパスフィルタ）が通過させる第二スペクトルバンドに対応する画像を備え、第二スペクトル範囲の光は、各マルチバンドパスフィルタ（例えば、デュアルバンドパスフィルタ）の第二スペクトルバンドの光を備える。
【００８７】
いくつかの実施形態において、複数のフォトセンサの各フォトセンサは、各フォトセンサの撮像積算時間を判断する対応シャッタ機構により制御される画素アレイである。複数のフォトセンサのうち第一フォトセンサは、第一画像取り込みに要する第一積算時間、及び、第二画像取り込みに要する第二積算時間に独立して関連する。第一積算時間は第二積算時間とは無関係である。つまり、当該装置は、画像を取り込むスペクトルバンド毎にそれぞれ積算時間を判断する。
【００８８】
いくつかの実施形態において、複数のフォトセンサの各フォトセンサは、各フォトセンサの撮像積算時間を判断する対応シャッタ機構により制御される画素アレイである。第一照明時間は、第一画像取り込み時の複数のフォトセンサと関連する第一最大積算時間で判断され、複数のフォトセンサのうち第一フォトセンサの積算時間は、第一画像取り込み時の複数のフォトセンサのうち第二フォトセンサの積算時間とは異なる。第二照明時間は、第二画像取り込み時の複数のフォトセンサと関連する第二最大積算時間で判断され、第一フォトセンサの積算時間は、第二画像取り込み時の第二フォトセンサの積算時間とは異なる。いくつかの実施態様において、第一最大積算時間は、第二最大積算時間とは異なる。
【００８９】
いくつかの実施形態において、複数のビームスプリッタの各ビームスプリッタは、光反射に対する光透過の比率が約５０：５０である。
【００９０】
いくつかの実施形態において、複数のビームスプリッタのうち少なくとも１つのビームスプリッタはダイクロイックビームスプリッタである。
【００９１】
いくつかの実施形態において、少なくとも第一ビームスプリッタ（例えば、レンズと直接的に光通信する）はダイクロイックビームスプリッタである。
【００９２】
いくつかの実施形態において、複数のビームスプリッタのうち少なくとも１つのビームスプリッタはダイクロイックビームスプリッタであり、第一スペクトル範囲は少なくとも２つの断続的なスペクトルサブレンジを備え、複数のビームスプリッタはそれぞれ光反射に対する光透過の比率が約５０：５０であり、第一ビームスプリッタは、第三スペクトル範囲の光を通過させ、第四スペクトル範囲の光を反射するよう構成される。
【００９３】
いくつかの実施形態において、複数のビームスプリッタは、第一ビームスプリッタ、第二ビームスプリッタ、及び、第三ビームスプリッタを含む。
【００９４】
いくつかの実施形態において、第三スペクトル範囲の光を第二ビームスプリッタに向け通過させ、第四スペクトル範囲の光を第三ビームスプリッタに向け反射させる。
【００９５】
いくつかの実施形態において、第二及び第三ビームスプリッタは波長非依存型ビームスプリッタである。
【００９６】
いくつかの実施形態において、第三スペクトル範囲は、両第一及び第二スペクトル範囲の光を含み、第四スペクトル範囲は、両第一及び第二スペクトル範囲の光を含む。
【００９７】
いくつかの実施形態において、第一ビームスプリッタはプレート型ダイクロイックビームスプリッタまたはブロック型ダイクロイックビームスプリッタである。いくつかの実施形態において、第一ビームスプリッタ、第二ビームスプリッタ、及び、第三ビームスプリッタはダイクロイックビームスプリッタである。
【００９８】
いくつかの実施形態において、第一スペクトル範囲は、少なくとも２つの断続的なスペクトルサブレンジを備え、複数のビームスプリッタはそれぞれ光反射に対する光透過の比率が約５０：５０であり、第一ビームスプリッタは、第三スペクトル範囲の光を通過させ、第四スペクトル範囲の光を反射するよう構成され、複数のビームスプリッタは、第一ビームスプリッタ、第二ビームスプリッタ、及び、第三ビームスプリッタを含み、第一ビームスプリッタ、第二ビームスプリッタ、及び、第三ビームスプリッタはダイクロイックビームスプリッタである。
【００９９】
いくつかの実施形態において、第三スペクトル範囲は少なくとも２つの断続的なスペクトルサブレンジを備え、第四スペクトル範囲は少なくとも２つの断続的なスペクトルサブレンジを備える。
【０１００】
いくつかの実施形態において、第三スペクトル範囲の光を第二ビームスプリッタに向け通過させ、第四スペクトル範囲の光を第三ビームスプリッタに向け反射させる。
【０１０１】
いくつかの実施形態において、第二ビームスプリッタは、少なくとも２つの断続的なスペクトルサブレンジを備える第五スペクトル範囲の光を反射させ、第五スペクトルサブレンジの少なくとも２つの断続的なスペクトルサブレンジのどちらでもない光を通過させるよう構成される。
【０１０２】
いくつかの実施形態において、第三ビームスプリッタは、少なくとも２つの断続的なスペクトルサブレンジを備える第六スペクトル範囲の光を反射させ、第六スペクトルサブレンジの少なくとも２つの断続的なスペクトルサブレンジのどちらでもない光を通過させるよう構成される。
【０１０３】
いくつかの実施形態において、第一ビームスプリッタ、第二ビームスプリッタ、及び、第三ビームスプリッタはそれぞれ、プレート型ダイクロイックビームスプリッタまたはブロック型ダイクロイックビームスプリッタである。
【０１０４】
いくつかの実施形態において、第一光源は第一照明アセンブリ内にあり、第二光源は第一照明アセンブリとは別の第二照明アセンブリ内にある。
【０１０５】
いくつかの実施形態において、複数画像の各画像は、対象の１つの位置での多画素画像であり、また、コントローラが実施する方法では、複数画像の各画像を画素ごとに合成して合成画像を形成することを含む。
【０１０６】
いくつかの実施形態（例えば、トリプルバンドパスフィルタまたはクウォッドバンドパスフィルタを採用した実施形態）において、撮像装置は２を超える光源を備える。１つの実施形態において、撮像装置は少なくとも３つの光源を備える。１つの実施形態において、撮像装置は少なくとも４つの光源を備える。１つの実施形態において、撮像装置は少なくとも５つの光源を備える。
【０１０７】
いくつかの実施形態において、撮像装置は、携帯可能で、第一照明及び第二照明時は電力グリッドから独立して給電される。第一光源は、第一照明時少なくとも８０ワットの光力を提供する。第二光源は、第二照明時少なくとも８０ワットの光力を提供する。撮像装置はさらに第一光源及び第二光源と電気通信するコンデンサバンクを備え、コンデンサバンクのコンデンサの電圧定格は少なくとも２ボルトであり、コンデンサ定格は少なくとも８０ファラドである。
【０１０８】
いくつかの実施形態において、第一及び第二波長は、それぞれの照明時少なくとも２０ワットから少なくとも４００ワットの間でそれぞれ独立して選択された光力を提供する。いくつかの実施形態において、光力は、少なくとも２０ワット、少なくとも３０ワット、少なくとも４０ワット、少なくとも５０ワット、少なくとも６０ワット、少なくとも７０ワット、少なくとも８０ワット、少なくとも９０ワット、少なくとも１００ワット、少なくとも１１０ワット、少なくとも１２０ワット、少なくとも１３０ワット、少なくとも１４０ワット、少なくとも１５０ワット、少なくとも１６０ワット、少なくとも１７０ワット、少なくとも１８０ワット、少なくとも１９０ワット、少なくとも２００ワット、少なくとも２２５ワット、少なくとも２５０ワット、少なくとも２７５ワット、少なくとも３００ワット、少なくとも３２５ワット、少なくとも３５０ワット、少なくとも３７５ワット、及び、少なくとも４００ワットから独立して選択される。
【０１０９】
いくつかの実施形態において、マルチバンドパスフィルタの個別バンドは互いに少なくとも６０ｎｍ離れている。特定の実施形態において、複数のデュアルバンドパスフィルタのうち１つのデュアルバンドパスフィルタの２つの個別バンドは少なくとも６０ｎｍ離れている。
【０１１０】
いくつかの実施形態において、撮像装置は携帯可能で、第一照明及び第二照明時（または、２を超える照明が採用されている場合全てによる照明時）は電力グリッドから電気的に独立している。いくつかの実施形態において、第一及び第二照明を５００ミリセカンド未満照明する（または、２を超える照明が採用されている場合、全ての照明を５００ミリセカンド未満照明する）。いくつかの実施形態において、第一及び第二照明を３００ミリセカンド未満照明する（または、２を超える照明が採用されている場合、全ての照明を３００ミリセカンド未満照明する）。いくつかの実施形態において、第一及び第二照明を２５０ミリセカンド未満照明する（または、２を超える照明が採用されている場合、全ての照明を２５０ミリセカンド未満照明する）。
【０１１１】
いくつかの実施形態において、また、撮像装置は、光路アセンブリの第一側部に配置された第一回路板を備え、複数のフォトセンサのうち第一フォトセンサ及び第三フォトセンサが第一回路板に接続されている。第二回路板は、第一側部と反対にある光路アセンブリの第二側部に配置され、第二回路板は、第一回路板と略平行にあり、複数のフォトセンサのうち第二フォトセンサ及び第四フォトセンサが第二回路板に接続される。第一ビームスプリッタは、レンズからの光を第一光路及び第二光路に分光するよう構成され、第一光路は光軸と略同一線上にあり、第二光路は光軸に略垂直である。第二ビームスプリッタは、第一光路からの光を第三光路及び第四光路に分光するよう構成され、第三光路は第一光路と略同一線上にあり、第四光路は光軸に略垂直である。複数のビームスプリッタのうち第三ビームスプリッタは、第二光路からの光を第五光路及び第六光路に分光するよう構成され、第五光路は第二光路と略同一線上にあり、第六光路は第二光路に略垂直である。また、光路アセンブリは、第三光路からの光を、第一回路板に接続された第一フォトセンサへ第三光路に垂直に偏向するよう構成された第一ビームステアリングエレメント、第四光路からの光を、第二回路板に接続された第二フォトセンサへ第四光路に垂直に偏向するよう構成された第二ビームステアリングエレメント、第五光路からの光を、第一回路板に接続された第三フォトセンサへ第五光路に垂直に偏向するよう構成された第三ビームステアリングエレメント、及び、第六光路からの光を、第二回路板に接続された第四フォトセンサへ第六光路に垂直に偏向するよう構成された第四ビームステアリングエレメントを備える。
【０１１２】
いくつかの実施形態において、第一マルチバンドパスフィルタ（例えば、デュアルバンドパスフィルタ）は、第一ビームスプリッタと第一フォトセンサとの間で第三光路に配置される。第二マルチバンドパスフィルタ（例えば、デュアルバンドパスフィルタ）は、第二ビームスプリッタと第二フォトセンサとの間で第四光路に配置される。第三マルチバンドパスフィルタ（例えば、デュアルバンドパスフィルタ）は、第三ビームスプリッタと第三フォトセンサとの間で第五光路に配置される。第四マルチバンドパスフィルタ（例えば、デュアルバンドパスフィルタ）は、第四ビームスプリッタと第四フォトセンサとの間で第六光路に配置される。
【０１１３】
いくつかの実施形態において、また、撮像装置は、光軸に沿って配置される偏光フィルタを備える。いくつかの実施形態において、偏光フィルタは、レンズに隣接し光軸に沿って第一ビームスプリッタの手前に配置される。
【０１１４】
いくつかの実施形態において、第一ビームステアリングエレメントは鏡またはプリズムである。
【０１１５】
いくつかの実施形態において、第一ビームステアリングエレメントは折り畳み式プリズムである。
【０１１６】
いくつかの実施形態において、各ビームスプリッタ及び各ビームステアリングエレメントは、実質的に同一平面に沿って方向付けを行う。
【０１１７】
いくつかの実施形態において、各フォトセンサは対応する回路板に可撓的に接続される。
【０１１８】
いくつかの実施形態において、第一ビームスプリッタ、第二ビームスプリッタ、及び、第三ビームスプリッタはそれぞれ、光反射に対する光透過の比率が約５０：５０である。
【０１１９】
いくつかの実施形態において、少なくとも第一ビームスプリッタはダイクロイックビームスプリッタである。
【０１２０】
いくつかの実施形態において、第一ビームスプリッタは、第一スペクトル範囲の光を通過させ、第二スペクトル範囲の光を反射するよう構成される。
【０１２１】
いくつかの実施形態において、第一スペクトル範囲の光を第二ビームスプリッタに向け通過させ、第二スペクトル範囲の光を第三ビームスプリッタに向け反射させる。
【０１２２】
いくつかの実施形態において、第二及び第三ビームスプリッタは波長非依存型ビームスプリッタである。
【０１２３】
いくつかの実施形態において、第一ビームスプリッタ、第二ビームスプリッタ、及び、第三ビームスプリッタはダイクロイックビームスプリッタである。
【０１２４】
いくつかの実施形態において、第一ビームスプリッタは、少なくとも２つの断続的なスペクトルサブレンジを備えた第一スペクトル範囲の光を通過させ、少なくとも２つの断続的なスペクトルサブレンジを備えた第二スペクトル範囲の光を反射させるよう構成される。
【０１２５】
いくつかの実施形態において、第二ビームスプリッタは、少なくとも２つの断続的なスペクトルサブレンジを備えた第三スペクトル範囲の光を反射させ、第三スペクトルサブレンジの少なくとも２つの断続的なスペクトルサブレンジのどちらでもない光を通過させるよう構成される。
【０１２６】
いくつかの実施形態において、第三ビームスプリッタは、少なくとも２つの断続的なスペクトルサブレンジを備えた第四スペクトル範囲の光を反射させ、第四スペクトルサブレンジの少なくとも２つの断続的なスペクトルサブレンジのどちらでもない光を通過させるよう構成される。
【０１２７】
本開示をより詳細に理解されるよう、多様な実施態様の特徴を参考にし、一部を添付図で示して、具体的に説明する。しかし、添付図は単に本開示の該当特徴を表しているだけであって、本説明に限定するものと見なさず、他の有効な特徴及び配置を認めてもよい。
【図面の簡単な説明】
【０１２８】
【図１Ａ】１つの実施態様による、ハイパースペクトル撮像装置１００を表す。
【図１Ｂ】１つの実施態様による、ハイパースペクトル撮像装置１００を表す。
【図２】図２Ａ及び図２Ｂは、本開示の実施態様による、ハイパースペクトル撮像装置１００の光アセンブリ１０２を表す。
【図３】ハイパースペクトル撮像装置１００の光アセンブリ１０２の実施態様の概略分解組立図である。
【図４】ハイパースペクトル撮像装置１００の光アセンブリ１０２の実施態様による光路４００−４０４の概略分解組立図である。
【図５】図５Ａ、図５Ｂ及び図５Ｃは、ハイパースペクトル撮像装置１００の光アセンブリ１０２の実施態様による、光路５００−５０６及び６００−６０６の２次元概略図である。
【図６】ハイパースペクトル撮像装置１００の光アセンブリ１０２の実施態様の正面図である。
【図７】１つの実施態様による、ハイパースペクトル撮像装置１００の一部を切り取った下面図である。
【図８Ａ】１つの実施態様による、ハイパースペクトル撮像装置１００及び光路の一部を切り取った下面図である。
【図８Ｂ】別の実施態様による、ハイパースペクトル撮像装置１００及び光路の一部を切り取った下面図である。
【図９】図９Ａ、図９Ｂ及び図９Ｃは、ハイパースペクトル撮像装置１００の実施態様により収集される画像を合焦させるために対象表面に投影するフレーミングガイド９０２を表す。図９Ｄ及び図９Ｅは、ハイパースペクトル撮像装置１００の実施態様により収集される画像を合焦させるために対象表面に投影するポイントガイド９０３を表す。
【図１０】ハイパースペクトル撮像装置１００の光アセンブリ１０２の実施態様による、光路の２次元概略図である。
【図１１】ハイパースペクトル撮像装置１００の光アセンブリ１０２の別の実施態様による、光路の２次元概略図である。
【図１２】ハイパースペクトル撮像装置１００の光アセンブリ１０２の実施態様による、光路の２次元概略図である。
【図１３】１つの実施態様による、別のハイパースペクトル撮像装置１００の第一図である。
【図１４】１つの実施態様による、図１３でのハイパースペクトル撮像装置１００の第二図である。
【０１２９】
実際のところ、図では多様な特徴を縮尺通りに描いていなくてもよい。従って、多様な特徴の寸法は、明確にするため任意に拡大または縮小されてもよい。さらに、図によっては、所定のシステム、方法または装置の全構成部を表示していない。さらに、同様符号は、本明細書及び図で一貫して同様特徴を意味するのに用いてもよい。
【発明を実施するための形態】
【０１３０】
本明細書において、添付図に示す例示的な実施態様が十分理解されるよう詳述する。しかし、具体的に詳述されていなくても、本発明を実施してもよい。本明細書で説明する実施態様の多数の適切な態様が不必要に不明瞭にならないよう、周知の方法、構成要素及び回路については、細部にわたり詳述していない。
【０１３１】
ハイパースペクトル撮像は一般的に複数画像の取得に関連し、各画像は連続したスペクトル範囲で収集された狭スペクトルバンドを表す。例えば、ハイパースペクトル撮像システムでは１５個の画像を取得し、各画像は異なるスペクトルバンド内の光を表す。これらの画像の取得では一般的に、所望の対象の一連の写真を撮像した後、所望のハイパースペクトル画像を生成するよう複数画像を処理する。しかし、画像が使用可能であるためには、画像の構成や向きが実質的に同じでなければならない。例えば、有効なハイパースペクトル画像への合成が可能な画像であるためには、画像の被写体の位置が各フレームで実質的に同じでなければならない。連続して（例えば、次々に）撮像するので、確実に画像全てを適切に整列させることはかなり困難であるかもしれない。特に医療分野では難しく、臨床医は患者を撮像するが、患者が動く可能性があり、または、患者の部位の位置が撮像には難しく若しくは厄介であるかもしれない。
【０１３２】
本明細書で説明するように、ハイパースペクトル撮像装置は、同時に複数の画像が取り込まれ、各画像は所望のスペクトルバンドで取り込まれる。具体的には、本開示の撮像装置及び関連方法では、複数のフォトセンサを使用して、同時に複数の画像を取り込む。このため、ユーザは、複数画像のそれぞれの取り込み時、撮像装置と被写体との位置あわせを完璧に維持する必要がなく、一度撮像装置の位置決めをするだけで、一度の撮像装置の操作で（例えば、１、２または３枚撮りで）必要な画像の全てを取り込むことができる。それゆえ、ハイパースペクトル画像の取り込みが、より速く簡単にかつより正確に実施できる。
【０１３３】
また、従来の撮像システムでは高い電力量が必要で、動作するにはシステムを電源（例えば、交流コンセント）に接続する必要がある。これは、光可変フィルタエレメント、高出力光源などを使用することによる。本明細書で説明するハイパースペクトル撮像装置における光アーキテクチャではシステムの電力量及び全体サイズが縮小されており、真に携帯可能な装置を生産できる点が、有利である。
【０１３４】
１つの実施態様において、本明細書で説明するハイパースペクトル撮像装置の設計では、対象（例えば、患者の組織）の像を異なるスペクトルバンドで同時に取り込むよう構成された複数のフォトセンサを採用し、これらの課題を解決する。各フォトセンサは、限られた数のスペクトルバンド（例えば、１または２スペクトルバンド）を検出するよう構成されるが、複数のフォトセンサによりあわせて、特定のハイパースペクトルデータキューブ（例えば、特定の医療診断の作成、監視、農業調査、工業的評価などの実施に有用なハイパースペクトルデータキューブ）の構成に必要なスペクトルバンドの全てで撮像する。
【０１３５】
いくつかの実施態様において、これらの利点を実現するため、撮像装置の光アセンブリ内で分光して配向し、限定スペクトルバンドの光だけが各フォトセンサに照射されるようにする。図１１は、そのような実施態様の光アセンブリ内に作られた光路の実施例を示しており、当該光路では、スペクトル成分バンドに分光し（例えば、ダイクロイックビームスプリッタ及び／またはビーム分割板を使用して）、適切なスペクトルバンドの光を対応フォトセンサに向けている。
【０１３６】
いくつかの実施態様において、これらの利点を実現するため、光アセンブリ内で光を各フォトセンサに均等に配分し、各フォトセンサでの検出前に、不要な波長を除去する。図１０は、そのような実施態様の光アセンブリ内に作られた光路の実施例を示しており、本実施例では、光エレメント（例えば、５０：５０ビームスプリッタ）を用いて、各フォトセンサを覆うフィルタエレメントに向けて光を均等に配分している。
【０１３７】
また別の実施態様において、これらの利点を実現するため、これら２つの戦略を混合して採用する。例えば、光アセンブリを用いて、まず分光し（例えば、ダイクロイックビームスプリッタまたはビーム分割板を使用して）、所望のスペクトルパスバンドを有するフィルタで覆われた各フォトセンサにスペクトル成分バンドを均等配分する。
【０１３８】
いくつかの実施態様において、１以上のこれらの利点を実現するため、ハイパースペクトル撮像装置で２つの照明源を使用する。第一照明源は、第一スペクトルバンドサブセットで対象を照らすよう構成され、第二照明源は、第二スペクトルバンドサブセットを用いて対象を照らすよう構成される。第一及び第二スペクトルバンドサブセットは重なっておらず、両セットをあわせて、特定のハイパースペクトルデータキューブの構成に必要な全スペクトルバンドを備える。対象を第一光源で照明した第一画像セット、及び、対象を第二光源で照明した第二画像セットの２セットの画像をあわせるよう、光アセンブリを構成する。例えば、各フォトセンサは、第一スペクトルバンドサブセットに含まれる第一スペクトルバンドで第一画像を、第二スペクトルバンドサブセットに含まれる第二スペクトルバンドで第二画像をそれぞれ取り込む。
【０１３９】
いくつかの実施態様において、画像の取り込み及びその処理では、撮像装置が被写体上の関心領域の複数の画像（例えば、第一スペクトルバンドバンドで取り込まれた第一画像、及び、第二スペクトルバンドバンドで撮像された第二画像）を収集する。撮像装置は、各メモリ位置で各画像を保存する（例えば、メモリの第一位置で第一画像を保存し、メモリの第二位置で第二画像を保存する）。その後、撮像装置は、各画像の各画素を画素ごとに例えばプロセッサ２１０で比較し、被写体の関心領域のハイパースペクトル画像を生成する。いくつかの実施態様において、画素別分析の前に各画素値をビニング、平均化、または演算処理するが、例えば、画素別比較では、ビニング、平均化または演算処理後の画素値を比較することを含む。
【０１４０】
典型的な実施態様
図１Ａは、多様な実施態様によるハイパースペクトル撮像装置１００を示す。ハイパースペクトル撮像装置１００は、対象の表面（例えば、患者の肌）を照らす少なくとも１つの光源１０６、及び、対象からの反射光及び／または後方散乱光を収集するレンズアセンブリ１０４を有する、光アセンブリ１０２を備える。光アセンブリ１０２はドッキングステーション１１０に取り付けられる。
【０１４１】
多様な実施態様において、光アセンブリ１０２はドッキングステーション１１０に本固定される（例えば、光アセンブリ１０２を、ドッキングステーション１１０の下部構造で光アセンブリ１０２を部分的に包みこむよう固定し、溶接、ねじ止めなどの方法で締結する）。別の実施態様において、光アセンブリ１０２はドッキングステーション１１０に本固定されない（例えば、光アセンブリ１０２を、ドッキングステーション１１０の下部構造に嵌合させる）。
【０１４２】
多様な任意の実施態様において、図１Ａによれば、ドッキングステーション１１０は、対象物からのハイパースペクトル撮像装置１００の位置が合焦画像の取得に適した距離にあることを示す光を対象に投光するよう構成された第一プロジェクタ１１２−１及び第二プロジェクタ１１２−２を備える。レンズアセンブリ１０４の焦点距離が固定で、レンズアセンブリを操作して画像の焦点をあわせることができない場合、これが特に有効であってもよい。
【０１４３】
さらに、図８Ａ及び図９Ｃによると、多様な実施態様において、図１Ａの第一プロジェクタ１１２−１及び第二プロジェクタ１１２−２は、適正位置にある撮像対象上に第一部９０２−１及び第二部９０２−２を含みあわせて形状９０２が形成される（例えば、図８Ａ及び図９Ｃを参照のこと）パターン光を、撮像対象に投光するよう構成される。例えば、第一形状部９０２−１及び第二形状部９０２−１は、対象からのレンズ１０４の位置がレンズアセンブリ１０４の焦点距離である所定距離にある場合、集束して形状９０２を形成するよう構成される。
【０１４４】
多様な実施態様において、第一プロジェクタ１１２−１及び第二プロジェクタ１１２−２はそれぞれ、対象にスポットを投射し、対象からのレンズ１０４の位置がレンズの集束距離である所定距離にある場合に当該スポットが集束するよう構成される（例えば、図８Ｂ及び図９Ｅを参照のこと）。他の形状、レチクル、画像、十字線などを含む、他の照射も考えられる。
【０１４５】
多様な実施態様において、ドッキングステーション１１０は、光源１０６と撮像対象物との間に位置するよう構成された光学窓１１４を備える。また、窓１１４は、レンズアセンブリ１０４と撮像対象との間に位置するよう構成される。光学窓１１４は、レンズアセンブリ１０４に達する環境光を制限するだけでなく、光源１０６及びレンズアセンブリ１０４を保護する。多様な実施態様において、光学窓１１４は、光源１０６から放出される光の波長に対し光学的に透明（または、本質的に光学的に透明）な材料で構成される。多様な実施態様において、光学窓１１４は、光源１０６からの放出によらない光の１以上の波長に対し部分的にまたは完全に不透明な材料で構成される。多様な実施態様において、光学窓１１４は偏光レンズである。多様な実施態様において、光学窓１１４は外環境に開放されている（例えば、搭載レンズも他の光学的に透明な材料も備えていない）。
【０１４６】
多様な実施態様において、ドッキングステーション１１０は、スマートフォン、携帯情報端末（ＰＤＡ）、専用情報端末、タブレットコンピュータ、ＩＰＯＤ、デジタルカメラ、ポータブルミュージックプレイヤ、及び／または、他の携帯電子デバイスといったモバイルデバイス１２０を受信し、ハイパースペクトル撮像装置１００にモバイルデバイスを効果的に搭載するよう構成される。多様な実施態様において、ドッキングステーション１１０は、光アセンブリ１０２とモバイルデバイス１２０との間で容易に電子通信できるよう構成される。多様な実施態様において、モバイルデバイス１２０は、光アセンブリ１０２用ディスプレイとして（例えば、光アセンブリ１０２を操作するタッチスクリーンディスプレイとして、及び／または、光アセンブリ１０２が収集したハイパースペクトル画像のディスプレイとして）動作するよう構成されたディスプレイ１２２を備える。多様な実施態様において、モバイルデバイス１２０は、光アセンブリ１０２により収集された１以上の画像を処理するプロセッサとして構成される。多様な実施態様において、モバイルデバイス１２０は、光アセンブリ１０２により収集された１以上の画像を外部コンピュータデバイスに送信する（例えば、有線通信または無線通信により）よう構成される。
【０１４７】
図１Ｂは別のハイパースペクトル撮像装置１００を示しており、多様な実施態様により、図１Ａに示すハイパースペクトル撮像装置１００に類似するが、本体に前向きのレンズアセンブリ１０４及び後向きのディスプレイ１２２を備える一眼レフ（ＤＳＬＲ）カメラに類似した集積体１０１を備える。ＤＳＬＲ型筐体であるため、ユーザにはハイパースペクトル撮像装置１００が持ちやすく、患者及び関心領域（例えば、患者の肌）に装置を向け、患者から適切な距離に装置を配置できる。図１Ｂの実施態様が、図１Ａの装置について上記及び以下で記載する多様な特徴を包含してもよいことは、理解されるであろう。
【０１４８】
多様な実施態様において、上記の装置に類似した、図１Ｂに示すハイパースペクトル撮像装置１００は、対象の表面（例えば、患者の肌）を照らす光源１０６及び１０７、ならびに、対象からの反射光及び／または後方散乱光を収集するレンズアセンブリ１０４を備える光アセンブリを備える。
【０１４９】
多様な実施態様において、また、上記の装置に類似した図１Ｂのハイパースペクトル撮像装置は、対象からのハイパースペクトル撮像装置１００の位置が合焦画像の取得に適した距離にあることを示す光を対象に投光するよう構成された第一プロジェクタ１１２−１及び第二プロジェクタ１１２−２を備える。上記のように、レンズアセンブリ１０４の集束距離が固定で、レンズアセンブリを操作して画像の焦点をあわせることができない場合、これが特に有効であってもよい。図１Ｂに示すように、プロジェクタは本体１０１の前側に搭載される。
【０１５０】
多様な実施態様において、本体１０１は実質的に、第一プロジェクタ１１２−１及び第二プロジェクタ１１２−２、ならびにディスプレイ１２２とともに、光アセンブリの光源１０６及び１０７ならびにレンズアセンブリ１０４を包み支える。
【０１５１】
上記装置とは対照的に、図１Ｂのハイパースペクトル撮像装置の多様な実施態様は、略垂直に配向された回路板に搭載されたフォトセンサ（例えば、フォトセンサ２１０−１及び２１０−３を参照のこと）を備える。多様な実施態様において、ハイパースペクトル撮像装置は、ライブビューカメラ１０３及び遠隔温度計１０５を備える。ライブビューカメラ１０３では、ＤＳＬＲのライブプレビュー機能と同様に、ディスプレイ１２２をファインダとして使用できる。温度計１０５は、関心領域内の患者の組織表面の温度を測定するよう構成される。
【０１５２】
図２Ａは、多様な実施態様によるハイパースペクトル撮像装置１００用の光アセンブリ１０２の断面図である。光アセンブリ１０２はより大型のアセンブリ（本明細書で論じるように）に包含されるか、他の任意の装置やアセンブリと関係無く使用されてもよい。
【０１５３】
図２Ａで示すように、光アセンブリ１０２はケーシング２０２を備える。また、図３の分解組立図に示すように、光アセンブリ１０２は、レンズアセンブリ１０４、少なくとも１つの光源（例えば、光源１０６）、光路アセンブリ２０４、１以上の回路板（例えば、回路板２０６及び回路板２０８）、ならびに、複数のフォトセンサ２１０（例えば、フォトセンサ２１０−１〜２１０−４）も備える。撮像装置１００が１以上のプロセッサ及び１つのメモリを備えることは、理解されるであろう。例えば、そのようなプロセッサは１以上の回路板と一体化されるか、動作可能に接続されてもよい。例えば、いくつかの実施形態において、１以上の浮動小数点ゲートアレイに接続されたＡＴ３２ＵＣ３Ａ３６４（ＡＴＭＥＬ社、Ｓａｎ  Ｊｏｓｅ  Ｃａｌｉｆｏｒｎｉａ）マイクロコントローラまたは同等のものを用いて、フォトセンサから画像を収集する。２つの回路板２０６及び２０８を図示しているが、いくつかの実施態様において、ハイパースペクトル撮像装置は１つの回路板（例えば、２０６か２０８のいずれか）を備え、各フォトセンサ２１０は当該１つの回路板に搭載されるかまたは接続される（例えば、フレックス回路または有線で）。
【０１５４】
光アセンブリ１０２の構成要素はケーシング２０２内に収容及び／または搭載される。多様な実施態様において、ケーシング２０２自体も、図１Ａで示すように、別のアセンブリに収容及び／または搭載されるように構成される。
【０１５５】
レンズアセンブリ１０４（本明細書では「レンズ」として同じ意味で称する）は、対象で反射した光を取り込み、光を集中させ、光を光路アセンブリ２０４に向けるよう構成された撮像レンズである。多様な実施態様において、レンズアセンブリ１０４は、固定焦点距離、固定集束距離を有する多素子レンズ及び／または固定焦点レンズである。
【０１５６】
少なくとも１つの光源は、光アセンブリ１０２による撮像対象に光を向けるよう構成される。具体的には、少なくとも１つの光源は、所望のスペクトルコンテンツを有する光で対象を照らすよう構成される。少なくとも１つの光源からの光は、対象で反射及び／または後方散乱され、レンズアセンブリ１０４で受光され、光アセンブリ１０２の複数のフォトセンサにより取り込まれる。
【０１５７】
多様な実施態様において、本明細書で論じるように、少なくとも１つの光源は、複数の動作モードに従い動作するよう構成され、各動作モードでは、異なるスペクトルコンテンツを有する光で対象を照らす。例えば、第一動作モードでは、少なくとも１つの光源が５００ｎｍから６００ｎｍのスペクトル範囲（または、その他任意のスペクトル範囲）で発光し、第二動作モードでは、少なくとも１つの光源が６００ｎｍから７００ｎｍのスペクトル範囲（または、その他任意のスペクトル範囲）で発光する。
【０１５８】
多様な実施態様において、光源には、１つの広帯域光源、複数の広帯域光源、１つの狭帯域光源、複数の狭帯域光源、または、１以上の広帯域光源及び１以上の狭帯域光源の組合せが含まれる。同様に、多様な実施形態において、光源には、複数のコヒーレント光源、１つのインコヒーレント光源、複数のインコヒーレント光源、または、１以上のコヒーレント光源及び１以上のインコヒーレント光源の組合せが含まれる。
【０１５９】
１つの実施態様において、光源が複数のスペクトル範囲で発光するよう構成される場合、光源は複数の発光装置（例えば、発光ダイオード）セット（例えば、各セットは、同一のスペクトルバンドで発光するよう構成された１以上の光源を備える）を備え、各セットは、複数のスペクトル範囲のうちの１つの範囲でのみ発光するよう構成される。
【０１６０】
いくつかの実施形態において、図１Ｂによると、光源が複数のスペクトル範囲で発光するよう構成される場合、光源は複数の発光装置（例えば、発光ダイオード）セットを備え、各セットを個々のフィルタ（例えば、バンドパスフィルタ）でフィルタリングする。具体的な実施例として、図１Ｂによると、光源１０６は、第一スペクトル範囲で発光するよう構成され、光源１０７は第二スペクトル範囲で発光するよう構成される。いくつかの実施形態において、光源１０６は、第一スペクトル範囲に対応する第一バンドパスフィルタでフィルタリングする第一発光装置セットを備え、光源１０７は、第二スペクトル範囲に対応する第二バンドパスフィルタでフィルタリングする第二発光装置セットを備える。典型的な実施形態において、第一スペクトル範囲は、第一第二スペクトル範囲とは異なり、重なっていない。いくつかの実施形態において、第一スペクトル範囲は、第二スペクトル範囲とは異なるが、重なっている。いくつかの実施形態において、第一スペクトル範囲は、第二スペクトル範囲と同一である。いくつかの実施形態において、第一発光装置セットは１つの第一発光ダイオード（ＬＥＤ）を備え、第二発光装置セットは１つの第二発光ダイオードを備える。そのような実施形態において、１つの第一発光ダイオード及び１つの第二発光ダイオードとして使用に適した発光ダイオードの実施例に、ＬＵＭＩＮＵＳ  ＣＢＴ−１４０  Ｗｈｔｉｅ  ＬＥＤ（Ｌｕｍｉｎｕｓ  Ｄｅｖｉｃｅｓ社、Ｂｉｌｌｅｒｉｃａ、ＭＡ）がある。いくつかの実施形態において、第一発光装置セットは複数の第一発光ダイオードを備え、第二発光装置セットは複数の第二発光ダイオードを備える。
【０１６１】
いくつかの実施形態において、光源１０６はバンドパスフィルタで覆われておらず、本来第一スペクトル範囲でしか発光しない。いくつかの実施形態において、第二光源１０７はバンドパスフィルタで覆われておらず、本来第二スペクトル範囲でしか発光しない。
【０１６２】
いくつかの実施形態において、光源１０６は少なくとも８０ワットの光力で発光し、第二光源は少なくとも８０ワットの光力で発光する。いくつかの実施形態において、光源１０６は単独で、少なくとも８０ワット、少なくとも８５ワット、少なくとも９０ワット、少なくとも９５ワット、少なくとも１００ワット、少なくとも１０５ワット、または少なくとも１１０ワットの光力で発光する。いくつかの実施形態において、光源１０７は単独で、少なくとも８０ワット、少なくとも８５ワット、少なくとも９０ワット、少なくとも９５ワット、少なくとも１００ワット、少なくとも１０５ワット、または少なくとも１１０ワットの光力で発光する。
【０１６３】
いくつかの実施形態において、スペクトルイメージャ１００は、照明時は主電源（例えば、電力グリッド）に接続されていない。つまり、いくつかの実施形態において、スペクトルイメージャは、少なくとも照明状態において、独立して、例えばバッテリから給電される。いくつかの実施形態において、光源１０６及び／または光源１０７で必要な照明用電力量（例えば、いくつかの実施形態において、１００ワットを超える光力）を確保するため、光源は高容量バンク（図示せず）を介してバッテリと電気的に接続される。１つのその実施例において、コンデンサバンクは、基板実装可能なコンデンサを備える。１つのそのような実施例において、コンデンサバンクは、定格が少なくとも８０ファラド（Ｆ）、ピーク電流が少なくとも８０アンペア（Ａ）のコンデンサを備え、照明時少なくとも０．７ワット時（Ｗｈｒ）のエネルギ送達が可能である。１つのそのような実施例において、コンデンサバンクは、定格が少なくとも９０Ｆ、ピーク電流が少なくとも８５Ａのコンデンサを備え、照明時少なくとも０．８Ｗｈｒのエネルギ送達が可能である。１つのそのような実施例において、コンデンサバンクは、定格が少なくとも９５Ｆ、ピーク電流が少なくとも９０Ａのコンデンサを備え、照明時少なくとも０．９Ｗｈｒのエネルギ送達が可能である。１つのそのような実施例において、コンデンサバンクは、定格が１００Ｆ、ピーク電流が９５ＡのＲＳＣ２Ｒ７１０７ＳＲコンデンサ（ＩＯＸＵＳ社、Ｏｎｅｏｎｔａ、Ｎｅｗ  Ｙｏｒｋ）を備え、照明時０．１Ｗｈｒのエネルギ送達が可能である。
【０１６４】
１つの実施例において、スペクトルイメージャへの給電に使用するバッテリはコンデンサバンクを備えており、電圧が少なくとも６ボルト、容量が少なくとも５０００ｍＡＨである。１つのそのような実施例において、バッテリは、定格７．４Ｖ、容量６６００ｍＡＨ、重さ１０．７２オンスのＴＥＮＥＲＧＹ社製（Ｆｒｅｍｏｎｔ、Ｃａｌｉｆｏｒｎｉａ）のバッテリである。
【０１６５】
いくつかの実施形態において、コンデンサバンクは、光源１０６及び光源１０７の両方と電気的に接続された１つのコンデンサを備え、当該１つのコンデンサの定格は少なくとも８０Ｆ、ピーク電流は少なくとも８０Ａであり、照明時少なくとも０．７Ｗｈｒのエネルギ送達が可能である。いくつかの実施形態において、コンデンサバンクは、光源１０６に電気的に接続された第一コンデンサ、及び、光源１０７に電気的に接続された第二コンデンサを備え、当該第一コンデンサ及び第二コンデンサではそれぞれ、定格が少なくとも８０Ｆ、ピーク電流が少なくとも８０Ａであり、照明時それぞれ少なくとも０．７Ｗｈｒのエネルギ送達が可能である。
【０１６６】
１つの実施態様において、光源は複数のスペクトル範囲で発光するよう構成され、第一動作モードでは、第一発光装置セットのみ使用し、第二動作モードでは、第二発光装置セットのみ使用する。この場合、いくつかの実施形態において、第一発光装置セットは１つの第一ＬＥＤであり、第二発光装置セットは１つの第二ＬＥＤであると理解されよう。撮像装置１００の別の光源で、発光装置及びバンドパスフィルタを同一または同様に配置し使用してもよい。発光装置セットを追加し、及び／または、別のスペクトル範囲に対応するバンドパスフィルタを追加することにより、動作モードを追加する（例えば、第三動作モード、及び／または、第四動作モードなど）ことも可能である。
【０１６７】
多様な実施態様において、図２Ｂに示すように、光アセンブリ１０２は、光源１０６及び光源１０７を含む２つの光源を有する。多様な実施態様において、両光源は、実質的に重ならない２つのスペクトル範囲で発光するよう構成される。例えば、第一動作モードにおいて、両光源１０６及び１０７は、スペクトル範囲５００ｎｍから６００ｎｍ（または他の任意のスペクトル範囲）で発光し、第二動作モードにおいて、両光源１０６及び１０７は、スペクトル範囲６００ｎｍから７００ｎｍ（または他の任意のスペクトル範囲）で発光する。
【０１６８】
いくつかの実施態様において、ハイパースペクトル撮像装置が２つの光源（例えば、光源１０６及び１０７）を備える場合、各光源は、実質的に重ならない２つのスペクトル範囲のうちの一方でしか発光しないよう構成される。例えば、第一動作モードにおいて、光源１０６は第一スペクトル範囲（例えば、５００ｎｍから６００ｎｍ、または他の任意のスペクトル範囲）で発光し、第二動作モードにおいて、光源１０７は第二スペクトル範囲（例えば、６００ｎｍから７００ｎｍ、または他の任意のスペクトル範囲）で発光する。
【０１６９】
いくつかの実施態様において、ハイパースペクトル撮像装置が２つの光源（例えば、光源１０６及び１０７）を備える場合、各光源は、対応する所定のスペクトル範囲で発光するよう構成される。例えば、第一動作モードにおいて、光源１０６は第一スペクトル範囲で発光し（例えば、５２０ｎｍ、５４０ｎｍ、５６０ｎｍ及び６４０ｎｍ光を含む）、第二動作モードにおいて、光源１０７は、第二スペクトル範囲で発光する（例えば、５８０ｎｍ、５９０ｎｍ、６１０ｎｍ及び６２０ｎｍ光を含む）。
【０１７０】
いくつかの実施形態において、第一光動作モード及び第二光動作モードを光源ペアに適用する。つまり、各光源は、それぞれ１つのスペクトル範囲でのみ発光し、光源ペアであわせて上記の第一動作モード及び第二動作モードに従い動作する。
【０１７１】
多様な実施態様において、実質的に重ならない２つのスペクトル範囲の一方または両方は、連続しないスペクトル範囲である。例えば、第一光源は、断続的な４９０ｎｍから５８０ｎｍの範囲（例えば、４９０−５１０ｎｍ及び５２０−５８０ｎｍのスペクトルバンド）の波長で発光してもよく、第二光源は、連続した５７５ｎｍから６４０ｎｍの範囲（例えば、５７５−６４０ｎｍの１つのスペクトルバンド）の波長で発光してもよい。別の実施例において、第一光源は、断続的な５１０ｎｍから６５０ｎｍの範囲（例えば、５１０−５７０ｎｍ及び６３０−６５０ｎｍのスペクトルバンド）の波長で発光してもよく、第二光源は、連続した５７０ｎｍから６３０ｎｍの範囲（例えば、５７０−６３０ｎｍの１つのスペクトルバンド）の波長で発光してもよい。また別の実施例において、光源１０６は、断続的な５１５ｎｍから６４５ｎｍの範囲（例えば、５１５−５６５ｎｍ及び６３５−６４５ｎｍのスペクトルバンド）の波長で発光してもよく、光源１０７は、連続した５７５ｎｍから６２５ｎｍの範囲（例えば、５７５−６２５ｎｍの１つのスペクトルバンド）の波長で発光してもよい。
【０１７２】
いくつかの実施態様において、光源１０６及び１０７は、パスバンドが実質的に重なる対応第一波長フィルタ及び第二波長フィルタで覆われた広帯域光源（例えば、白色ＬＥＤ）である。いくつかの実施態様において、光源１０６及び１０７は、パスバンドが実質的に重ならない対応第一波長フィルタ及び第二波長フィルタで覆われた広帯域光源（例えば、白色ＬＥＤ）である。そのような実施態様で使用するフィルタのパスバンドは、ハイパースペクトルデータキューブを作成するために画像化するスペクトルバンドを基にする。
【０１７３】
１つの実施態様において、収集するスペクトルバンドは２つのグループに分けられる。第一グループは、スペクトルバンドが所定波長未満の波長であり、第二グループは、スペクトルバンドが所定波長超の波長である。例えば、８つのスペクトルバンド分の画像が特定のハイパースペクトルデータキューブの作成に必要な場合、最短波長を含む４つのスペクトルバンドを第一グループとし、残る４つのスペクトルバンドを第二グループとする。次に、第一パスバンドを選択し、第一フィルタにより第一グループに該当する波長の光を通過させるが、第二グループに該当する波長の光を実質的に全てブロックするようにする。同様に、第二パスバンドを選択し、第二フィルタにより第二グループに該当する波長の光を通過させるが、第一グループに該当する波長の光を実質的に全てブロックするようにする。
【０１７４】
別の実施態様において、収集するスペクトルバンドを２つのグループに分ける。第一グループは第一スペクトルバンドサブセットを備え、第二グループは第二スペクトルバンドサブセットを備える。本実施態様において、２つのサブセットへの分離方法として、第一サブセットのスペクトルバンドと第二サブセットのスペクトルバンドをペアにする場合に、確実に最小所定バンド分離れるようにする。例えば、１つの実施形態において、第一サブセットは５２０、５４０、５６０、及び６４０を備え、第二サブセットは、５８０、５９０、５１０及び６２０を備える。さらに、波長を４ペア形成し、各ペアは第一サブセットの１バンド及び第二サブセットの１バンドを備え、ペアバンド間が少なくとも５０ｎｍ離れる。例えば、１つの実施形態において、ペア（ｉ）５２０ｎｍ／５９０ｎｍ、ペア（ｉｉ）５４０ｎｍ／６１０ｎｍ、ペア（ｉｉｉ）５６０ｎｍ／６２０ｎｍ、及びペア（ｉｖ）５８０ｎｍ／６４０ｎｍ、のペアを形成する。ペアにおける各バンドの中心が少なくとも５０ｎｍ離れたペアバンドでは、いくつかの実施形態において、フォトセンサを覆って使用するデュアルバンドパスフィルタの効果を高めることができることは、利点である。これは、各バンドパスフィルタが通過させる２つの波長範囲が、相互に十分離れ効果的にフィルタリングを実施できることによる。よって、いくつかの実施態様において、第一グループの１つのスペクトルバンド及び第二グループの１つのスペクトルバンドを通過させるデュアルパスバンドフィルタを各フォトセンサの手前に配置し、第一グループに属するスペクトルバンドで１画像を取り込み（例えば、光源１０６が対象を照明して）、第二グループに属するスペクトルバンドで１画像を取り込む（例えば、光源１０７が対象を照明して）。
【０１７５】
１つの実施態様において、ハイパースペクトルデータキューブを組織のオキシヘモグロビン及びデオキシヘモグロビン成分判断に使用する場合、第一フィルタのパスバンドは４３０から５１０ｎｍ間で始まり５７０ｎｍから５９０ｎｍ間で終わり、第二フィルタのパスバンドは５７０ｎｍから５８０ｎｍ間で始まり６４５ｎｍから７００ｎｍ間で終わる。
【０１７６】
第一実施態様において、撮像装置１００は画像セットを収集するよう構成され、画像セットの各画像は個々のスペクトルバンドで収集され、画像セットは、中心波長が｛５１０±５ｎｍ、５３０±５ｎｍ、５４０±５ｎｍ、５６０±５ｎｍ、５８０±５ｎｍ、５９０±５ｎｍ、６２０±５ｎｍ、及び６６０±５ｎｍ｝である個別スペクトルバンドのセットのうちいずれか４つ以上、いずれか５つ以上、いずれか６つ以上、いずれか７つ以上、または全てで収集された画像を備え、当該セットの個別スペクトルバンドは１５ｎｍ未満、１０ｎｍ未満、または５ｎｍ以下の半値全幅を有する。本第一実施態様のいくつかの実施形態において、光源１０６を覆う第一バンドパスフィルタは、第一パスバンドで波長５００±５−５５０±５ｎｍを通過させ、第二パスバンドで波長６５０±５−６７０±５ｎｍを通過させるが、その他全ての波長をブロックし、光源１０７を覆う第二バンドパスフィルタは、１つのパスバンドで波長５５０±５ｎｍ−６３０±５ｎｍを通過させるが、その他全ての波長をブロックする。本第一実施態様の他のそのような実施形態において、光源１０６を覆う第一バンドパスフィルタは、第一パスバンドで波長５０５±５−５４５±５ｎｍを通過させ、第二パスバンドで波長６５５±５−６６５±５ｎｍを通過させるが、その他全ての波長をブロックし、光源１０７を覆う第二バンドパスフィルタは、１つのパスバンドで波長５５５±５ｎｍ−６２５±５ｎｍを通過させるが、その他全ての波長をブロックする。
【０１７７】
第二実施態様において、撮像装置１００は画像セットを収集するよう構成され、画像セットの各画像は個々のスペクトルバンドで収集され、画像セットは、中心波長が｛５２０±５ｎｍ、５４０±５ｎｍ、５６０±５ｎｍ、５８０±５ｎｍ、５９０±５ｎｍ、６１０±５ｎｍ、６２０±５ｎｍ、及び６４０±５ｎｍ｝である個別スペクトルバンドのセットのうちいずれか４つ以上、いずれか５つ以上、いずれか６つ以上、いずれか７つ以上、または全てで収集された画像を備え、当該セットの個別スペクトルバンドは１５ｎｍ未満、１０ｎｍ未満、または５ｎｍ以下の半値全幅を有する。本第二実施態様のいくつかの実施形態において、光源１０６を覆う第一バンドパスフィルタは、第一パスバンドで波長５１０±５−５７０±５ｎｍを通過させ、第二パスバンドで波長６３０±５−６５０±５ｎｍを通過させるが、その他全ての波長をブロックし、光源１０７を覆う第二バンドパスフィルタは、１つのパスバンドで波長５７０±５ｎｍ−６３０±５ｎｍを通過させるが、その他全ての波長をブロックする。本第二実施態様の他のそのような実施形態において、光源１０６を覆う第一バンドパスフィルタは、第一パスバンドで波長５１５±５−５６５±５ｎｍを通過させ、第二パスバンドで波長６３５±５−６４５±５ｎｍを通過させるが、その他全ての波長をブロックし、光源１０７を覆う第二バンドパスフィルタは、１つのパスバンドで波長５７５±５ｎｍ−６２５±５ｎｍを通過させるが、その他全ての波長をブロックする。
【０１７８】
第三実施態様において、撮像装置１００は画像セットを収集するよう構成され、画像セットの各画像は個々のスペクトルバンドで収集され、画像セットは、中心波長が｛５００±５ｎｍ、５３０±５ｎｍ、５４５±５ｎｍ、５７０±５ｎｍ、５８５±５ｎｍ、６００±５ｎｍ、６１５±５ｎｍ、及び６４０±５ｎｍ｝である個別スペクトルバンドのセットのうちいずれか４つ以上、いずれか５つ以上、いずれか６つ以上、いずれか７つ以上、または全てで収集された画像を備え、当該セットの個別スペクトルバンドは１５ｎｍ未満、１０ｎｍ未満、または５ｎｍ以下の半値全幅を有する。本第三実施態様のいくつかの実施形態において、光源１０６を覆う第一バンドパスフィルタは、第一パスバンドで波長４９０±５−５５５±５ｎｍを通過させ、第二パスバンドで波長６３０±５−６５０±５ｎｍを通過させるが、その他全ての波長をブロックし、光源１０７を覆う第二バンドパスフィルタは、１つのパスバンドで波長５６０±５ｎｍ−６２５±５ｎｍを通過させるが、その他全ての波長をブロックする。本第三実施態様の他のそのような実施形態において、光源１０６を覆う第一バンドパスフィルタは、第一パスバンドで波長４９５±５−５５０±５ｎｍを通過させ、第二パスバンドで波長６３５±５−６４５±５ｎｍを通過させるが、その他全ての波長をブロックし、光源１０７を覆う第二バンドパスフィルタは、１つのパスバンドで波長５６５±５ｎｍ−６２０±５ｎｍを通過させるが、その他全ての波長をブロックする。
【０１７９】
いくつかの実施態様において、光源１０６及び１０７は、広帯域光源（例えば、白色ＬＥＤ）である。第一光源１０６は短波長フィルタ（例えば、波長がカットオフ波長未満である光を通過させるが、波長がカットオフ波長を超える光をブロックするフィルタ）で処理され、第二光源１０７は長波長フィルタ（例えば、波長がカットオン波長を超える光を通過させるが、波長がカットオン波長未満である光をブロックするフィルタ）で処理される。短波長または長波長パスフィルタでのカットオフ波長及びカットオン波長は、撮像システムが取り込むスペクトルバンドセットを基に判断される。一般的に、各カットオフ及びカットオン波長は、第一画像セットで取り込まれる最長波長より長く、第二画像セットで取り込まれる最短波長より短くなるよう選択される（例えば、第一及び第二画像セットを組みあわせて、ハイパースペクトルデータセットを形成する）。
【０１８０】
例えば、図２Ｂ及び図３によると、１つの実施態様において、フォトセンサ２１０はそれぞれ、デュアルパスバンドフィルタ２１６で覆われている。各デュアルパスバンドフィルタ２１６は、第一及び第二スペクトルバンドの光を各フォトセンサ２１０まで通過させる。光源１０６及び１０７に対応するフィルタでのカットオフ及びカットオン波長の選択では、各フィルタ２１６から１つのパスバンドのみ光源１０６を覆うフィルタのカットオフ波長未満で、各フィルタ２１６からの他のバスバンドが光源１０７を覆うフィルタのカットオン波長を超えるようにする。
【０１８１】
１つの実施態様において、ハイパースペクトルデータキューブを用いて、組織のオキシヘモグロビン及びデオキシヘモグロビン成分を判断する場合、光源１０６を覆う短波長パスフィルタのカットオフ波長、及び、光源１０７を覆う長波長パスフィルタのカットオン波長は、５６５ｎｍから５８５ｎｍまでである。
【０１８２】
第一実施態様において、ハイパースペクトル撮像装置は、中心波長が５１０±５ｎｍ、５３０±５ｎｍ、５４０±５ｎｍ、５６０±５ｎｍ、５８０±５ｎｍ、５９０±５ｎｍ、６２０±５ｎｍ、及び６６０±５ｎｍであるスペクトルバンドで画像を収集するよう構成され、各スペクトルバンドは１５ｎｍ未満の半値全幅を有し、光源１０６を覆う短波長パスフィルタのカットオフ波長、及び、光源１０７を覆う長波長パスフィルタのカットオン波長は、それぞれ独立して５７０±５ｎｍである。
【０１８３】
第二実施態様において、ハイパースペクトル撮像装置は、中心波長が５２０±５ｎｍ、５４０±５ｎｍ、５６０±５ｎｍ、５８０±５ｎｍ、５９０±５ｎｍ、６１０±５ｎｍ、６２０±５ｎｍ、及び６４０±５ｎｍであるスペクトルバンドで画像を収集するよう構成され、各スペクトルバンドは１５ｎｍ未満の半値全幅を有し、光源１０６を覆う短波長パスフィルタのカットオフ波長、及び、光源１０７を覆う長波長パスフィルタのカットオン波長は、それぞれ独立して５８５±５ｎｍである。
第三実施態様において、ハイパースペクトル撮像装置は、中心波長が５００±５ｎｍ、５３０±５ｎｍ、５４５±５ｎｍ、５７０±５ｎｍ、５８５±５ｎｍ、６００±５ｎｍ、６１５±５ｎｍ、及び６４０±５ｎｍであるスペクトルバンドで画像を収集するよう構成され、各スペクトルバンドは１５ｎｍ未満の半値全幅を有し、光源１０６を覆う短波長パスフィルタのカットオフ波長、及び、光源１０７を覆う長波長パスフィルタのカットオン波長は、それぞれ独立して５７７．５±５ｎｍである。
【０１８４】
多様な実施態様において、撮像装置１００は、３つ以上の光源（例えば、光源数が２、３、４、５、６、またはそれ以上）を備える。その場合、スペクトル範囲（または、他の所望の特性）を３つ以上の光源に任意に割り当ててもよい。例えば、所望の各動作モードに従い発光するよう、各光源を構成することができる。このため、例えば、４つの光源から実質的に重ならない４つのスペクトル範囲が必要である場合、各光源は４つの各スペクトル範囲で発光するよう構成されてもよい。あるいは、各光源は４つのスペクトル範囲のうちそれぞれ異なる１つで発光するよう構成されてもよい。あるいは、光源のうち２つの光源が、４つのスペクトル範囲のうち各２つで発光するよう構成され、残り２つの光源は残る２つのスペクトル範囲のそれぞれで発光するよう構成されてもよい。各光源へのスペクトルバンドの割当ては、他も考えられる。
【０１８５】
図４によると、光アセンブリ１０２は、レンズアセンブリ１０４で受光した光を、第一回路板２０６及び第二回路板２０８に接続された複数のフォトセンサ２１０（例えば、２１０−１〜２１０−４）に向ける光路アセンブリ２０４も備える。具体的には、本明細書で記載するように、光路アセンブリ２０４は複数のビームスプリッタ２１２（例えば、２１２−１〜２１２−３）及び複数のビームステアリングエレメント２１４（例えば、２１４−２、２１４−４）を備える。ビームスプリッタ２１２及びビームステアリングエレメント２１４はレンズアセンブリ１０４が受けた光を複数の光路に分光し、当該光路を光アセンブリ１０２の複数のフォトセンサ２１０に向けるよう構成される。
【０１８６】
多様な実施態様において、多様なタイプのビームスプリッタを光アセンブリ１０２で使用してもよい。多様な実施態様において使用する１つのビームスプリッタタイプは、１本の光線をそれぞれに略同一のスペクトルコンテンツを有する２つの個別光路に分けるよう構成される。例えば、ビームスプリッタへの入射光の約５０％を第一方向に向け、残り約５０％を第二方向（例えば、第一方向に垂直）に向ける。多様な実施態様において、他の割合で、２方向に分光してもよい。参照の便宜上、本明細書では、ビームスプリッタの型を５０：５０ビームスプリッタとし、１本の光線を個々に異なるスペクトルコンテンツを有する２つの個別光路に分けるダイクロイックビームスプリッタとは区別する。例えば、スペクトル範囲が４５０−６５０ｎｍ（またはそれ以上）の光を受けるダイクロイックビームスプリッタは、第一方向に４５０−５５０ｎｍのスペクトル範囲の光を向け、第二方向（例えば、第一方向に垂直）に５５０−６５０ｎｍのスペクトル範囲の光を向けてもよい。
【０１８７】
さらに、断続的なスペクトルサブレンジを含む他の範囲を使用してもよいが、これに限定されない。例えば、第一スペクトル範囲は、約４５０−５５０ｎｍの第一スペクトルサブレンジ及び約６１５−６５０ｎｍの第二スペクトルサブレンジを含み、第二、第三、及び第四スペクトル範囲はそれぞれ、約５５０−６１５ｎｍ、５８５−６５０ｎｍ、及び、４５０−５８５ｎｍであってもよい。あるいは、多様なビームスプリッタを用いて、約４５０−５３０ｎｍの第一スペクトルサブレンジ及び約６００−６５０ｎｍの第二スペクトルサブレンジを有する第一スペクトル範囲、約５３０−６００ｎｍの第二スペクトル範囲、約５７０−６００ｎｍの第三スペクトルサブレンジ及び約６１５−６５０ｎｍの第四スペクトルサブレンジを含む少なくとも２つの断続的なスペクトルサブレンジを有する第三スペクトル範囲、約４５０−５７０ｎｍの第五スペクトルサブレンジ及び約６００−６１５ｎｍの第六スペクトルサブレンジを含む少なくとも２つの断続的なスペクトルサブレンジを有する第四スペクトル範囲、約５８５−５９５ｎｍの第七スペクトルサブレンジ及び約６１５−６２５ｎｍの第八スペクトルサブレンジを含む少なくとも２つの断続的なスペクトルサブレンジを有する第五スペクトル範囲、及び、約５１５−５２５ｎｍの第九スペクトルサブレンジ及び約５５５−５６５ｎｍの第十スペクトルサブレンジを含む少なくとも２つの断続的なスペクトルサブレンジを有する第六スペクトル範囲に、分光してもよい。
【０１８８】
多様な実施態様において、ビームスプリッタ２１２は、５０：５０ビームスプリッタである。多様な実施態様において、ビームスプリッタ２１２は、ダイクロイックビームスプリッタ（例えば、１本の光線を、それぞれが異なるスペクトルコンテンツを有するいくつかの光路に分光するビームスプリッタ）である。多様な実施態様において、ビームスプリッタ２１２は、５０：５０ビームスプリッタ及びダイクロイックビームスプリッタの組みあわせを含む。本明細書では、多様なタイプのビームスプリッタを採用した光アセンブリ１０２の具体的な実施例をいくつか考察する。
【０１８９】
光路アセンブリ２０４は、各フォトセンサ（具体的には、フォトセンサを覆うフィルタ）に提供される画像が実質的に同じ（例えば、同一画像を各フォトセンサに提供する）になるよう構成される。全てのフォトセンサ２１０が同時に動作可能であるので、光アセンブリ１０２は略同時に同一対象の画像を複数取り込む（つまり、対象への照明条件が同一な複数の画像を取り込む）ことが出来る。さらに、パスバンドが異なるバンドパスフィルタ２１６−ｎで各フォトセンサ２１０−ｎが覆われるため、各フォトセンサ２１０−ｎは、スペクトル成分が異なる画像を取り込む。それぞれが異なるスペクトル成分を表す複数の画像を、ハイパースペクトルデータキューブに組み込み、分析にかける。
【０１９０】
いくつかの実施形態において、各フォトセンサ２１０−ｎは画素アレイである。いくつかの実施形態において、各フォトセンサ２１０−ｎは、５００，０００画素、１，０００，０００画素、１，１００，０００画素、１，２００，０００画素、または、１，３００，０００画素超を備える。典型的な実施形態において、複数フォトセンサのうちの１つのフォトセンサは、ＭＴ９Ｍ００１Ｃ１２ＳＴＭモノクロセンサ（Ａｐｔｉｎａ  Ｉｍａｇｉｎｇ社、Ｓａｎ  Ｊｏｓｅ、Ｃａｌｉｆｏｒｎｉａ）などの１／２インチメガピクセルのＣＭＯＳデジタル画像センサである。
【０１９１】
図３は、多様な実施態様による光アセンブリ１０２の概略分解組立図である。また、図３は光アセンブリの多様な構成要素の配置を示す。具体的には、光アセンブリ１０２は、第一回路板２０６及び第二回路板２０８を備え、当該第一回路板２０６及び第二回路板２０８は互いに略平行で、光路アセンブリ２０４の対向する両側部に配置される。多様な実施態様において、回路板２０６及び２０８はリジッド回路板である。
【０１９２】
第一フォトセンサ２１０−１及び第三フォトセンサ２１０−３は、第一回路板２０６に接続される。第二フォトセンサ２１０−２及び第四フォトセンサ２１０−４は、第二回路板２０８に接続される。多様な実施態様において、フォトセンサ２１０は各回路板に直結される（例えば、フォトセンサを回路板に強固に取り付ける）。多様な実施態様において、光路アセンブリ２０４に対しフォトセンサ２１０を精密に配置するため、フォトセンサ２１０を各回路板に可撓的に接続する。例えば、場合により、フォトセンサ２１０をフレキシブル回路（例えば、ポリアミド、ＰＥＥＫ、ポリエステル、または他の任意の金属を含むフレキシブル基板を含む）に搭載する。その後、フレキシブル回路を回路板２０６及び２０８に電気接続する。多様な実施態様において、次にフレキシブル相互接続（例えば、フレキシブルボード、フレキシブルワイヤアレイ、フレキシブルＰＣＢ、フレキシブル平型ケーブル、リボンケーブルなど）で回路板２０６及び２０８のいずれかにそれぞれ接続されたリジッド板に、フォトセンサ２１０を搭載する。
【０１９３】
上記のように、光アセンブリ１０２は、複数のバンドパスフィルタ２１６（例えば、２１６−１〜２１６−４）を備える。バンドパスフィルタ２１６は、フォトセンサ２１０と光路アセンブリ２０４の各光出口との間に配置される。このため、バンドパスフィルタ２１６は、フォトセンサ２１０への最終的な入射光をフィルタリングするよう構成される。いくつかの実施形態において、各バンドパスフィルタ２１６は、デュアルバンドパスフィルタである。
【０１９４】
多様な実施態様において、各バンドパスフィルタ２１６は、パスバンドが異なるよう構成される。よって、光路アセンブリ２０４が各フォトセンサに（具体的には、フォトセンサを覆うフィルタに）同一画像を提供しても、各フォトセンサは実際にはスペクトル成分が異なる画像を取り込む。例えば、本明細書で詳述するように、第一バンドパスフィルタ２１６−１の中心パスバンドは約５２０ｎｍであり、第二バンドパスフィルタ２１６−２の中心パスバンドは約５４０ｎｍであってもよい。このため、撮像装置１００が露光を取り込む際、第一フォトセンサ２１０−１（第一バンドパスフィルタ２１６−１にフィルタリングされる）は、中心波長が約５２０ｎｍである入射光部を表す画像を取り込み、第二フォトセンサ２１０−２（第二バンドパスフィルタ２１６−２にフィルタリングされる）は、中心波長が約５４０ｎｍである入射光部を表す画像を取り込む。（本明細書で使用するとき、用語露光とは、同時にまたは略同時に複数のフォトセンサで複数の画像を取り込む１度の撮像動作をいう。）これらの画像は、第三フォトセンサ２１０−３及び第四フォトセンサ２１０−４に取り込まれる（それぞれが異なるスペクトルバンドを取り込む）他の画像とあわせ、ハイパースペクトルデータキューブに組み込み、また別の分析にかける。
【０１９５】
多様な実施態様において、バンドパスフィルタ２１６の少なくとも１つのサブセットは、２つ（またはそれ以上）の個別スペクトルバンドに対応する光がフィルタを通過できるよう構成される。本明細書では、そういったフィルタをデュアルバンドパスフィルタと称してもよく、この用語は２つの個別パスバンドを有するバンドパスフィルタ、及び、２つ超の個別パスバンドを有するバンドパスフィルタ（例えば、トリプルバンドバンドパスフィルタ、クォッドルプルバンドバンドパスフィルタなど）を包含することを意図する。複数パスバンドを有するバンドパスフィルタを使用するため、各フォトセンサを用いて複数の異なるスペクトルバンドを表す画像を取り込むことが出来る。例えば、ハイパースペクトル撮像装置１００はまず、各バンドパスフィルタのパスバンドのいずれか１つにのみ該当するスペクトル範囲の光で対象を照明し、第一点灯条件で露光を取り込む。次に、ハイパースペクトル撮像装置１００は、各バンドパスフィルタの別の１つのパスバンドに該当するスペクトル範囲の光で対象を照明し、次いで第二点灯条件で露光を取り込む。このため、第一照明条件には、第二パスバンドで搬送されるスペクトルコンテンツが含まれないため、第一露光では、各フォトセンサが１つのスペクトル成分の画像しか取り込まない。また、第二照明条件には、第一パスバンドで搬送されるスペクトルコンテンツが含まれないため、第二露光では、各フォトセンサが１つのスペクトル成分の画像しか取り込まない。
【０１９６】
より具体的な実施例として、多様な実施態様において、バンドパスフィルタ２１６−１から２１６−４はそれぞれ、下表（１）に示すように、５００−５８５ｎｍの範囲の１つのパスバンド、及び、５８５−６５０ｎｍの範囲の第二パスバンドを備える。
【表１】
2018151400.tif 000003
【０１９７】
１つの実施態様において、光源１０６には２つの動作モードがある。第一動作モードでは、光源１０６は第一スペクトルバンドセットに従った波長（例えば、５００ｎｍから５８５ｎｍまでなど、５８５ｎｍ未満）で発光する。第二動作モードでは、光源１０６は第二スペクトルバンドセットに従った波長（例えば、５８５ｎｍから６５０ｎｍまでなど、５８５ｎｍ超）で発光する。このため、第一照明モードを用いて第一露光を取り込むと、４つの画像が取り込まれ、各画像は入射光の１スペクトル成分に対応する。具体的には、第一センサ２１０−１で取り込まれた画像は実質的に第一パスバンド（例えば、中心が約５２０ｎｍ）の入射光部のみを含み、第二センサ２１０−２で取り込まれた画像は実質的に第二パスバンド（例えば、中心が約５４０ｎｍ）の入射光部のみ含むといったことである。第二照明モードを用いて第二露光を取り込むと、別の４つの画像が取り込まれ、各画像は入射光の１スペクトル成分に対応する。具体的には、第一センサ２１０−１で取り込まれた画像は、デュアルバンドフィルタ２１６−１で通過する他のパスバンド（例えば、中心が約５９０ｎｍ）の入射光部のみを実質的に含み、第二センサ２１０−２で取り込まれた画像は、デュアルバンドフィルタ２１６−２で通過する他のパスバンド（例えば、中心が約６１０ｎｍ）の入射光部のみ実質的に含むといったことである。上記の２度の露光で得られた８つの画像を、ハイパースペクトルデータキューブに組み込み、また別の分析にかける。
【０１９８】
別の実施態様において、図２Ｂに示すように、ハイパースペクトル撮像装置は２つの光源１０６及び１０７を有し、各光源は異なるスペクトルバンドセットで対象を照らすよう構成される。ハイパースペクトル撮像装置には二つの動作モードがある。第一動作モードでは、光源１０６が第一スペクトルバンドセットに従った波長で発光する。第二動作モードでは、光源１０７が第二スペクトルバンドセットに従った波長で発光する。これにより、第一照明モードを用いて第一露光を取り込むと、４つの画像が取り込まれ、各画像は入射光の１スペクトル成分に対応する。具体的には、第一動作モード時に第一センサ２１０−１で取り込まれた画像は、第一パスバンド（例えば、中心が約５２０ｎｍ）の入射光部のみを実質的に含み、第一動作モード時に第二センサ２１０−２で取り込まれた画像は、第二パスバンド（例えば、中心が約５４０ｎｍ）の入射光部のみを実質的に含むといったことである。第二照明モードを用いて第二露光を取り込むと、別の４つの画像が取り込まれ、各画像は入射光の１スペクトル成分に対応する。具体的には、第一センサ２１０−１で取り込まれた画像は、デュアルバンドフィルタ２１６−１で通過する他のパスバンド（例えば、中心が約５９０ｎｍ）の入射光部のみを実質的に含み、第二センサ２１０−２で取り込まれた画像は、デュアルバンドフィルタ２１６−２で通過する他のパスバンド（例えば、中心が約６１０ｎｍ）の入射光部のみを実質的に含むといったことである。上記の２度の露光で得られた８つの画像を、ハイパースペクトルデータキューブに組み込み、また別の分析にかける。典型的な実施形態において、そのような各画像は多画素画像である。いくつかの実施形態において、本アセンブリでは、複数画像の各画像を画素ベースで合成し、合成画像を作成する。
【０１９９】
上記の実施例において、各フィルタ２１６−ｎは２つのパスバンドを有する。しかし、多様な実施態様において、フィルタは必ずしも同数のパスバンドを有していない。例えば、スペクトルバンドの取り込み数が少なくてよい場合、フィルタ２１６−ｎのうち１以上は１つのパスバンドのみ有してもよい。同様に、フィルタ２１６−ｎのうち１以上はパスバンド数が多くてもよい。後者の場合、光源１０４ではより多くの動作モードがあり、各動作モードでは、各センサの１つ（またはいずれでもない）のパスバンドの光で対象を照らす。
【０２００】
図４は、多様な実施態様における光アセンブリ１０２の部分的な概略分解組立図であり、光路アセンブリ２０４により形成される光路を示す。光路アセンブリ２０４は、レンズアセンブリ１０４で受光した光を光アセンブリ１０２の複数のフォトセンサ２１０に向ける。
【０２０１】
図４にうつると、光アセンブリ１０２は第一ビームスプリッタ２１２−１、第二ビームスプリッタ２１２−２、及び、第三ビームスプリッタ２１２−３を備える。各ビームスプリッタは、ビームスプリッタで受けた光を少なくとも２つの光路に分光するよう構成される。例えば、光路アセンブリ２０４で使用されるビームスプリッタは、一本の入射ビームを、入力ビームと同一直線上の一本の出力ビーム、及び、入力ビームと垂直な別の出力ビームに分光してもよい。
【０２０２】
具体的には、第一ビームスプリッタ２１２−１は、レンズアセンブリ１０４と直接的に光通信し、図１０に示すように、入射光（矢印４００で示す）を第一光路４０１及び第二光路４０２に分光する。第一光路４０１は、第一ビームスプリッタ２１２−１に入射する光と略同一直線上にあり、第二ビームスプリッタ２１２−２に達する。第二光路４０２は第一ビームスプリッタ２１２−１に入射する光と略垂直であり、第三ビームスプリッタ２１２−３に達する。多様な実施態様において、第一ビームスプリッタ２１２−１は、５０:５０ビームスプリッタである。他の実施態様において、第一ビームスプリッタ２１２−１はダイクロイックビームスプリッタである。
【０２０３】
引き続き図１０を参照すると、第二ビームスプリッタ２１２−２は、第一ビームスプリッタ２１２−１に隣接し（かつ、第一ビームスプリッタ２１２−１と直接的に光通信し）、第一ビームスプリッタ２１２−１からの入射光を第三光路４０３及び第四光路４０４に分光する。第三光路４０３は第二ビームスプリッタ２１２−２に入射する光と略同一線上にあり、第一ビームステアリングエレメント２１４−１まで達する（図４を参照のこと）。第四光路は、第二ビームスプリッタ２１２−２に入射する光に略垂直であり、第二ビームステアリングエレメント２１４−２まで達する。多様な実施態様において、第二ビームスプリッタ２１２−２は５０:５０ビームスプリッタである。他の実施態様において、第二ビームスプリッタ２１２−２はダイクロイックビームスプリッタである。
【０２０４】
ビームステアリングエレメント２１４（例えば、図４に示す２１４−１〜２１４−４）は、ビームステアリングエレメントの１つの面に入射する光の方向を変えるよう構成される。ビームステアリングエレメント２１４は、光方向の変更に適した任意の光デバイスである。例えば、多様な実施態様において、ビームステアリングエレメント２１４は、プリズム（例えば、折り畳み式プリズム、屈曲式プリズムなど）である。多様な実施態様において、ビームステアリングエレメント２１４は鏡である。多様な実施態様において、ビームステアリングエレメント２１４は他の適切な光デバイスまたは組合せデバイスである。
【０２０５】
図４に戻ると、第一ビームステアリングエレメント２１４−１は第二ビームスプリッタ２１２−２に隣接して直接的に光通信し、第三光路から光（例えば、第二ビームスプリッタ２１２−２への入力と同一線上にある第二ビームスプリッタ２１２−２の出力）を受ける。第一ビームステアリングエレメント２１４−１は、光を第四光路と略垂直な方向（かつ、多様な実施態様において、ビームスプリッタ２１２の光路で定まる平面（例えば、ｘ−ｙ面）に垂直）に偏向させ、第一回路板２０６に接続された第一フォトセンサ２１０−１にあてる（図３）。第一ビームステアリングエレメント２１４−１の出力を矢印４１１で示す（図４を参照のこと）。
【０２０６】
第二ビームステアリングエレメント２１４−２は、第二ビームスプリッタ２１２−２に隣接して直接的に光通信し、第四光路から光（例えば、第二ビームスプリッタ２１２−２の垂直出力）を受ける。第二ビームステアリングエレメント２１４−２は、光を第三光路と略垂直な方向（かつ、多様な実施態様において、ビームスプリッタ２１２の光路で定まる平面（例えば、ｘ−ｙ面）に垂直）に偏向させ、第二回路板２０８に接続された第二フォトセンサ２１０−２にあてる（図３）。第二ビームステアリングエレメント２１４−２の出力を矢印４１２で示す（図４を参照のこと）。
【０２０７】
上記のように、第一ビームスプリッタ２１２−１は、第一光路に沿って第二ビームスプリッタ２１２−２に（上記のように）、第二光路に沿って第三ビームスプリッタ２１２−３に光を通過させる。
【０２０８】
図１０を参照して、第三ビームスプリッタ２１２−３は第一ビームスプリッタ２１２−１に隣接し（かつ、第一ビームスプリッタ２１２−１と直接的に光通信し）、第一ビームスプリッタ２１２−１からの入射光を第五光路４０５及び第六光路４０６に分光する。第五光路４０５は、第三ビームスプリッタ２１２−３に入射する光と略同一線上にあり、第三ビームステアリングエレメント２１４−３まで達する（図４を参照のこと）。第六光路は、第三ビームスプリッタ２１２−３に入射する光と略垂直であり、第四ビームステアリングエレメント２１４−４まで達する。多様な実施態様において、第三ビームスプリッタ２１２−３は、５０:５０ビームスプリッタである。他の実施態様において、第三ビームスプリッタ２１２−３はダイクロイックビームスプリッタである。
【０２０９】
第三ビームステアリングエレメント２１４−３（図４を参照のこと）は、第三ビームスプリッタ２１２−３に隣接して直接的に光通信し、第五光路から光（例えば、第三ビームスプリッタ２１２−３への入力と同一線上にある第三ビームスプリッタ２１２−３の出力）を受ける。第三ビームステアリングエレメント２１４−３は、光を第三光路と略垂直な方向（かつ、多様な実施態様において、ビームスプリッタ２１２の光路で定まる平面（例えば、ｘ−ｙ面）に垂直）に偏向させ、第一回路板２０６に接続された第三フォトセンサ２１０−３にあてる（図３）。第三ビームステアリングエレメント２１４−３の出力を矢印４１３で示す（図４を参照のこと）。
【０２１０】
第四ビームステアリングエレメント２１４−４は、第三ビームスプリッタ２１２−３に隣接して直接的に光通信し、第六光路から光（例えば、第三ビームスプリッタ２１２−３の垂直出力）を受ける。第四ビームステアリングエレメント２１４−４は、光を第六光路と略垂直な方向（かつ、多様な実施態様において、ビームスプリッタ２１２の光路で定まる平面（例えば、ｘ−ｙ面）に垂直）に偏向させ、第二回路板２０８に接続された第四フォトセンサ２１０−４にあてる（図３）。第四ビームステアリングエレメント２１４−４の出力を矢印４１４で示す（図４を参照のこと）。
【０２１１】
図４に示すように、第一ビームステアリングエレメント２１４−１及び第三ビームステアリングエレメント２１４−３の出力路は、第二ビームステアリングエレメント２１４−２及び第四ビームステアリングエレメント２１４−４の出力路と反対方向である。このため、レンズアセンブリ１０４で取り込まれる画像は、画像アセンブリ１０２の両側に取り付けられたフォトセンサに投影される。しかし、ビームステアリングエレメント２１２の向きを当該方向にする必要はない。むしろ、各ビームステアリングエレメント２１２の出力路の方向が任意の方向になるよう、いずれのビームステアリングエレメント２１２も配置することができる。例えば、多様な実施態様において、全てのビームステアリングエレメント２１２は同一方向に光を向ける。この場合、全てのフォトセンサを一つの回路板（例えば、図３の回路板２０６または第二回路板２０８）に取り付けてもよい。あるいは、多様な実施態様において、ビームステアリングエレメント２１２の１以上は、入射光に略垂直ではあるが、ビームスプリッタ２１２の光路で定まる平面（例えば、ｘ−ｙ面）と略同平面に光を向けてもよい。また別の実施態様において、１以上のビームステアリングエレメント２１４を撮像装置から無くし、対応するフォトセンサ２１０を光路４００−１〜４００−６で定まる平面に直交して配置する。
【０２１２】
図５Ａは、多様な実施態様における光アセンブリ１０２及び光路アセンブリ２０４の上面概略図であり、図１０は、光路アセンブリ２０４での光路の２次元概略図である。１つの光源１０６を図示しているが、図５Ｃで示すように、第二光源１０７も用いて当該光路アセンブリを実施してもよい。レンズアセンブリ１０４からの光は、矢印４００で示すように第一ビームスプリッタ２１０−１に入る。第一ビームスプリッタ２１０−１は、入射光（矢印４００）を入射光（矢印４００）の同一直線上にある第一光路（矢印４０１）に分光する。第一光路（矢印４０１）に沿った光は、第二ビームスプリッタ２１０−２まで進められる。また、第一ビームスプリッタ２１０−１は、入射光（矢印４００）を入射光（矢印４００）と垂直な第二光路（矢印４０２）にも分光する。第二光路（矢印４０２）に沿った光は、第三ビームスプリッタ２１０−３まで進められる。
【０２１３】
第二ビームスプリッタ２１０−２に入射する光（矢印４０２）はさらに、入射光（矢印４００及び／または矢印４０２）の同一直線上にある第三光路（矢印４０３）に分光される。第三光路（矢印４０３）に沿った光は、光を第一フォトセンサ２１０−１に向ける第一ビームステアリングエレメント２１４−１に進められる（例えば、図４を参考のこと）。上述したように、多様な実施態様において、第一ビームステアリングエレメント２１４−１は、第二ビームスプリッタに入射する光の垂直方向にビームスプリッタで定まる平面から外れて（例えば、図５での＋Ｚ方向、または図５のページから突き出る方向に）光を偏向する。
【０２１４】
第二ビームスプリッタ２１０−２（矢印４０２）に入射する光はさらに、入射光（矢印４００及び／または矢印４０２）と垂直な第四光路（矢印４０４）に分光される。第四光路（矢印４０４）に沿った光は、光を第二フォトセンサ２１０−２に向ける第二ビームステアリングエレメント２１４−２に進められる。上述したように、多様な実施態様において、第二ビームステアリングエレメント２１４−２は、第二ビームスプリッタに入射する光の垂直方向にビームスプリッタで定まる平面から外れて（例えば、図５での−Ｚ方向、または図５のページ奥に沈む方向に）光を偏向する。
【０２１５】
第三ビームスプリッタ２１０−３（矢印４０２）に入射する光はさらに、第三ビームスプリッタ２１０−３（矢印４０２）に入射する光と同一直線上にある第五光路（矢印４０５）に分光される。第五光路（矢印４０５）に沿った光は、光を第三フォトセンサ２１０−３に向ける第三ビームステアリングエレメント２１４−３に進められる（例えば、図４を参照のこと）。上述したように、多様な実施態様において、第三ビームステアリングエレメント２１４−３は、第三ビームスプリッタに入射する光の垂直方向にビームスプリッタで定まる平面から外れて（例えば、図５での＋Ｚ方向、または図５のページから突き出る方向に）光を偏向する。
【０２１６】
第三ビームスプリッタ２１０−３（矢印４０２）に入射する光はさらに、第三ビームスプリッタ２１０−３に入射する光（矢印４０２）と垂直な第六光路（矢印４０６）に分光される。第六光路（矢印４０６）に沿った光は、光を第四フォトセンサ２１０−４に向ける第四ビームステアリングエレメント２１４−４に進められる。上述したように、多様な実施態様において、第四ビームステアリングエレメント２１４−４は、第三ビームスプリッタに入射する光の垂直方向にビームスプリッタで定まる平面から外れて（例えば、図５での−Ｚ方向、または図５のページ奥に沈む方向に）光を偏向する。
【０２１７】
図５Ｂは、多様な実施態様における光アセンブリ１０２及び光路アセンブリ２０４の上面概略図であり、図１２は、光路アセンブリ２０４での光路の２次元概略図である。２つの光源１０６及び１０７を図示しているが、１以上の動作モード（例えば、本明細書で説明する２つの動作モード）で動作するよう構成された光源１つを用いて当該光路を実施してもよい。
【０２１８】
レンズアセンブリ１０４からの光は、矢印６００で示すように第一ビームスプリッタ２２０−１に進む。第一ビームスプリッタ２２０−１は、入射光（矢印６００）を、入射光（矢印６００）に垂直な第一光路（矢印６０１）、及び、入射光（矢印６００）の同一直線上にある第二光路（矢印６０２）に分光する。第一光路（矢印６０１）に沿った光は、上記と同様に、第三フォトセンサ２１０−３に光を向けるビームステアリングエレメントに進められる。上述したように、多様な実施態様において、ステアリングエレメントは、第一光路（矢印６０１）の垂直方向に平面から外れて（例えば、＋Ｚ方向、またはページから突き出る方向に）、第三フォトセンサ２１０−３に向け光を偏向する。第二光路（矢印６０２）に沿った光は、第二ビームスプリッタ２２０−２に進められる。
【０２１９】
第二ビームスプリッタ２２０−２は、入射光（矢印６０２）を、入射光（矢印６０２）に垂直な第三光路（矢印６０３）、及び、入射光（矢印６０２）の同一直線上にある第四光路（矢印６０４）に分光する。第三光路（矢印６０３）に沿った光は、上記と同様に、第二フォトセンサ２１０−２に光を向ける別のビームステアリングエレメントに進められる。上述したように、多様な実施態様において、ステアリングエレメントは、第三光路（矢印６０３）の垂直方向に平面から外れて（例えば、−Ｚ方向、またはページの奥に沈む方向に）、第二フォトセンサ２１０−２に向け光を偏向する。第四光路（矢印６０４）に沿った光は、第三ビームスプリッタ２２０−３に進められる。
【０２２０】
第三ビームスプリッタ２２０−３は、入射光（矢印６０４）に垂直な第五光路（矢印６０５）、及び、入射光（矢印６０４）の同一直線上にある第六光路（矢印６０６）に入射光（矢印６０４）を分光する。第五光路（矢印６０５）に沿った光は、第四フォトセンサ２１０−４に光を向ける別のビームステアリングエレメントに進められる。上述したように、多様な実施態様において、ステアリングエレメントは、第五光路（矢印６０５）の垂直方向に平面から外れ（例えば、−Ｚ方向、またはページの奥に沈む方向に）、第四フォトセンサ２１０−４に向け光を偏向する。第六光路（矢印６０６）に沿った光は、第一フォトセンサ２１０−１に光を向ける別のビームステアリングエレメントに進められる。上述したように、多様な実施態様において、ステアリングエレメントは、第六光路（矢印６０６）の垂直方向に平面から外れ（例えば、＋Ｚ方向、またはページから突き出る方向に）、第一フォトセンサ２１０−１に向け光を偏向する。
【０２２１】
図６は、多様な実施態様における光アセンブリ１０２の正面概略図である。明確にするため、レンズアセンブリ１０４及び光源１０６を図示していない。ビームスプリッタ２１２及びビームステレアリングエレメント２１４内部の線は、本明細書で説明する光路をさらに描写している。例えば、矢印４０４で指定された線は、ビームスレテアリングエレメント２１４−２がビームスプリッタ２１２−２から受けた光をどのようにフォトセンサ２１０−２へと偏向するかを描写している。さらに、矢印４０２で指定された線は、ビームステアリングエレメント２１４−３がビームスプリッタ２１２−３から受けた光をどのようにフォトセンサ２１０−３へと偏向するかを描写している。さらに、矢印４１１−４１４（図４での光路に対応する）は、ビームステアリングエレメント２１４がどのように各フォトセンサ２１０に光を向けるかをさらに描写している。
【０２２２】
本願において、並行、垂直、直交、同一平面上、同一直線上などの幾何学用語が使用された場合、実質的な幾何学的関係性での方向及び／または配置を包含するものと理解される。例えば、ビームステアリングエレメントが垂直に光を偏向する場合、ビームステアリングエレメントによる略垂直な偏光であってもよいと理解される。より具体的な実施例としては、光が入力路から９０＋／−１度偏向している場合でも、光は垂直（または略垂直）であると判断することもある。正確な幾何学的関係性から外れた値も考えられる。
【０２２３】
上記のように、光アセンブリ１０２では、５０:５０ビームスプリッタ及びダイクロイックビームスプリッタを様々に組みあわせて使用できる。第一実施例において、第一ビームスプリッタ２１２−１、第二ビームスプリッタ２１２−２、及び、第三ビームスプリッタ２１２−３は全て、５０:５０ビームスプリッタである。当該ビームスプリッタを採用した例示的な光アセンブリ１０２を図１０に示す。
【０２２４】
第二実施例において、第一ビームスプリッタ２１２−１はダイクロイックビームスプリッタであり、第二ビームスプリッタ２１２−２及び第三ビームスプリッタ２１２−３はどちらも５０：５０ビームスプリッタである。当該ビームスプリッタを採用した例示的な光アセンブリ１０２を図１１に示す。
【０２２５】
第三実施例において、第一ビームスプリッタ２１２−１、第二ビームスプリッタ２１２−２及び第三ビームスプリッタ２１２−３は全てダイクロイックビームスプリッタである。当該ビームスプリッタを採用した例示的な光アセンブリ１０２を図１２に示す。
【０２２６】
図７は、撮像装置１００の実施形態の断面図であり、対象で後方散乱した光に該当する光路４００、ならびに、光源１０６から発光され撮像する対象を照らす光に該当する光路４１０及び４１１も描いている。
【０２２７】
偏光照明を使用すると、肌での表面反射が排除され、オフアクシス撮像方向からの迷光反射を排除するのを助けるため、有利である。そのため、多様な実施態様において、偏光照明を用いて撮像対象を照らす。多様な実施態様において、光（例えば、光源１０６が発する光）の伝播方向により形成される入射面、及び、反射面（例えば、撮像対象）に垂直なベクトルに関する座標系に対し、光を偏向する。入射面に平行な電界成分をｐ成分と称し、当該面に垂直な成分をｓ成分と称する。そこで、電場が入射面に沿った偏光を「ｐ偏光」とし、電場が当該面に垂直な偏光を「ｓ偏光」とする。
【０２２８】
光路に偏向フィルタを配置して、光を偏向することができる。偏光子は、同じ偏向型（例えば、ｐ偏光またはｓ偏光）の光を通過させるが、逆偏向型の光を反射させる。偏光子が入射ビームを受動的にフィルタリングするため、偏光フィルタでの反射により無偏光の５０％が減少する。そのため、実際に、無偏向光源ではこの損失を考慮して、所望する倍の偏光照明光量を倍の電力消費で生成する必要がある。多様な実施態様において、本撮像装置が、偏光回転子（例えば、偏光回転ミラー）を用いて、偏光フィルタで反射された偏光を再度取り込み回転させることは、利点である。多様な実施態様において、少なくとも１つの光源から偏光子が受けた全光の少なくとも９５％を、対象に照射してもよい。
【０２２９】
図７に戻ると、１つの実施態様において、光路４１０に沿った光源１０６からの光を偏光子７００で受ける。偏光子７００と同じ偏向型（例えば、ｓ偏光またはｐ偏光）光部は、偏光子７００を通過し、光学窓１１４を通過して対象の表面に向けられる。偏光子７００とは逆の偏向型の光部は、光路４１１に沿って垂直に反射し、偏光回転子７０２に向けられる。偏光回転子７００は、光の偏向型を回転させ（例えば、偏光子７００を通過した偏向型に合致するよう偏向型を回転させる）、光を反射させて光学窓１１４を通過させ対象表面に向ける。対照で後方散乱した偏光は、光路４００に沿って戻り、上記のように、レンズアセンブリ１０４で取り込まれ、光アセンブリ１０２の内部に向けられる。
【０２３０】
このようにして光路に沿って光の入射損失を考慮し、光源１０６からの光の実質的に全てを、偏向して撮像対象の表面に投射する。これにより、光源１０６が所望量の倍の照明光を生成する必要は無くなり、照明用に消費する電力を効果的に５０％削減する。
【０２３１】
図９Ａ−９Ｃは、撮像装置１００の実施態様により収集される画像を合焦させるため、対象表面に投影するフレーミングガイドを示す。
【０２３２】
上記のように、多様な実施態様において、レンズアセンブリ１０４の焦点距離は固定である。このため、撮像装置１１０が撮像対象から適切な距離を維持している場合、撮像装置１００で取り込まれた画像は全て焦点が合っている。多様な実施態様において、レンズアセンブリ１０４は、当該範囲にある対象に適切に焦点が合うように、所定範囲の被写界深度を有する。例えば、多様な実施態様において、レンズアセンブリ１０４の集束距離は２４インチであり、被写界深度は３インチである。これにより、レンズアセンブリ１０４から２１から２７インチ離れた範囲にある対象に適切に焦点が合う。これらの値は単に典型例であり、他の集束距離や被写界深度も考えられる。
【０２３３】
図８Ａ−８Ｂを参照し、撮像対象に対し撮像装置１００を正確に配置しやすいよう、ドッキングステーション１１０は、対象からの撮像装置１００の位置が合焦画像の取得に適した距離にあることを示す光（例えば、図８Ａにおいて光９０１、図８Ｂにおいて光９０３）を対象に投光するよう構成された第一及び第二プロジェクタ１１２（例えば、１１２−１、１１２−２）を備える。多様な実施態様において、図９Ａ−９Ｃを参照すると、第一プロジェクタ１１２−１及び第二プロジェクタ１１２−２はそれぞれ、対象上に形状９０２の第一部９０２−１及び第二部９０２−２（図９Ａ−９Ｃ）を投光するよう構成される。対象からのレンズ１０４の位置がレンズの集束距離に相当する所定距離にある場合、第一形状部９０２−１及び第二形状部９０２−１は集束して形状９０２を形成するよう構成される。
【０２３４】
１つの実施態様において、対象からの撮像装置１００の位置がレンズの集束距離に相当する所定距離にある場合、フレーミングガイドは集束して対象表面に閉じた長方形を形成する（図９Ｃ）。対象からの撮像装置１００のレンズの位置が所定距離より短い距離にある場合、フレーミングガイドは離れたままである（図９Ａ）。対象からの撮像装置１００のレンズの位置が所定距離より長い距離にある場合、フレーミングガイドは交差する（図９Ｂ）。
【０２３５】
多様な実施態様において、フレーミングガイドは撮像装置１００が取り込む対象の全エリアまたは実質的に全エリアを表す。多様な実施態様において、フレーミングガイド内に入る少なくとも対象の全部分を撮像装置１００が取り込む。
【０２３６】
多様な実施態様において、図８Ｂに示すように、第一プロジェクタ１１２−１及び第二プロジェクタ１１２−２はそれぞれ、対象上に１点（例えば、図９Ｄに示す点９０４−１及び点９０４−２）を投光し、対象からのレンズ１０４の位置がレンズの集束距離に相当する所定距離にある場合には、両点が集束する（例えば、図９Ｅの点９０４で）よう構成される。対象からの撮像装置１００のレンズの位置が所定距離より短いまたは長い距離にある場合、投影点は互いに離れている（図９Ｄ）。
【０２３７】
図１Ｂは別の撮像装置１００を示しており、多様な実施態様により図１Ａに示す装置に類似するが、本体に前向きのレンズアセンブリ１０４及び後向きディスプレイ１２２を備える一眼レフ（ＤＳＬＲ）カメラに類似した集積体１０１を備える。ＤＳＬＲ型筐体であるため、ユーザは撮像装置１００を持ちやすく、患者及び関心領域（例えば、患者の肌）に装置を向け、患者から適した距離に装置を配置できる。図１Ｂの実施態様が、図１Ａの装置について上記及び以下に記載する多様な特徴を包含してもよいことは、理解されるであろう。
【０２３８】
多様な実施態様において、上記の装置に類似するが、図１Ｂに示す撮像装置１００は、対象の表面（例えば、患者の肌）を照らす光源１０６及び１０７、ならびに、対象からの反射光及び／または後方散乱光を収集するレンズアセンブリ１０４を備える光アセンブリを備える。
【０２３９】
多様な実施態様において、また上記の装置に類似した図１Ｂの撮像装置は、対象からの撮像装置１００の位置が合焦画像の取得に適した距離にあることを示す光を対象に投光するよう構成された第一プロジェクタ１１２−１及び第二プロジェクタ１１２−２を備える。上記のように、レンズアセンブリ１０４の焦点距離が固定で、レンズアセンブリを操作して画像の焦点をあわせることができない場合、これが特に有効であってもよい。図１Ｂに示すように、プロジェクタは本体１０１の前側に搭載される。
【０２４０】
多様な実施態様において、本体１０１は実質的に、第一プロジェクタ１１２−１及び第二プロジェクタ１１２−２、ならびにディスプレイ１２２とともに、光アセンブリの光源１０６及び１０７、ならびにレンズアセンブリ１０４を包み支える。
【０２４１】
図１３及び１４は、図１Ｂに示す装置に類似した多様な実施態様における撮像装置１００の別の構成を一体化して示しており、集積体１０１の実施形態、ならびに、前向きレンズアセンブリ１０４及び後向きディスプレイ１２２についてより詳細に示す。筐体１０１は、ユーザが撮像装置１００を持ちやすくし、患者及び関心領域（例えば、患者の肌）に装置を向け、患者から適した距離に装置を配置できるようにする。図１３及び１４の実施態様が、図１Ａ及び１Ｂの装置に関連して本明細書で記載する多様な特徴を包含してもよいことは、理解されるであろう。
【０２４２】
多様な実施態様において、上記の装置に類似した図１３及び１４に示す撮像装置１００は、対象の表面（例えば、患者の肌）を照らす光源１０６及び１０７、ならびに、対象からの反射光及び／または後方散乱光を収集するレンズアセンブリ１０４を備える光アセンブリを備える。
【０２４３】
多様な実施態様において、図１Ａ及び１Ｂの装置にも類似した図１３の撮像装置は、対象からの撮像装置１００の位置が合焦画像の取得に適した距離にあることを示す光を対象に投光するよう構成された第一プロジェクタ１１２−１及び第二プロジェクタ１１２−２を備える。上記のように、レンズアセンブリ１０４の集束距離が固定で、レンズアセンブリを操作して画像の焦点をあわせることができない場合、これが特に有効であってもよい。図１３に示すように、プロジェクタは本体１０１の前側に取り付けられる。
【０２４４】
多様な実施態様において、本体１０１は実質的に、第一プロジェクタ１１２−１及び第二プロジェクタ１１２−２と共に、光アセンブリの光源１０６及び１０７ならびにレンズアセンブリ１０４を包み支える。多様な実施態様において、図１３の撮像装置１０１は、ライブビューカメラ１０３及び遠隔温度計１０５を備える。
【０２４５】
典型的な光学構成
１つの実施態様において、撮像装置１００は、組織中のオキシヘモグロビン及びデオキシヘモグロビン分布の判断に適したスペクトルバンドセットを検出するよう構成される。特定の実施態様において、異なる８つのスペクトルバンドで関心組織画像を取り込むことで、本検出が可能となる。４つのフォトセンサ２１０で２度の露光において画像を取り込むが、各フォトセンサは、個別のデュアルバンドパスフィルタ２１６で覆われている。１つの実施態様において、撮像装置１００は、８つのスペクトルバンドのうち正確に４つのスペクトルバンドの光で関心組織を照らすよう構成された第一光源１０６を有しており、各デュアルバンドパスフィルタ２１６には、光源１０６からの４つのスペクトルバンドのうち１つのスペクトルバンドと正確に合致するパスバンドが１つある。撮像装置は、８つのスペクトルバンドのセットのうち残る４つのスペクトルバンド（例えば、最初の４スペクトルバンドを除く）の光で関心組織を照らすよう構成された第二光源１０７を有しており、各デュアルバンドパスフィルタ２１６には、光源１０７からの４つのスペクトルバンドのうち１つのスペクトルバンドと正確に合致するパスバンドが１つある。
【０２４６】
１つの実施態様において、８つのスペクトルバンドのセットは、中心波長が５１０±５ｎｍ、５３０±５ｎｍ、５４０±５ｎｍ、５６０±５ｎｍ、５８０±５ｎｍ、５９０±５ｎｍ、６２０±５ｎｍ、及び６６０±５ｎｍであるスペクトルバンドを備え、各スペクトルバンドは１５ｎｍ未満の半値全幅を有する。関連する実施態様において、８つのスペクトルバンドのセットは、中心波長が５１０±４ｎｍ、５３０±４ｎｍ、５４０±４ｎｍ、５６０±４ｎｍ、５８０±４ｎｍ、５９０±４ｎｍ、６２０±４ｎｍ、及び６６０±４ｎｍであるスペクトルバンドを備え、各スペクトルバンドは１５ｎｍ未満の半値全幅を有する。関連する実施態様において、８つのスペクトルバンドのセットは、中心波長が５１０±３ｎｍ、５３０±３ｎｍ、５４０±３ｎｍ、５６０±３ｎｍ、５８０±３ｎｍ、５９０±３ｎｍ、６２０±３ｎｍ、及び６６０±３ｎｍであるスペクトルバンドを備え、各スペクトルバンドは１５ｎｍ未満の半値全幅を有する。関連する実施態様において、８つのスペクトルバンドのセットは、中心波長が５１０±２ｎｍ、５３０±２ｎｍ、５４０±２ｎｍ、５６０±２ｎｍ、５８０±２ｎｍ、５９０±２ｎｍ、６２０±２ｎｍ、及び６６０±２ｎｍであるスペクトルバンドを備え、各スペクトルバンドは１５ｎｍ未満の半値全幅を有する。関連する実施態様において、８つのスペクトルバンドのセットは、中心波長が５１０±１ｎｍ、５３０±１ｎｍ、５４０±１ｎｍ、５６０±１ｎｍ、５８０±１ｎｍ、５９０±１ｎｍ、６２０±１ｎｍ、及び６６０±１ｎｍであるスペクトルバンドを備え、各スペクトルバンドは１５ｎｍ未満の半値全幅を有する。関連する実施態様において、８つのスペクトルバンドのセットは、中心波長が５１０ｎｍ、５３０ｎｍ、５４０ｎｍ、５６０ｎｍ、５８０ｎｍ、５９０ｎｍ、６２０ｎｍ、及び６６０ｎｍであるスペクトルバンドを備え、各スペクトルバンドは約１０ｎｍの半値全幅を有する。
【０２４７】
１つの実施態様において、中心が（ｉ）５２０±５及び５９０±５、（ｉｉ）５４０±５及び６１０±５、（ｉｉｉ）５６０±５及び６２０±５、ならびに（ｉｖ）５８０±５及び６４０±５であるスペクトルパスバンドを有するデュアルバンドフィルタを、当該波長セットを検出するよう構成されたフォトセンサの前に配置する。１つの実施態様において、撮像装置は、第一動作モードでは４５０−５８５ｎｍの波長の光、及び、第二動作モードでは５８５−６５０ｎｍの波長の光で、関心組織を照らすよう構成された光源１０６を有する。１つの実施態様において、撮像装置は、４５０−５８５ｎｍの波長の光で関心組織を照らすよう構成された光源１０６、及び、５８５−６５０ｎｍの波長の光で関心組織を照らすよう構成された第二光源１０７を有する。また別の実施態様において、撮像装置は、５８０、５９０、６１０及び６２０の波長を除いた５２０、５４０、５６０、及び６４０の波長の光で関心組織を照らすよう構成された光源１０６、及び、５２０、５４０、５６０及び６４０の波長を除いた５８０、５９０、６１０及び６２０の波長の光で関心組織を照らすよう構成された第二光源１０７を有する。
【０２４８】
１つの実施態様において、中心が（ｉ）５２０±５及び５６０±５、（ｉｉ）５４０±５及び５８０±５、（ｉｉｉ）５９０±５及び６２０±５、ならびに（ｉｖ）６１０±５及び６４０±５であるスペクトルパスバンドを有するデュアルバンドフィルタを、当該波長セットを検出するよう構成されたフォトセンサの前に配置する。１つの実施態様において、撮像装置は、第一動作モードでは４５０−５５０ｎｍ及び６１５−６５０ｎｍの波長の光、ならびに、第二動作モードでは５５０−６１５ｎｍの波長の光で、関心組織を照らすよう構成された光源１０６を有する。１つの実施態様において、撮像装置は、４５０−５５０ｎｍ及び６１５−６５０ｎｍの波長の光で関心組織を照らすよう構成された光源１０６、ならびに、５８５−６５０ｎｍの波長の光で関心組織を照らすよう構成された第二光源１０７を有する。
【０２４９】
１つの実施態様において、中心が（ｉ）５２０±５及び５６０±５、（ｉｉ）５４０±５及び６１０±５、（ｉｉｉ）５９０±５及び６２０±５、ならびに（ｉｖ）５８０及び６４０±５であるスペクトルパスバンドを有するデュアルバンドフィルタを、当該波長セットを検出するよう構成されたフォトセンサの前に配置する。１つの実施態様において、撮像装置は、第一動作モードでは４５０−５３０ｎｍ及び６００−６５０ｎｍの波長の光、及び、第二動作モードでは５３０−６００ｎｍの波長の光で、関心組織を照らすよう構成された光源１０６を有する。１つの実施態様において、撮像装置は、４５０−５３０ｎｍ及び６００−６５０ｎｍの波長の光で関心組織を照らすよう構成された光源１０６、及び、５３０−６００の波長の光で関心組織を照らすよう構成された第二光源１０７を有する。
【０２５０】
１つの実施態様において、８つのスペクトルバンドのセットは、中心波長が５２０±５ｎｍ、５４０±５ｎｍ、５６０±５ｎｍ、５８０±５ｎｍ、５９０±５ｎｍ、６１０±５ｎｍ、６２０±５ｎｍ、及び６４０±５ｎｍであるスペクトルバンドを備え、各スペクトルバンドは１５ｎｍ未満の半値全幅を有する。関連する実施態様において、８つのスペクトルバンドのセットは、中心波長が５２０±４ｎｍ、５４０±４ｎｍ、５６０±４ｎｍ、５８０±４ｎｍ、５９０±４ｎｍ、６１０±４ｎｍ、６２０±４ｎｍ、及び６４０±４ｎｍであるスペクトルバンドを備え、各スペクトルバンドは１５ｎｍ未満の半値全幅を有する。関連する実施態様において、８つのスペクトルバンドのセットは、中心波長が５２０±３ｎｍ、５４０±３ｎｍ、５６０±３ｎｍ、５８０±３ｎｍ、５９０±３ｎｍ、６１０±３ｎｍ、６２０±３ｎｍ、及び６４０±３ｎｍであるスペクトルバンドを備え、各スペクトルバンドは１５ｎｍ未満の半値全幅を有する。関連する実施態様において、８つのスペクトルバンドのセットは、中心波長が５２０±２ｎｍ、５４０±２ｎｍ、５６０±２ｎｍ、５８０±２ｎｍ、５９０±２ｎｍ、６１０±２ｎｍ、６２０±２ｎｍ、及び６４０±２ｎｍであるスペクトルバンドを備え、各スペクトルバンドは１５ｎｍ未満の半値全幅を有する。関連する実施態様において、８つのスペクトルバンドのセットは、中心波長が５２０±１ｎｍ、５４０±１ｎｍ、５６０±１ｎｍ、５８０±１ｎｍ、５９０±１ｎｍ、６１０±１ｎｍ、６２０±１ｎｍ、及び６４０±１ｎｍであるスペクトルバンドを備え、各スペクトルバンドは１５ｎｍ未満の半値全幅を有する。関連する実施態様において、８つのスペクトルバンドのセットは、中心波長が５２０ｎｍ、５４０ｎｍ、５６０ｎｍ、５８０ｎｍ、５９０ｎｍ、６１０ｎｍ、６２０ｎｍ、及び６４０ｎｍであるスペクトルバンドを備え、各スペクトルバンドは約１０ｎｍの半値全幅を有する。
【０２５１】
１つの実施態様において、８つのスペクトルバンドのセットは、中心波長が５００±５ｎｍ、５３０±５ｎｍ、５４５±５ｎｍ、５７０±５ｎｍ、５８５±５ｎｍ、６００±５ｎｍ、６１５±５ｎｍ、及び６４０±５ｎｍであるスペクトルバンドを備え、各スペクトルバンドは１５ｎｍ未満の半値全幅を有する。関連する実施態様において、８つのスペクトルバンドのセットは、中心波長が５００±４ｎｍ、５３０±４ｎｍ、５４５±４ｎｍ、５７０±４ｎｍ、５８５±４ｎｍ、６００±４ｎｍ、６１５±４ｎｍ、及び６４０±４ｎｍであるスペクトルバンドを備え、各スペクトルバンドは１５ｎｍ未満の半値全幅を有する。関連する実施態様において、８つのスペクトルバンドのセットは、中心波長が５００±３ｎｍ、５３０±３ｎｍ、５４５±３ｎｍ、５７０±３ｎｍ、５８５±３ｎｍ、６００±３ｎｍ、６１５±３ｎｍ、及び６４０±３ｎｍであるスペクトルバンドを備え、各スペクトルバンドは１５ｎｍ未満の半値全幅を有する。関連する実施態様において、８つのスペクトルバンドのセットは、中心波長が５００±２ｎｍ、５３０±２ｎｍ、５４５±２ｎｍ、５７０±２ｎｍ、５８５±２ｎｍ、６００±２ｎｍ、６１５±２ｎｍ、及び６４０±２ｎｍであるスペクトルバンドを備え、各スペクトルバンドは１５ｎｍ未満の半値全幅を有する。関連する実施態様において、８つのスペクトルバンドのセットは、中心波長が５００±１ｎｍ、５３０±１ｎｍ、５４５±１ｎｍ、５７０±１ｎｍ、５８５±１ｎｍ、６００±１ｎｍ、６１５±１ｎｍ、及び６４０±１ｎｍであるスペクトルバンドを備え、各スペクトルバンドは１５ｎｍ未満の半値全幅を有する。関連する実施態様において、８つのスペクトルバンドのセットは、中心波長が５００ｎｍ、５３０ｎｍ、５４５ｎｍ、５７０ｎｍ、５８５ｎｍ、６００ｎｍ、６１５ｎｍ、及び６４０ｎｍであるスペクトルバンドを備え、各スペクトルバンドは約１０ｎｍの半値全幅を有する。
【０２５２】
他の実施態様において、本明細書で説明する撮像装置は、スペクトルバンド数が８超または８未満で撮像するよう構成される。例えば、いくつかの実施態様において、撮像装置は、スペクトルバンド数が３、４、５、６、７、８、９、１０、１１、１２、１３、１４、１５、１６、１７、１８、１９、２０、２１、２２、２３、２４またはそれ以上で撮像するよう構成される。例えば、７つのビームスプリッタ及び８つのフォトセンサを備える撮像装置を、本明細書で説明する原理に従い、同時に８つの画像、２度の露光で１６の画像（例えば、各フォトセンサの前にデュアルバンドパスフィルタを配置して）、及び、３度の露光で２４の画像（例えば、各フォトセンサの前にトリプルバンドパスフィルタを配置して）を取り込むよう、構成できる。実際、本明細書で説明する原理を用いて撮像可能なスペクトルバンドパス数は、所望のイメージャサイズ、所望の露光回数、及び使用する光源によってのみ制約される。当然、任意の露光において１以上のフォトセンサを使用しなくてもよい。例えば、４つのフォトセンサ及び３つのビームスプリッタを搭載する撮像装置において、露光のうち１回でフォトセンサの１つを使わずに、２度の露光で７つの画像を取り込むことも可能である。このように、光源（例えば、１つ、２つ、３つ、４つまたはそれ以上）、ビームスプリッタ（例えば、１つ、２つ、３つ、４つ、５つ、６つ、７つ、またはそれ以上）、及びフォトセンサ（例えば、１つ、２つ、３つ、４つ、５つ、６つ、７つ、８つ、またはそれ以上）を任意に組合せた撮像装置も考えられる。
【０２５３】
露光時間の最適化
少なくとも、バンド内照明及び複数のスペクトルバンドに渡る検出を実施することで、本明細書で説明する撮像システム及び方法に多くの利点がもたらされる。例えば、バンド内照明を実施すれば、信号対雑音比が高まり露光時間が短縮され、その結果、電力消費が低減し、被写体が動くことによる位置不良が減少し、結果得られるハイパースペクトルデータキューブを処理する際の演算負担が軽減する。
【０２５４】
撮像する各波長において適切な信号対雑音比を得るのに必要な露光時間（例えば、シャッタ速度）を最小にすることで、これらの利点がさらに活かされる。各波長に適した画像を解像するのに必要な最短露光時間は、少なくとも、特定波長での光検知器の感度、画像取得時に存在する環境光の特性及び強度、ならびに、撮像する肌／組織のメラニン濃度による。
【０２５５】
１つの実施形態において、本明細書で説明する撮像システムの利点に、画像系列の各サブ画像の解像に必要な特定の露光時間を判断することで、全画像系列の収集に要する総時間が短縮できることがある。画像系列の各画像を異なるスペクトルバンドで集めるため、各サブ画像の解像に必要な時間は、波長の関数として変化する。いくつかの実施形態において、この変動を有利に考慮し、波長または波長バンドの取得が短時間で済む画像に短い露光時間を割り当て、波長または波長バンドの取得により長く時間がかかる画像に短い露光時間を割り当てる。この改良された新規性により、画像系列の各画像を「すべてに当てはまる単一の」露光時間ではなく、全露光に必要な時間だけ割当てることで、全体の露光時間が短くなる。また、これにより、多くの電力を必要とする照明時間が短くなるため、撮像装置が要する電力を削減する。特定の実施形態において、イメージャでコード化される非一時的メモリ内の非一時的命令は、撮像システムが取得する各スペクトルバンドでの画像取得に必要な最短露光時間を判断する。
【０２５６】
いくつかの実施形態において、本明細書で説明する方法及びシステムは、複数の基準露光時間を識別する実行可能な命令を備え、複数ある基準露光時間の各基準露光時間は、収集する組織の画像系列の各画像を解像する露光時間を表す。複数画像において、第一画像の第一基準露光時間は、第二画像の第二基準露光時間とは異なる。
【０２５７】
１つの実施形態において、患者組織の画像系列の取得方法を提供し、当該方法では、組織の画像系列を取得する複数のスペクトルバンドを選択し、各スペクトルバンドでの組織画像の解像に必要な最小露光時間を識別し、１以上の最小露光時間に影響を与える少なくとも１つの要因を識別し、識別した要因を基に最小露光時間を調整し、調整した最小露光時間を用いて組織の画像系列を取得する。
【０２５８】
いくつかの実施形態において、最小露光時間は、組織の基準照明及び／または画像を得する光検知器の感度に基づく。
【０２５９】
いくつかの実施形態において、最小露光時間に影響を与える要因には、画像系列の取得に使用する装置が提供する１以上の照明、環境光、及び組織のメラニン濃度がある。
【０２６０】
ハイパースペクトル撮像
ハイパースペクトル及びマルチスペクトル撮像は、大分類では俗にスペクトル撮像またはスペクトル分析といわれる分光法に関連する技術である。一般的に、ハイパーパスペクトル撮像は複数画像の取得に関連し、各画像は狭スペクトルバンドを表し、合わさり連続スペクトル範囲に渡り、例えば、それぞれのスペクトルバンドにおけるＦＷＨＭバンド幅は１ｎｍ以上（例えば、１ｎｍ、２ｎｍ、３ｎｍ、４ｎｍ、５ｎｍ、１０ｎｍ、２０ｎｍ、またはそれを超える）であり、５以上（例えば、５、１０、１５、２０、２５、３０、４０、５０、またはそれを超える）のスペクトルバンドのスペクトル範囲が切れ目なく連続する（例えば、４００ｎｍから８００ｎｍ）。一方、マルチスペクトル撮像は複数画像の取得に関連し、各画像は狭スペクトルバンドを表し、合わさり断続的なスペクトル範囲に渡る。
【０２６１】
本開示の目的上、用語「ハイパースペクトル」及び「マルチスペクトル」は実質的に同じ意味で使われ複数画像を意味し、いずれの各画像も狭スペクトルバンド（ＦＷＨＭバンド幅が、１０ｎｍから３０ｎｍ、５ｎｍから１５ｎｍ、５ｎｍから５０ｎｍ、１００ｎｍ未満、１から１００ｎｍなど）を表すが、合わさり連続スペクトル範囲となるか断続的なスペクトル範囲となるかの違いである。例えば、多様な実施態様において、ハイパースペクトルデータキューブ１３３６−１の波長１−Ｎは、切れ目のない波長、または、切れ目のないスペクトル範囲（例えば、４００ｎｍから８００ｎｍ）に対応するスペクトルバンドである。他の実施態様において、ハイパースペクトルデータキューブ１３３６−１の波長１−Ｎは、不連続波長、または、不連続スペクトル範囲（例えば、４００ｎｍから４４０ｎｍ、５００ｎｍから５４０ｎｍ、６００ｎｍから６８０ｎｍ、及び９００ｎｍから９５０ｎｍ）を包含するスペクトルバンドである。
【０２６２】
本明細書で使用するように、「狭スペクトル範囲」は、一般的に、約１００ｎｍ以下のＦＷＨＭスペクトルバンドを備える連続波長スパンを意味する。ある実施形態において、狭帯域照射では、ＦＷＨＭスペクトルバンドが約７５ｎｍ以下、５０ｎｍ以下、４０ｎｍ以下、３０ｎｍ以下、２５ｎｍ以下、２０ｎｍ以下、１５ｎｍ以下、１０ｎｍ以下、５ｎｍ以下、４ｎｍ以下、３ｎｍ以下、２ｎｍ以下、１ｎｍ以下、またはそれ以下である。多様な実施態様において、本開示の方法及び装置で撮像する波長は、可視スペクトル、近赤外線スペクトル、短波長赤外線スペクトル、中波長赤外線スペクトル、長波長赤外線スペクトル、及び、紫外線（ＵＶ）スペクトルの１以上から選択される。
【０２６３】
「広帯域」での光とは、例えば、バンドの少なくとも２０％、少なくとも３０％、少なくとも４０％、少なくとも５０％、少なくとも６０％、少なくとも７０％、少なくとも８０％、少なくとも９０％、若しくは少なくとも９５％、またはバンド全体といった、少なくとも１バンドの実質的部分に渡る波長成分を含み、１以上の他バンドに渡る波長成分を適宜含む光を意味する。「白色光源」は、少なくとも可視バンドの実質的部分に広がるため、広帯域であるとみなす。ある実施形態において、広帯域光は、少なくとも１００ｎｍに渡る電磁スペクトル波長成分を含む。他の実施形態において、広帯域光は、少なくとも１５０ｎｍ、２００ｎｍ、２５０ｎｍ、３００ｎｍ、４００ｎｍ、５００ｎｍ、６００ｎｍ、７００ｎｍ、８００ｎｍ、またはそれを超えて広がる電磁スペクトル波長成分を含む。
【０２６４】
「狭帯域」での光とは、例えば、１バンドの２０％未満、１５％未満、１０％未満、５％未満、２％未満、１％未満、または０．５％未満といった、狭いスペクトル範囲でしか成分を含まない光を意味する。狭帯域光源は、必ずしも１バンドに限定しなくてもよく、複数バンドに波長を含むことも可能である。複数の狭帯域光源は、それぞれ１バンドの狭い部分でしか発光しないが、あわせて１以上のバンドの実質的部分に広がる光を生成し、例えば、あわせて広帯域光源を構成してもよい。ある実施形態において、広帯域光は１００ｎｍ以下の電磁スペクトル成分波長を含む（例えば、スペクトルバンド幅が１００ｎｍ以下である）。他の実施形態において、狭帯域光は、電磁スペクトルのスペクトルバンド幅が９０ｎｍ以下、８０ｎｍ以下、７５ｎｍ以下、７０ｎｍ以下、６０ｎｍ以下、５０ｎｍ以下、４０ｎｍ以下、３０ｎｍ以下、２５ｎｍ以下、２０ｎｍ以下、１５ｎｍ以下、１０ｎｍ以下、５ｎｍ以下、またはそれ以下である。
【０２６５】
本明細書で使用するとき、光源の「スペクトルバンド幅」とは、強度が最大強度の少なくとも半分である波長成分のスパンを意味し、「半値幅」（ＦＷＨＭ）のスペクトルバンド幅としても知られる。発光ダイオード（ＬＥＤ）の多くは２以上の波長で発光し、狭帯域エミッタである。よって、狭帯域光源は、例えば、特性波長の少なくとも半分の強度で放出される波長スパンなど、特性スペクトルバンド幅だけでなく、例えば、最大強度で放出される波長など、「特性波長」または「中心波長」を有するとされる。
【０２６６】
「コヒーレント光源」とは、位相が揃った波長での電磁放射線を放出する光源を意味する。このため、コヒーレント光源は、スペクトルバンド幅が１ｎｍ未満の狭帯域光源の１種である。コヒーレント光源の非限定的実施例には、レーザ及びレーザ型ＬＥＤがある。同様に、インコヒーレント光源は、スペクトルバンド幅が１ｎｍ超の電磁放射線を放出し、及び／または、位相は揃っていない。この点で、インコヒーレント光は、光のスペクトルバンド幅次第で、狭帯域光でも広帯域光でもあり得る。
【０２６７】
好適な広帯域光源１０６の実施例には、ハロゲンランプ、キセノンランプ、ヨウ化水銀ミディアムアークランプ、及び、広帯域発光ダイオード（ＬＥＤ）があるが、これらに限定されない。いくつかの実施形態において、標準フィルタまたはカスタマイズフィルタを用いて、様々な波長で光強度を調整し、所定波長の信号レベルを上げたり狭帯域波長を選択したりする。被写体への広帯域照明は、被写体のカラー画像を取り込む場合、または、ハイパースペクトル／マルチスペクトル撮像システムの焦点をあわせる場合、特に有用である。
【０２６８】
好適な狭帯域インコヒーレント光源１０６の実施例には、狭帯域発光ダイオード（ＬＥＤ）、スーパールミネッセントダイオード（ＳＬＤ）（Ｒｅｄｄｉｎｇ，Ｂ．らによる「Ｓｐｅｃｋｌｅ−ｆｒｅｅ  ｌａｓｅｒ  ｉｍａｇｉｎｇ」、ａｒＶｉｘ：１１１０．６８６０（２０１１）を参照のこと。当該内容は、その全体をあらゆる目的において参照により本明細書に組み込む）、ランダムレーザ、及び、狭帯域バンドパスフィルタで覆われた広帯域光源があるが、これらに限定されない。好適な狭帯域コヒーレント光源１０４の実施例には、レーザやレーザ型発光ダイオードがあるが、これらに限定されない。コヒーレント及びインコヒーレントのどちらの狭帯域光源１０４も本明細書で説明する撮像システムで使用可能であるが、コヒーレント照明は、画像形成を乱すスペックルアーティファクトのため、フルフィールド撮像には適さない（Ｏｌｉｖｅｒ，Ｂ．Ｍ．、「Ｓｐａｒｋｌｉｎｇ  Ｓｐｏｔｓ  ａｎｄ  ｒａｎｄｏｍ  ｄｉｆｆｒａｃｔｉｏｎ」、Ｐｒｏｃ  ＩＥＥＥ  ５１、２２０−２２１（１９６３）を参照のこと）。
【０２６９】
医用ハイパースペクトル撮像
本開示の多様な実施態様では、医用ハイパースペクトル／マルチスペクトル撮像（ＨＳＭＩ）に役立つシステム及び方法を提供する。ＨＳＭＩは、様々な波長での光と人体成分（具体的には、皮膚中または皮膚直下の成分）との相互作用を識別することで行う。例えば、デオキシヘモグロビンは７００ｎｍで水より多く光を吸収し、水は、１２００ｎｍでデオキシヘモグロビンと比較するとはるかに大量の光を吸収する。７００ｎｍ及び１２００ｎｍでデオキシヘモグロビン及び水を含む二成分系の吸光度を測定すれば、当該系の吸光度に対するデオキシヘモグロビン及び水それぞれの寄与度、及び、両成分の濃度を容易に判断できる。ひいては、当該系での反射光または後方散乱光の様々な波長における吸光度を測定すれば、より複雑な系（例えば、人の肌）での個々の成分を判断できる。
【０２７０】
ハイパースペクトル／マルチスペクトルデータキューブにデータ構成する場合、ハイパースペクトル／マルチスペクトル撮像で測定された様々な光の波長と系（例えば、肌）の各成分との特定の相互作用により、ハイパースペクトル／マルチスペクトルシグネチャが作成される。具体的には、例えば、部位における病気の有無、部位における生理的構造、及び／または、部位における化学物質の有無に依って、様々な部位（例えば、１つの被写体の様々な関心部位若しくはＲＯＩ、または、様々な被写体から複数のＲＯＩ）は、光と様々に相互作用を起こす。例えば、脂肪、肌、血液、及び筋肉組織は全て、様々な光の波長とそれぞれ違った相互作用を起こす。ある種の癌病変は、正常肌、非癌性病変、及び、他種の癌病変とは異なる多様な光の波長と相互作用する。同様に、存在する（例えば、血液中、または肌上に）所定の化学物質は、他種の化学物質とは異なる様々な光の波長と相互作用する。このため、照明された被写体の各部位から得た光は、その部位の特性に基づくスペクトルシグネチャを有し、当該シグネチャは当該部位の医学情報を含む。
【０２７１】
肌構造は複雑であるが、表皮及び真皮と呼ばれる２つの構造的に異なる層に大別することができる。成分が違うため、これら２層の光散乱性及び吸光性は大いに異なる。表皮は、肌の外層である。表皮は、メラノサイトと呼ばれるメラニン色素を作る特殊な細胞を有する。光は主に表皮で吸収され、表皮の光散乱性は極小さいと言える。詳細は、Ｇ．Ｈ．Ｆｉｎｄｌａｙ、「Ｂｌｕｅ  Ｓｋｉｎ」、Ｂｒｉｔｉｓｈ  Ｊｏｕｒｎａｌ  ｏｆ  Ｄｅｒｍａｔｏｌｏｇｙ  ８３（１）、１２７−１３４（１９７０）を参照のこと。当該内容は、その全体をあらゆる目的において参照により本明細書に組み込む。
【０２７２】
真皮にはコラーゲン繊維及び血管が密集しており、真皮の光特性は表皮の光特性と大きく異なる。血液のない真皮の吸光性は極わずかである。しかし、オキシヘモグロビン及びデオキシヘモグロビンといった血液由来の色素、ならびに水は、真皮における主要な光吸収物質である。真皮におけるコラーゲン繊維による光散乱性、及び、発色団による吸光性により、肌を通過する光の侵入深度が決まる。
【０２７３】
被写体の表面を照明するのに用いる光は肌に侵入する。光の侵入範囲は、特定放射波長に依存する。例えば、可視光では、波長が長いほど光はより深く肌に侵入する。例えば、４００ｎｍの紫色光は約３２％しか人間の肌の真皮に侵入しないが、７００ｎｍの赤色光では８５％超が真皮またはそれ以上まで侵入する（Ｃａｐｉｎｅｒａ  Ｊ．Ｌ．、「Ｐｈｏｔｏｄｙｎａｍｉｃ  Ａｃｔｉｏｎ  ｉｎ  Ｐｅｓｔ  Ｃｏｎｔｒｏｌ  ａｎｄ  Ｍｅｄｉｃｉｎｅ」、Ｅｎｃｙｃｌｏｐｅｄｉａ  ｏｆ  Ｅｎｔｏｍｏｌｏｇｙ、第二版、Ｓｐｒｉｎｇｅｒ  Ｓｃｉｅｎｃｅ、２００８、ｐｐ．２８５０−２８６２を参照のこと。当該内容は、その全体をあらゆる目的において参照により本明細書に組み込む）。本開示の目的上、「組織への照射」、「表面での光の反射」などと記載した場合、検出に適した波長の放射線は、光が進む被写体内部の距離に関係なく、被写体の組織で後方散乱される。例えば、赤外線の所定波長は、肌表面下まで侵入し、被写体の表面下の組織を照らす。
【０２７４】
概して、本明細書で説明するシステムのイルミネータからの光は、被写体の表面組織に侵入し、光子が組織内で散乱し、何度も組織内部で弾む。光子の一部は、既知の光スペクトルで酸素化ヘモグロビン分子に吸収される。同様に、光子は、脱酸素化ヘモグロビン分子に吸収される。光検知器が解像する画像は、散乱し肌を通過してレンズサブシステムに戻る光の光子を含む。このように、画像は、組織内の多様な発色団に吸収されず、組織内部で散乱する光を表す。いくつかの実施形態において、組織表面を通過しないイルミネータからの光を、偏光子を用いて除去する。光子の中には、湖で反射する日光のように、肌表面で空中へと跳ねる。
【０２７５】
異なる光の波長を用いて、患者の肌組織の様々な深さを調査してもよい。一般的に、高周波短波長可視光は、表皮に存在する成分の調査に有用であり、低周波長波長可視光は、表皮及び真皮の両調査に有用である。また、所定の赤外波長は、表皮、真皮及び皮下組織の調査に有用である。
【０２７６】
可視近赤外（ＶＮＩＲ）スペクトル範囲において、照射強度が低く熱効果が極わずかな場合、光−組織相互作用には主に、反射、屈折、散乱、及び吸光がある。一般的な平行入射放射では、空中−組織の境界面である肌での正反射は、一般的に２５０−３０００ナノメータ（ｎｍ）の波長範囲の約４％−７％でしかない。詳細は、Ａｎｄｅｒｓｏｎ,Ｒ．Ｒ．らの「Ｔｈｅ  Ｏｐｔｉｃｓ  ｏｆ  Ｈｕｍａｎ  Ｓｋｉｎ」、Ｊｏｕｒｎａｌ  ｏｆ  Ｉｎｖｅｓｔｉｇａｔｉｖｅ  Ｄｅｒｍａｔｏｌｏｇｙ、７７、ｐｐ．１３−１９、１９８１を参照のこと。当該内容は、その全体をあらゆる目的において参照により本明細書に組み込む。空中−組織の境界面での反射を考慮せず、角質層下での入射光の総分散量を推定する場合、定常状態のＶＮＩＲの肌反射を、まず表皮で吸収されずに残存し、次に真皮層での等方散乱により表皮層に向かって反射し、最後に、再び表皮層を通過した後に肌から脱する光としてモデル化する。
【０２７７】
それに応じて、本明細書で記載のシステム及び方法を用いて、多種多様な病気を診断し特性を把握できる。１つの実施形態において、患者の病状を判断するために、１以上の肌または血液成分の濃度を判断する。医療的評価に有用な非限定的成分例には、デオキシヘモグロビンレベル、オキシヘモグロビンレベル、総ヘモグロビンレベル、酸素飽和度、酸素灌流、水和レベル、総ヘマトクリットレベル、メラニンレベル、コラーゲンレベル、及び、ビリルビンレベルがある。同様に、肌または血液成分のパターン、段階変化、または経時変化を用いて、患者の病状についての情報提供が可能である。
【０２７８】
ハイパースペクトル／マルチスペクトル撮像で評価可能な非限定的症状例には、組織虚血、潰瘍の発生、潰瘍の進行、褥瘡性潰瘍の発生、褥瘡性潰瘍の進行、糖尿病性足部潰瘍の発生、糖尿病性足部潰瘍の進行、静脈うっ血、静脈性潰瘍疾患、末梢動脈疾患、アンテローム性動脈硬化、感染症、ショック状態、心不全、呼吸不全、血液量減少、糖尿病の進行、うっ血性心不全、敗血症、脱水、出血、出血性ショック、高血圧、癌（例えば、腫瘍または皮膚病変の検出、診断、または型判定）、網膜異常（例えば、糖尿病性網膜症、黄斑変性、または角膜ジストロフィー）、皮膚創傷、火傷、化学物質または生物剤への暴露、及び、炎症反応がある。
【０２７９】
多様な実施形態において、本明細書で説明するシステム及び方法を用いて、組織の酸素測定を実施し、その上で、表在血管系での酸素測定から得られる患者の健康状態に関する病状を評価する。所定の実施形態において、本明細書で説明するシステム及び方法により、酸素化ヘモグロビン、脱酸素化ヘモグロビン、酸素飽和度、及び、酸素灌流の測定が可能である。これらのデータを処理して情報を医師に提供し、医師は、例えば、重症虚血肢、糖尿病性足部潰瘍、褥瘡性潰瘍、末梢血管疾患、外科的組織状態などの症状に対し、例えば、診断、予後、治療法の決定、外科的処置決定、外科的処置の実行に役立てる。
【０２８０】
多様な実施形態において、本明細書で説明するシステム及び方法を用いて、糖尿病性及び褥瘡性潰瘍を評価する。糖尿病性足部潰瘍は、一般的に、歩行運動中の足への衝撃を緩和する皮下脂肪と肌の真皮の間の障壁が破裂したことに起因する。この破裂によって、真皮がより圧迫され、組織虚血や結果として組織死が起こり、最終的には潰瘍が形成される（Ｆｒｙｋｂｅｒｇ  Ｒ．Ｇ．らの、「Ｒｏｌｅ  ｏｆ  ｎｅｕｒｏｐａｔｈｙ  ａｎｄ  ｈｉｇｈ  ｆｏｏｔ  ｐｒｅｓｓｕｒｅｓ  ｉｎ  ｄｉａｂｅｔｉｃ  ｆｏｏｔ  ｕｌｃｅｒａｔｉｏｎ」、Ｄｉａｂｅｔｅｓ  Ｃａｒｅ、２１（１０）、１９９８：１７１４−１７１９）。ハイパースペクトル／マルチスペクトル撮像でオキシヘモグロビン、デオキシヘモグロビン、及び／または酸素飽和度の測定では、例えば、ＲＯＩでの潰瘍発生の可能性、潰瘍の診断、潰瘍の境界の識別、潰瘍発生の進行または退縮、潰瘍の治癒に関する予後、潰瘍がもたらす切断の可能性など、に関する医学情報の提供が可能である。例えば糖尿病性足部潰瘍といった潰瘍の検出及び特徴付けに関するハイパースペクトル／マルチスペクトル方法のさらなる情報は、米国特許出願公開第２００７／００３８０４２号、及び、Ｎｏｕｖｏｎｇ，Ａ．らの「Ｅｖａｌｕａｔｉｏｎ  ｏｆ  ｄｉａｂｅｔｉｃ  ｆｏｏｔ  ｕｌｃｅｒ  ｈｅａｌｉｎｇ  ｗｉｔｈ  ｈｙｐｅｒｓｐｅｃｔｒａｌ  ｉｍａｇｉｎｇ  ｏｆ  ｏｘｙｈｅｍｏｇｌｏｂｉｎ  ａｎｄ  ｄｅｏｘｙｈｅｍｏｇｌｏｂｉｎ」、Ｄｉａｂｅｔｅｓ  Ｃａｒｅ．２００９  Ｎｏｖ；３２（１１）：２０５６−２０６１に記載され、当該内容は、その全体をあらゆる目的において参照により本明細書に組み込む。
【０２８１】
他の病状の例には、組織の生存可能性（例えば、組織が死滅するか生存するか、及び／または、継続して生存すると予測されるかどうか）、組織虚血、悪性細胞または組織（例えば、悪性腫瘍を、良性腫瘍、異形成、前がん組織、転移と分けて線引きする）、組織感染及び／若しくは炎症、ならびに／または、病原体の存在（例えば、細菌若しくはウイルス数）があるが、これらに限定されない。多様な実施形態では、例えば、筋肉組織、肌、及び／または、血管系と骨の区別など、様々な組織をそれぞれ区別してもよい。多様な実施形態では、血管系の特徴付けを実施しなくてもよい。
【０２８２】
多様な実施形態において、本明細書で提供するシステム及び方法を外科的処置で使用し、例えば、サージカルマージンの判断、摘出前後でのサージカルマージンの適切性評価、リアルタイムまたは準リアルタイムでの組織の生存可能性の評価若しくはモニタリング、または、画像誘導手術の補助を行う。ハイパースペクトル／マルチスペクトル撮像の外科的処置での使用に関する詳細は、Ｈｏｌｚｅｒ  Ｍ．Ｓ．らの「Ａｓｓｅｓｓｍｅｎｔ  ｏｆ  ｒｅｎａｌ  ｏｘｙｇｅｎａｔｉｏｎ  ｄｕｒｉｎｇ  ｐａｒｔｉａｌ  ｎｅｐｈｒｅｃｔｏｍｙ  ｕｓｉｎｇ  ｈｙｐｅｒｓｐｅｃｔｒａｌ  ｉｍａｇｉｎｇ」、Ｊ  Ｕｒｏｌ．２０１１  Ａｕｇ；１８６（２）：４００−４、Ｇｉｂｂｓ−Ｓｔｒａｕｓｓ  Ｓ．Ｌ．らの「Ｎｅｒｖｅ−ｈｉｇｈｌｉｇｈｔｉｎｇ  ｆｌｕｏｒｅｓｃｅｎｔ  ｃｏｎｔｒａｓｔ  ａｇｅｎｔｓ  ｆｏｒ  ｉｍａｇｅ−ｇｕｉｄｅｄ  ｓｕｒｇｅｒｙ」、Ｍｏｌ  Ｉｍａｇｉｎｇ．２０１１  Ａｐｒ；１０（２）：９１−１０１、及び、Ｐａｎａｓｙｕｋ  Ｓ．Ｖ．らの「Ｍｅｄｉｃａｌ  ｈｙｐｅｒｓｐｅｃｔｒａｌ  ｉｍａｇｉｎｇ  ｔｏ  ｆａｃｉｌｉｔａｔｅ  ｒｅｓｉｄｕａｌ  ｔｕｍｏｒ  ｉｄｅｎｔｉｆｉｃａｔｉｏｎ  ｄｕｒｉｎｇ  ｓｕｒｇｅｒｙ」、Ｃａｎｃｅｒ  Ｂｉｏｌ  Ｔｈｅｒ．２００７  Ｍａｒ；６（３）：４３９−４６を参照のこと。当該内容は、その全体をあらゆる目的において参照により本明細書に組み込む。
【０２８３】
ハイパースペクトル／マルチスペクトル撮像の医学的調査での使用に関する詳細は、例えば、Ｃｈｉｎ  Ｊ．Ａ．らのＪ  Ｖａｓｅ  Ｓｕｒｇ．２０１１  Ｄｅｃ；５４（６）：１６７９−８８、Ｋｈａｏｄｈｉａｒ  Ｌ．らのＤｉａｂｅｔｅｓ  Ｃａｒｅ  ２００７；３０：９０３−９１０、Ｚｕｚａｋ  Ｋ．Ｊ．らのＡｎａｌ  Ｃｈｅｍ．２００２  Ｍａｙ  １；７４（９）：２０２１−８、Ｕｈｒ  Ｊ．Ｗ．らのＴｒａｎｓｌ  Ｒｅｓ．２０１２  Ｍａｙ；１５９（５）：３６６−７５、Ｃｈｉｎ  Ｍ．Ｓ．らのＪ  Ｂｉｏｍｅｄ  Ｏｐｔ．２０１２  Ｆｅｂ；１７（２）：０２６０１０、Ｌｉｕ  Ｚ．らのＳｅｎｓｏｒｓ（Ｂａｓｅｌ）．２０１２；１２（１）：１６２−７４、Ｚｕｚａｋ  Ｋ．Ｊ．らのＡｎａｌ  Ｃｈｅｍ．２０１１  Ｏｃｔ  ｌ；８３（１９）：７４２４−３０、Ｐａｌｍｅｒ  Ｇ．Ｍ．らのＪ  Ｂｉｏｍｅｄ  Ｏｐｔ．２０１０  Ｎｏｖ−Ｄｅｃ；１５（６）：０６６０２１、Ｊａｆａｒｉ−Ｓａｒａｆ及びＧｏｒｄｏｎのＡｎｎ  Ｖａｓｅ  Ｓｕｒｇ．２０１０  Ａｕｇ；２４（６）：７４１−６、Ａｋｂａｒｉ  Ｈ．らのＩＥＥＥ  Ｔｒａｎｓ  Ｂｉｏｍｅｄ  Ｅｎｇ．２０１０  Ａｕｇ；５７（８）：２０１１−７、Ａｋｂａｒｉ  Ｈ．らのＣｏｎｆ  Ｐｒｏｃ  ＩＥＥＥ  Ｅｎｇ  Ｍｅｄ  Ｂｉｏｌ  Ｓｏｃ．２００９：１４６１−４、Ａｋｂａｒｉ  Ｈ．らのＣｏｎｆ  Ｐｒｏｃ  ＩＥＥＥ  Ｅｎｇ  Ｍｅｄ  Ｂｉｏｌ  Ｓｏｃ．２００８：１２３８−４１、Ｃｈａｎｇ  Ｓ．Ｋ．らのＣｌｉｎ  Ｃａｎｃｅｒ  Ｒｅｓ．２００８  Ｊｕｌ  １；１４（１３）：４１４６−５３、Ｓｉｄｄｉｑｉ  Ａ．Ｍ．らのＣａｎｃｅｒ．２００８  Ｆｅｂ  ２５；１１４（１）：１３−２１、Ｌｉｕ  Ｚ．らのＡｐｐｌ  Ｏｐｔ．２００７  Ｄｅｃ  ｌ；４６（３４）：８３２８−３４、Ｚｈｉ  Ｌ．らのＣｏｍｐｕｔ  Ｍｅｄ  Ｉｍａｇｉｎｇ  Ｇｒａｐｈ．２００７  Ｄｅｃ；３１（８）：６７２−８、Ｋｈａｏｄｈｉａｒ  Ｌ．らのＤｉａｂｅｔｅｓ  Ｃａｒｅ．２００７  Ａｐｒ；３０（４）：９０３−１０、Ｆｅｒｒｉｓ  Ｄ．Ｇ．らのＪ  Ｌｏｗ  Ｇｅｎｉｔ  Ｔｒａｃｔ  Ｄｉｓ．２００１  Ａｐｒ；５（２）：６５−７２、Ｇｒｅｅｎｍａｎ  Ｒ．Ｌ．らのＬａｎｃｅｔ．２００５  Ｎｏｖ  １２；３６６（９４９８）：１７１１−７、Ｓｏｒｇ  Ｂ．Ｓ．らのＪ  Ｂｉｏｍｅｄ  Ｏｐｔ．２００５  Ｊｕｌ−Ａｕｇ；１０（４）：４４００４、Ｇｉｌｌｉｅｓ  Ｒ．らの  Ｄｉａｂｅｔｅｓ  Ｔｅｃｈｎｏｌ  Ｔｈｅｒ．２００３；５（５）：８４７−５５を参照のこと。当該内容は、その全体をあらゆる目的において参照により本明細書に組み込む。
典型的な実施形態
【０２８４】
本項では、本開示による非限定的で典型的な実施形態を示す。
【０２８５】
実施形態１
撮像装置であって、光軸に沿って配置され光源から発光されて対象で後方散乱された光を受光するよう構成されたレンズ、複数のフォトセンサ、複数のバンドパスフィルタ、ならびに、前記レンズ及び前記複数のフォトセンサと光通信する複数のビームスプリッタを備え、各バンドパスフィルタは、前記複数のフォトセンサのうち対応するフォトセンサを覆い、前記各フォトセンサにより受光される光をフィルタリングするよう構成され、各バンドパスフィルタは、それぞれ対応するスペクトルバンドが前記各バンドパスフィルタを通過するよう構成され、前記複数のビームスプリッタの各ビームスプリッタは、前記レンズにより受光された前記光を少なくとも２つの光路に分光するよう構成され、前記複数のビームスプリッタのうち第一ビームスプリッタは、前記レンズと直接的に光通信し、前記複数のビームスプリッタのうち第二ビームスプリッタは、前記第一ビームスプリッタを介して前記レンズと間接的に光通信し、前記複数のビームスプリッタは全体で、前記レンズにより受光された前記光を複数の光路に分光し、前記複数の光路の各光路は、前記各フォトセンサに対応する前記バンドパスフィルタを介して、前記複数のフォトセンサのうち対応するフォトセンサに光を向けるよう構成された、前記撮像装置。
【０２８６】
実施形態２
少なくとも第一動作モード及び第二動作モードを備えた少なくとも１つの光源をさらに備えた、実施形態１の撮像装置。
【０２８７】
実施形態３
前記第一動作モードにおいて前記少なくとも１つの光源が実質的に第一スペクトル範囲で発光し、前記第二動作モードにおいて前記少なくとも１つの光源が実質的に第二スペクトル範囲で発光する、実施形態２の撮像装置。
【０２８８】
実施形態４
前記複数のバンドパスフィルタの各バンドパスフィルタは、２つの個別スペクトルバンドのいずれかに対応する光が前記各バンドパスフィルタを通過するよう構成された、実施形態３の撮像装置。
【０２８９】
実施形態５
前記２つの個別スペクトルバンドのうち一方は、前記第一スペクトル範囲にあるが前記第二スペクトル範囲ではない第一スペクトルバンドに対応し、前記２つの個別スペクトルバンドのうち他方は、前記第二スペクトル範囲にあるが前記第一スペクトル範囲ではない第二スペクトルバンドに対応する、実施形態４の撮像装置。
【０２９０】
実施形態６
前記第一スペクトル範囲は前記第二スペクトル範囲と実質的に重ならない、実施形態３−５のいずれか１つの撮像装置。
【０２９１】
実施形態７
前記第一スペクトル範囲は前記第二スペクトル範囲と実質的に隣接する、実施形態３−６のいずれか１つの撮像装置。
【０２９２】
実施形態８
前記第一スペクトル範囲は５００ｎｍから５７０ｎｍの波長光を備え、前記第二スペクトル範囲は５７０ｎｍから６４０ｎｍの波長光を備える、実施形態３の撮像装置。
【０２９３】
実施形態９
前記複数のビームスプリッタの各ビームスプリッタからの前記少なくとも２つの光路は実質的に同一平面上にある、実施形態１の撮像装置。
【０２９４】
実施形態１０
複数のビームステアリングエレメントをさらに備え、各ビームステアリングエレメントは、前記複数のフォトセンサのうち前記各光路に対応する各フォトセンサへの各光路に光を向けるよう構成された、実施形態１の撮像装置。
【０２９５】
実施形態１１
前記複数のビームステアリングエレメントの少なくとも１つは前記レンズの前記光軸に垂直に光を向けるよう構成された、実施形態１０の撮像装置。
【０２９６】
実施形態１２
前記複数のビームステアリングエレメントの第一サブセットのそれぞれは、前記光軸に垂直な第一方向に光を向けるよう構成され、前記複数のビームステアリングエレメントの第二サブセットのそれぞれは、前記光軸に垂直で前記第一方向と反対の第二方向に光を向けるよう構成された、実施形態１０の撮像装置。
【０２９７】
実施形態１３
前記複数のフォトセンサの各フォトセンサのセンシング面は、前記光軸に実質的に垂直である、実施形態１０−１２のいずれかの撮像装置。
【０２９８】
実施形態１４
前記少なくとも１つの光源と光通信する偏光子、及び、偏光回転子をさらに備え、前記偏光子は、前記少なくとも１つの光源から光を受光し、前記少なくとも１つの光源からの前記光の第一部を前記対象に投射し、前記少なくとも１つの光源からの前記光の第二部を前記偏光回転子に投射するよう構成され、前記光の前記第一部は第一状態に偏向され、前記光の前記第二部は前記第一状態とは異なる第二状態に偏向され、前記偏光回転子は、前記光の前記第二部の前記偏向を前記第二状態から前記第一状態に回転させ、前記第一状態に偏向された前記光の前記第二部を前記対象に投射するよう構成された、実施形態２−８のいずれか１つの撮像装置。
【０２９９】
実施形態１５
前記第一状態がｐ偏光であり、前記第二状態がｓ偏光である、実施形態１４の撮像装置。
【０３００】
実施形態１６
前記第一状態がｓ偏光であり、前記第二状態がｐ偏光である、実施形態１４の撮像装置。
【０３０１】
実施形態１７
方法の実施により前記複数のフォトセンサから複数画像を取り込むよう構成されたコントローラをさらに備え、前記方法では、前記少なくとも１つの第一光源を用いて前記第一スペクトル範囲の光で前記対象を照明し、前記複数のフォトセンサで第一画像セットを取り込み、前記少なくとも１つの光源を用いて前記第二スペクトル範囲の光で前記対象を照明し、前記複数のフォトセンサを用いて第二画像セットを取り込み、前記第一画像セットは、各フォトセンサに対し、前記各バンドパスフィルタが通過させる第一スペクトルバンドに対応する画像を備え、前記第一スペクトル範囲の前記光は、各バンドパスフィルタの前記第一スペクトルバンドの光を備え、前記第二画像セットは、各フォトセンサに対し、前記各バンドパスフィルタが通過させる第二スペクトルバンドに対応する画像を備え、前記第二スペクトル範囲の前記光は、各バンドパスフィルタの前記第二スペクトルバンドの光を備えた、実施形態３−８のいずれかの撮像装置。
【０３０２】
実施形態１８
前記レンズの集束距離は固定であり、前記撮像装置は、形状の第一部を前記対象に投影するよう構成された第一プロジェクタ、及び、前記形状の第二部を前記対象に投影するよう構成された第二プロジェクタをさらに備え、前記形状の前記第一部及び前記形状の前記第二部は、前記レンズが前記集束距離に対応する前記対象からの所定距離に位置する場合、あわせて前記形状を形成するよう構成された、実施形態１−１７のいずれかの撮像装置。
【０３０３】
実施形態１９
前記撮像装置で画像を取り込む場合、前記形状が、前記複数のフォトセンサにより撮像される前記対象の部分を示す、実施形態１８の撮像装置。
【０３０４】
実施形態２０
前記形状は、長方形、正方形、丸及び楕円形を備えるグループから選択される、実施形態１９の撮像装置。
【０３０５】
実施形態２１
前記形状の前記第一部は直角を形成する第一ペア線であり、前記形状の前記第二部は直角を形成する第二ペア線であり、前記形状の前記第一部及び前記形状の前記第二部は、前記撮像装置が前記対象から所定距離に位置する場合、前記対象上に長方形を形成するよう構成される、実施形態１８−２０のいずれかの撮像装置。
【０３０６】
実施形態２２
前記複数のビームスプリッタの各ビームスプリッタは、光反射に対する光透過の比率が約５０：５０である、実施形態１−２１のいずれかの撮像装置。
【０３０７】
実施形態２３
前記複数のビームスプリッタのうち少なくとも１つの前記ビームスプリッタがダイクロイックビームスプリッタである、実施形態２２の撮像装置。
【０３０８】
実施形態２４
少なくとも前記第一ビームスプリッタがダイクロイックビームスプリッタである、実施形態２３の撮像装置。
【０３０９】
実施形態２５
少なくとも第一動作モード及び第二動作モードを備えた少なくとも１つの光源をさらに備え、前記複数のビームスプリッタはそれぞれ、光反射に対する光透過の比率が約５０：５０であり、前記複数のビームスプリッタのうち少なくとも１つの前記ビームスプリッタがダイクロイックビームスプリッタであり、前記第一動作モードにおいて、前記少なくとも１つの光源は、少なくとも２つの断続的なスペクトルサブレンジを備えた第一スペクトル範囲で実質的に発光し、前記第二動作モードにおいて、前記少なくとも１つの光源は実質的に第二スペクトル範囲で発光する、実施形態１の撮像装置。
【０３１０】
実施形態２６
前記第一ビームスプリッタは、第三スペクトル範囲の光を通過させ、第四スペクトル範囲の光を反射するよう構成された、実施形態２５の撮像装置。
【０３１１】
実施形態２７
前記複数のビームスプリッタは、前記第一ビームスプリッタ、前記第二ビームスプリッタ、及び、第三ビームスプリッタを含む、実施形態２６の撮像装置。
【０３１２】
実施形態２８
前記第三スペクトル範囲の前記光を前記第二ビームスプリッタに向け通過させ、前記第四スペクトル範囲の前記光を前記第三ビームスプリッタに向け反射させる、実施形態２７の撮像装置。
【０３１３】
実施形態２９
前記第二及び前記第三ビームスプリッタが波長非依存型ビームスプリッタである、実施形態２８の撮像装置。
【０３１４】
実施形態３０
前記第一スペクトル範囲の前記少なくとも２つの断続的なスペクトルサブレンジは、約４５０−５５０ｎｍの第一スペクトルサブレンジ、及び、約６１５−６５０ｎｍの第二スペクトルサブレンジを備え、前記第二スペクトル範囲は約５５０−６１５ｎｍである、実施形態２５−２９のいずれかの撮像装置。
【０３１５】
実施形態３１
前記第三スペクトル範囲は約５８５−６５０ｎｍであり、前記第四スペクトル範囲は約４５０−５８５ｎｍである、実施形態２６−３０のいずれかの撮像装置。
【０３１６】
実施形態３２
前記第三スペクトル範囲は、両前記第一及び前記第二スペクトル範囲の光を備え、前記第四スペクトル範囲は、両前記第一及び前記第二スペクトル範囲の光を備えた、実施形態２６−３１のいずれか１つの撮像装置。
【０３１７】
実施形態３３
前記第一ビームスプリッタがプレート型ダイクロイックビームスプリッタまたはブロック型ダイクロイックビームスプリッタである、実施形態２４−３２のいずれか１つの撮像装置。
【０３１８】
実施形態３４
前記第一ビームスプリッタ、前記第二ビームスプリッタ、及び、前記第三ビームスプリッタがダイクロイックビームスプリッタである、実施形態２３の撮像装置。
【０３１９】
実施形態３５
前記第一動作モードにおいて、前記少なくとも１つの光源は、少なくとも２つの断続的なスペクトルサブレンジを備えた第一スペクトル範囲で実質的に発光し、前記第二動作モードにおいて、前記少なくとも１つの光源は実質的に第二スペクトル範囲で発光する、実施形態３４の撮像装置。
【０３２０】
実施形態３６
前記第一ビームスプリッタは、少なくとも２つの断続的なスペクトルサブレンジを備えた第三スペクトル範囲の光を通過させ、少なくとも２つの断続的なスペクトルサブレンジを備える第四スペクトル範囲の光を反射するよう構成された、実施形態３５の撮像装置。
【０３２１】
実施形態３７
前記複数のビームスプリッタは、前記第一ビームスプリッタ、前記第二ビームスプリッタ、及び、第三ビームスプリッタを含む、実施形態３６の撮像装置。
【０３２２】
実施形態３８
前記第三スペクトル範囲の前記光を前記第二ビームスプリッタに向け通過させ、前記第四スペクトル範囲の前記光を前記第三ビームスプリッタに向け反射させる、実施形態３７の撮像装置。
【０３２３】
実施形態３９
前記第二ビームスプリッタは、少なくとも２つの断続的なスペクトルサブレンジを備えた第五スペクトル範囲の光を反射させ、前記第五スペクトルサブレンジの前記少なくとも２つの断続的なスペクトルサブレンジのどちらでもない光を通過させるよう構成された、実施形態３８の撮像装置。
【０３２４】
実施形態４０
前記第三ビームスプリッタは、少なくとも２つの断続的なスペクトルサブレンジを備えた第六スペクトル範囲の光を反射させ、前記第六スペクトルサブレンジの前記少なくとも２つの断続的なスペクトルサブレンジのどちらでもない光を通過させるよう構成された、実施形態３８または実施形態３９の撮像装置。
【０３２５】
実施形態４１
前記第一スペクトル範囲の前記少なくとも２つの断続的なスペクトルサブレンジは、約４５０−５３０ｎｍの第一スペクトルサブレンジ、及び、約６００−６５０ｎｍの第二スペクトルサブレンジを備え、前記第二スペクトル範囲は約５３０−６００ｎｍである、実施形態３５−４０のいずれかの撮像装置。
【０３２６】
実施形態４２
前記第三スペクトル範囲の前記少なくとも２つの断続的なスペクトルサブレンジは、約５７０−６００ｎｍの第三スペクトルサブレンジ、及び、約６１５−６５０ｎｍの第四スペクトルサブレンジを備え、前記第四スペクトル範囲の前記少なくとも２つの断続的なスペクトルサブレンジは、約４５０−５７０ｎｍの第五スペクトルサブレンジ、及び、約６００−６１５ｎｍの第六スペクトルサブレンジを備えた、実施形態３６−４１のいずれかの撮像装置。
【０３２７】
実施形態４３
前記第五スペクトル範囲の前記少なくとも２つの断続的なスペクトルサブレンジは、約５８５−５９５ｎｍの第七スペクトルサブレンジ、及び、約６１５−６２５ｎｍの第八スペクトルサブレンジを備えた、実施形態３９−４２のいずれかの撮像装置。
【０３２８】
実施形態４４
前記第六スペクトル範囲の前記少なくとも２つの断続的なスペクトルサブレンジは、約５１５−５２５ｎｍの第九スペクトルサブレンジ、及び、約５５５−５６５ｎｍの第十スペクトルサブレンジを備えた、実施形態４０−４３のいずれかの撮像装置。
【０３２９】
実施形態４５
前記第一ビームスプリッタ、前記第二ビームスプリッタ、及び、前記第三ビームスプリッタがそれぞれ、プレート型ダイクロイックビームスプリッタまたはブロック型ダイクロイックビームスプリッタである、実施形態３４−４４のいずれかの撮像装置。
【０３３０】
実施形態４６
前記少なくとも１つの光源は、第一発光ダイオード（ＬＥＤ）セット及び第二ＬＥＤセットを備え、前記第一ＬＥＤセットの各ＬＥＤは、前記複数のバンドパスフィルタのうち、前記第一スペクトル範囲外の光をブロックし前記第一スペクトル範囲の光を通過させるよう構成された第一バンドパスフィルタを介して光を通過させ、前記第二ＬＥＤセットの各ＬＥＤは、前記複数のバンドパスフィルタのうち、前記第二スペクトル範囲外の光をブロックし前記第二スペクトル範囲の光を通過させるよう構成された第二バンドパスフィルタを介して光を通過させる、実施形態３−７のいずれかの撮像装置。
【０３３１】
実施形態４７
前記第一ＬＥＤセットは第一照明アセンブリ内にあり、第二ＬＥＤは前記第一照明アセンブリとは別の第二照明アセンブリ内にある、実施形態４６の撮像装置。
【０３３２】
実施形態４８
前記第一ＬＥＤセット及び前記第二ＬＥＤセットは共通の照明アセンブリ内にある、実施形態４６の撮像装置。
【０３３３】
実施形態４９
撮像装置用光アセンブリは、光軸に沿って配置されたレンズ、前記レンズからの光を受光するよう構成された光路アセンブリ、前記光路アセンブリの第一側部に設置された第一回路板、及び、前記第一側部の反対にある前記光路アセンブリの第二側部に設置された第二回路板を備え、前記第二回路板は前記第一回路板と略平行であり、前記光路アセンブリは、前記レンズからの光を第一光路及び第二光路に分光するよう構成された第一ビームスプリッタ、前記第一光路からの光を第三光路及び第四光路に分光するよう構成された第二ビームスプリッタ、前記第二光路からの光を第五光路及び第六光路に分光するよう構成された第三ビームスプリッタ、前記第三光路からの光を前記第一回路板に接続された第一フォトセンサへ前記第三光路に垂直に偏向するよう構成された第一ビームステアリングエレメント、前記第四光路からの光を前記第二回路板に接続された第二フォトセンサへ前記第四光路に垂直に偏向するよう構成された第二ビームステアリングエレメント、前記第五光路からの光を前記第一回路板に接続された第三フォトセンサへ前記第五光路に垂直に偏向するよう構成された第三ビームステアリングエレメント、及び、前記第六光路からの光を前記第二回路板に接続された第四フォトセンサへ前記第六光路に垂直に偏向するよう構成された第四ビームステアリングエレメントを備え、前記第一光路は前記光軸と略同一線上にあり、前記第二光路は前記光軸に略垂直であり、前記第三光路は前記第一光路と略同一線上にあり、前記第四光路は前記光軸に略垂直であり、前記第五光路は前記第二光路と略同一線上にあり、前記第六光路は前記第二光路に略垂直である、前記光アセンブリ。
【０３３４】
実施形態５０
複数のバンドパスフィルタをさらに備え、前記複数のバンドパスフィルタは、前記第一ビームスプリッタと前記第一フォトセンサとの間で前記第三光路に設置された第一バンドパスフィルタ、前記第二ビームスプリッタと前記第二フォトセンサとの間で前記第四光路に設置された第二バンドパスフィルタ、前記第三ビームスプリッタと前記第三フォトセンサとの間で前記第五光路に設置された第三バンドパスフィルタ、及び、前記第四ビームスプリッタと前記第四フォトセンサとの間で前記第六光路に設置された第四バンドパスフィルタを備え、前記複数のバンドパスフィルタの各バンドパスフィルタは、それぞれ別のスペクトルバンドが前記各バンドパスフィルタを通過するよう構成された、実施形態４９の光アセンブリ。
【０３３５】
実施形態５１
前記複数のバンドパスフィルタのうち少なくとも１つのバンドパスフィルタがデュアルバンドパスフィルタである、実施形態５０の光アセンブリ。
【０３３６】
実施形態５２
前記光軸に沿って配置された偏光フィルタをさらに備える、実施形態４９−５１のいずれか１つの光アセンブリ。
【０３３７】
実施形態５３
前記偏光フィルタは、前記レンズに隣接し、前記光軸に沿って前記第一ビームスプリッタの手前にある、実施形態５２の光アセンブリ。
【０３３８】
実施形態５４
前記第一ビームステアリングエレメントが鏡またはプリズムである、実施形態４９−５３のいずれか１つの光アセンブリ。
【０３３９】
実施形態５５
前記第一ビームステアリングエレメントが折り畳み式プリズムである、実施形態４９−５３のいずれかの光アセンブリ。
【０３４０】
実施形態５６
各ビームスプリッタ及び各ビームステアリングエレメントは、実質的に前記同一平面に沿って方向付けを行う、実施形態４９−５５のいずれか１つの光アセンブリ。
【０３４１】
実施形態５７
各フォトセンサは対応する回路板に可撓的に接続された、実施形態４９−５６のいずれかの光アセンブリ。
【０３４２】
実施形態５８
前記第一ビームスプリッタ、前記第二ビームスプリッタ、及び、前記第三ビームスプリッタはそれぞれ、光反射に対する光透過の比率が約５０：５０である、実施形態４９−５７のいずれか１つの光アセンブリ。
【０３４３】
実施形態５９
少なくとも前記第一ビームスプリッタがダイクロイックビームスプリッタである、実施形態４９−５７のいずれか１つの光アセンブリ。
【０３４４】
実施形態６０
前記第一ビームスプリッタは、第一スペクトル範囲の光を通過させ、第二スペクトル範囲の光を反射するよう構成された、実施形態５９の光アセンブリ。
【０３４５】
実施形態６１
前記第一スペクトル範囲の前記光を前記第二ビームスプリッタに向け通過させ、前記第二スペクトル範囲の前記光を前記第三ビームスプリッタに向け反射させる、実施形態６０の光アセンブリ。
【０３４６】
実施形態６２
前記第二及び前記第三ビームスプリッタが波長非依存型ビームスプリッタである、実施形態６１の光アセンブリ。
【０３４７】
実施形態６３
前記第一ビームスプリッタ、前記第二ビームスプリッタ、及び、前記第三ビームスプリッタがダイクロイックビームスプリッタである、実施形態４９−５７のいずれか１つの光アセンブリ。
【０３４８】
実施形態６４
前記第一ビームスプリッタは、少なくとも２つの断続的なスペクトルサブレンジを備えた第一スペクトル範囲の光を通過させ、少なくとも２つの断続的なスペクトルサブレンジを備えた第二スペクトル範囲の光を反射させるよう構成された、実施形態６３の光アセンブリ。
【０３４９】
実施形態６５
前記第二ビームスプリッタは、少なくとも２つの断続的なスペクトルサブレンジを備えた第三スペクトル範囲の光を反射させ、前記第三スペクトルサブレンジの前記少なくとも２つの断続的なスペクトルサブレンジのどちらでもない光を通過させるよう構成された、実施形態６３−６４のいずれか１つの光アセンブリ。
【０３５０】
実施形態６６
前記第三ビームスプリッタは、少なくとも２つの断続的なスペクトルサブレンジを備えた第四スペクトル範囲の光を反射させ、前記第四スペクトルサブレンジの前記少なくとも２つの断続的なスペクトルサブレンジのどちらでもない光を通過させるよう構成された、実施形態６３−６５のいずれか１つの光アセンブリ。
【０３５１】
実施形態６７
撮像装置用照明アセンブリは、少なくとも１つの光源、前記少なくとも１つの光源と光通信する偏光子、及び、偏光回転子を備え、前記偏光子は、前記少なくとも１つの光源から光を受光し、前記少なくとも１つの光源からの前記光の第一部を対象に照射し、前記少なくとも１つの光源からの前記光の第二部を前記偏光回転子に照射するよう構成され、前記光の前記第一部は第一偏向型であり、前記光の前記第二部は第二偏向型であり、前記偏光回転子は、前記光の前記第二部の前記偏向を前記第二偏向型から前記第一偏向型に回転させ、前記第一偏向型の前記光を前記対象に照射するよう構成された、前記照明アセンブリ。
【０３５２】
実施形態６８
前記第一偏向型がｐ偏光であり、前記第二偏向型がｓ偏光である、実施形態６７の照明アセンブリ。
【０３５３】
実施形態６９
前記第一偏向型がｓ偏光であり、前記第二偏向型がｐ偏光である、実施形態６７の照明アセンブリ。
【０３５４】
実施形態７０
前記少なくとも１つの光源が１以上の発光ダイオード（ＬＥＤ）である、実施形態６７−６９のいずれかの照明アセンブリ。
【０３５５】
実施形態７１
前記少なくとも１つの光源は２以上の動作モードを備え、前記２以上の動作モードの各動作モードは、光を個別スペクトル範囲で発光し、動作モードに対応する光の前記スペクトル範囲はいずれも、別の動作モードに対応する光の他のどのスペクトル範囲とも完全には重ならない、実施形態６７−７０のいずれかの照明アセンブリ。
【０３５６】
実施形態７２
前記偏光子により受光された前記少なくとも１つの光源からの前記光の全体のうち少なくとも９５％は前記対象を照らす、実施形態６７−７１のいずれかの照明アセンブリ。
【０３５７】
実施形態７３
対象についてのハイパースペクトル／マルチスペクトル画像の取込方法では、少なくとも１つの光源、前記少なくとも１つの光源から発光され対象で後方散乱された光を受光するよう構成されたレンズ、複数のフォトセンサ、及び、複数のバンドパスフィルタを備えた撮像システムであって、前記複数のバンドパスフィルタの各バンドパスフィルタは、前記複数のフォトセンサの各フォトセンサを覆い、前記各フォトセンサにより受光された光をフィルタリングするよう構成され、各バンドパスフィルタは、それぞれスペクトルバンドが前記各バンドパスフィルタを通過するよう構成された、前記撮像システムにおいて、前記少なくとも１つの光源の第一動作モードに従い前記少なくとも１つの光源で前記対象を照明し、それぞれが前記複数のフォトセンサの１つにより取り込まれる第一複数画像を取り込み、前記第一複数画像の各画像は、異なる各スペクトルバンドの光を備える、前記方法。
【０３５８】
実施形態７４
前記複数バンドパスフィルタのそれぞれは、２つの個別スペクトルバンドのいずれかに対応する光が前記フィルタを通過するよう構成され、前記方法ではさらに前記第一複数画像の取り込み後に、前記少なくとも１つの光源の第二動作モードに従い前記少なくとも１つの光源で前記対象を照明し、それぞれが前記複数のフォトセンサの１つにより取り込まれる第二複数画像を取り込み、前記第二複数画像の各画像は異なる各スペクトルバンドの光を備え、前記第二複数画像により取り込まれた前記スペクトルバンドは前記第一複数画像により取り込まれた前記スペクトルバンドとは異なる、実施形態７３の方法。
【０３５９】
実施形態７５
前記少なくとも１つの光源が複数の発光ダイオード（ＬＥＤ）を備える、実施形態７３−７４のいずれかの方法。
【０３６０】
実施形態７６
第一波長光フィルタは、前記複数のＬＥＤのうち第一ＬＥＤサブセットと前記対象との間で照明光路に沿って配置され、第二波長光フィルタは、前記複数のＬＥＤのうち第二ＬＥＤサブセットと前記対象との間で照明光路に沿って配置され、前記第一波長光フィルタ及び前記第二波長光フィルタは、異なるスペクトルバンドに対応する光が前記各フィルタを通過するよう構成された、実施形態７５の方法。
【０３６１】
実施形態７７
前記複数のＬＥＤは白色光を発するＬＥＤを備えた、実施形態７６の方法。
【０３６２】
実施形態７８
前記複数のＬＥＤは、光の第一スペクトルバンドに対応する光を発光するよう構成された第一ＬＥＤサブセット、及び、光の第二スペクトルバンドに対応する光を発光するよう構成された第二ＬＥＤサブセットを備え、前記第一ＬＥＤサブセットから発光された光で前記対象を照明する第一動作モードに従い、前記少なくとも１つの光源で前記対象を照明し、前記第二ＬＥＤサブセットから発光された光で前記対象を照明する第二動作モードに従い前記少なくとも１つの光源で前記対象を照明し、光の前記第一スペクトルバンドの前記波長、及び、光の前記第二スペクトルバンドの前記波長は完全に重なるものではない、実施形態７５の方法。
【０３６３】
実施形態７９
撮像装置は、少なくとも２つの動作モードを有する少なくとも１つの光源、光軸に沿って配置され前記少なくとも１つの光源から発光されて対象で後方散乱された光を受光するよう構成されたレンズ、複数のフォトセンサ、複数のバンドパスフィルタ、ならびに、前記レンズ及び前記複数のフォトセンサと光通信する１以上のビームスプリッタを備え、各バンドパスフィルタは、前記複数のフォトセンサのうち対応するフォトセンサを覆い、前記対応フォトセンサにより受光された光をフィルタリングするよう構成され、各バンドパスフィルタは異なる各スペクトルバンドが前記各バンドパスフィルタを通過するよう構成され、各ビームスプリッタは、前記レンズにより受光された前記光を複数の光路に分光するよう構成され、各光路は、前記対応フォトセンサに対応する前記バンドパスフィルタを介して前記複数のフォトセンサのうち対応するフォトセンサに光を向けるよう構成された、前記撮像装置。
【０３６４】
本明細書において、用語「ｆｉｒｓｔ」、「ｓｅｃｏｎｄ」などを用いて様々な要素を説明してもよいが、これらの要素はこれらの用語に限定されないものと理解する。これらの用語は、単に要素同士を区別するために使用される。例えば、「ｆｉｒｓｔコンタクト」とした全名称を一貫して付け替え、ｓｅｃｏｎｄコンタクトとした全名称を一貫して付け替えた場合に限り、本記述での意味を変更して、ｆｉｒｓｔコンタクトをｓｅｃｏｎｄコンタクトとしてもよく、同様に、ｓｅｃｏｎｄコンタクトをｆｉｒｓｔコンタクトとしてもよい。ｆｉｒｓｔコンタクト及びｓｅｃｏｎｄコンタクトはどちらもコンタクトであるが、同じコンタクトではない。
【０３６５】
本明細書で使用する用語は具体的な実施形態を単に記述するために使用するものであり、本請求項を限定する意図は無い。本実施形態及び添付の請求項の記述で使用するように、単数形の「ａ」、「ａｎ」及び「ｔｈｅ」は、明らかに文脈上当てはまらない場合を除き、その複数形も含むことを意図する。また、本明細書で使用する用語「ａｎｄ／ｏｒ」は、列挙した関連項目の１以上でのあらゆる可能性のある組合せを意味し包含するものと理解する。さらに、用語「ｃｏｍｐｒｉｓｅｓ」及び／または「ｃｏｍｐｒｉｓｉｎｇ」は、本明細書で使用する場合、記載した特徴、完全体、段階、操作、要素、及び／または、成分の有無を指定するが、他の１以上の特徴、完全体、段階、操作、要素、成分、及び／または、それらのグループの有無または追加を排除するものではないと理解する。
【０３６６】
本明細書で使用するように、用語「ｉｆ」は、文脈に従い、言及した先例が真であることを意味する「ｗｈｅｎ」、「ｕｐｏｎ」、「ｉｎ  ｒｅｓｐｏｎｓｅ  ｔｏ  ｄｅｔｅｒｍｉｎｉｎｇ」、「ｉｎ  ａｃｃｏｒｄａｎｃｅ  ｗｉｔｈ  ａ  ｄｅｔｅｒｍｉｎａｔｉｏｎ」または「ｉｎ  ｒｅｓｐｏｎｓｅ  ｔｏ  ｄｅｔｅｃｔｉｎｇ」を意味するものと解釈してもよい。同様に、「ｉｆ  ｉｔ  ｉｓ  ｄｅｔｅｒｍｉｎｅｄ［言及した先例が真である］」、「ｉｆ［言及した先例が真である］」、または、「ｗｈｅｎ［言及した先例が真である］」といった言い回しは、文脈に従い、言及した先例が真であることを意味する「ｕｐｏｎ  ｄｅｔｅｒｍｉｎｉｎｇ」、「ｉｎ  ｒｅｓｐｏｎｓｅ  ｔｏ  ｄｅｔｅｒｍｉｎｉｎｇ」、「ｉｎ  ａｃｃｏｒｄａｎｃｅ  ｗｉｔｈ  ａ  ｄｅｔｅｒｍｉｎａｔｉｏｎ」、「ｕｐｏｎ  ｄｅｔｅｃｔｉｎｇ」、または、「ｉｎ  ｒｅｓｐｏｎｓｅ  ｔｏ  ｄｅｔｅｃｔｉｎｇ」を意味するものと解釈してもよい。
【０３６７】
ここまで、具体的な実施形態を参考に記述し、説明に供した。しかし、例を挙げた検討によってすべてを網羅する意図は無く、本発明を開示通りの形態に限定する意図も無い。上記の教示では多くの変更や変形が可能である。本発明の原理及び本発明の適用の説明が最良となるよう、本実施形態を選択し記述したものであり、当業者であれば、本発明及び多様な実施形態を最適に利用し、多様に変更して想定される具体的な用途に合うようすることができる。
【図１Ａ】
2018151400.tif 000004
【図１Ｂ】
2018151400.tif 000005
【図２Ａ】
2018151400.tif 000006
【図２Ｂ】
2018151400.tif 000007
【図３】
2018151400.tif 000008
【図４】
2018151400.tif 000009
【図５Ａ】
2018151400.tif 000010
【図５Ｂ】
2018151400.tif 000011
【図５Ｃ】
2018151400.tif 000012
【図６】
2018151400.tif 000013
【図７】
2018151400.tif 000014
【図８Ａ】
2018151400.tif 000015
【図８Ｂ】
2018151400.tif 000016
【図９Ａ】
2018151400.tif 000017
【図９Ｂ】
2018151400.tif 000018
【図９Ｃ】
2018151400.tif 000019
【図９Ｄ】
2018151400.tif 000020
【図９Ｅ】
2018151400.tif 000021
【図１０】
2018151400.tif 000022
【図１１】
2018151400.tif 000023
【図１２】
2018151400.tif 000024
【図１３】
2018151400.tif 000025
【図１４】
2018151400.tif 000026
【手続補正書】
【提出日】平成30年6月8日(2018.6.8)
【手続補正１】
【補正対象書類名】特許請求の範囲
【補正対象項目名】全文
【補正方法】変更
【補正の内容】
【特許請求の範囲】
【請求項１】
組織のオキシヘモグロビン及びデオキシヘモグロビン成分の判断のための８から１２枚の画像のセットを収集するよう構成された撮像装置であって、
光源と、
前記少なくとも一つの光源から発光されて前記組織で後方散乱された光を受光するよう構成されたレンズと、
前記レンズと光通信し、前記組織の８から１２枚の画像のセットを収集するよう構成された複数のフォトセンサと、
複数のマルチバンドパスフィルタと、
を備え、
前記複数のマルチバンドパスフィルタの各マルチバンドパスフィルタは、複数のフォトセンサのうちの対応するフォトセンサを覆い、それにより、前記レンズにより受光された光から選択的に、光の異なる対応するスペクトルバンドが、前記対応するフォトセンサを通過し、
前記８から１２枚の画像のセットのうちの各画像は、個別スペクトルバンドで収集され、
前記８から１２枚の画像のセットは、中心波長が５２０±５ｎｍ、５４０±５ｎｍ、５６０±５ｎｍ、５８０±５ｎｍ、５９０±５ｎｍ、６１０±５ｎｍ、６２０±５ｎｍ、及び６４０±５ｎｍであるスペクトルバンドの所定のセットのいずれか７つ以上のスペクトルバンドで収集された画像を含む、
撮像装置。
【請求項２】
前記スペクトルバンドの所定のセットの各スペクトルバンドが、１５ｎｍ未満の半値全幅を有する、請求項１に記載の撮像装置。
【請求項３】
前記光源が第一光源及び第二光源を備え、
前記第一光源が、第一スペクトル範囲に実質的に限定された光を発光し、
前記第一スペクトル範囲が、前記スペクトルバンドの所定のセットの第一サブセットを含み、
前記第二光源が、第二スペクトル範囲に実質的に限定された光を発光し、
前記第二スペクトル範囲が、前記スペクトルバンドの所定のセットの前記第一サブセット以外の前記スペクトルバンドの所定のセットにおけるスペクトルバンドを含む、
請求項１又は２に記載の撮像装置。
【請求項４】
前記第一光源が第一バンドパスフィルタで覆われた第一マルチスペクトル光源であり、
前記第一バンドパスフィルタが、前記第一光源により発光された第一スペクトル範囲外の全ての光を実質的にブロックし、
前記第二光源が第二バンドパスフィルタで覆われた第二マルチスペクトル光源であり、
前記第二バンドパスフィルタが、前記第二光源により発光された第二スペクトル範囲外の全ての光を実質的にブロックする、
請求項３に記載の撮像装置。
【請求項５】
前記第一マルチスペクトル光源が第一白色発光ダイオードであり、
前記第二マルチスペクトル光源が第二白色発光ダイオードである、
請求項４に記載の撮像装置。
【請求項６】
前記複数のマルチバンドパスフィルタの各マルチバンドパスフィルタが、２つの個別スペクトルバンドのいずれかに対応する光が選択的に前記対応するフォトセンサまで通過するよう構成されており、
前記２つの個別スペクトルバンドの第一が、第一スペクトル範囲にあるが第二スペクトル範囲でない第一スペクトルバンドに対応し、
前記２つの個別スペクトルバンドの第二が、第二スペクトル範囲にあるが第一スペクトル範囲でない第二スペクトルバンドに対応する、
請求項１から５のいずれか１項に記載の撮像装置。
【請求項７】
前記複数のマルチバンドパスフィルタがデュアルバンドパスフィルタである、請求項１から６のいずれか１項に記載の撮像装置。
【請求項８】
前記複数のマルチバンドパスフィルタにおけるデュアルバンドパスフィルタの２つのパスバンドが、少なくとも６０ｎｍ離れている、請求項７に記載の撮像装置。
【請求項９】
前記レンズ及び前記複数のフォトセンサと光通信する複数のビームスプリッタを備える光路アセンブリをさらに備え、
前記複数のビームスプリッタの各ビームスプリッタが、レンズからの光を少なくとも２つの光路に分光するよう構成され、
前記複数のビームスプリッタのうちの第一ビームスプリッタが、前記レンズと直接的に光通信し、前記複数のビームスプリッタのうちの第二ビームスプリッタが、前記第一ビームスプリッタを介して前記レンズと間接的に光通信し、
前記複数のビームスプリッタ全体が、前記レンズにより受光された光を複数の光路に分光し、
前記複数の光路の各光路が、前記複数のフォトセンサのうちの対応するフォトセンサを覆う各マルチバンドパスフィルタを介して、前記対応するフォトセンサに光を向けるよう構成されている、
請求項１から８のいずれか１項に記載の撮像装置。
【請求項１０】
前記複数のビームスプリッタの各ビームスプリッタが、光反射に対する光透過の比率が約５０：５０であり、波長非依存型ビームスプリッタである、請求項９に記載の撮像装置。
【請求項１１】
方法の実施により複数のフォトセンサから複数画像を取り込むよう構成されたコントローラをさらに備え、
当該方法が、
（Ａ）前記第一光源を用いて前記組織に一度目の照明をすることと、
（Ｂ）前記照明をすること（Ａ）の間、前記複数のフォトセンサを用いて画像の第一コレクションを取り込むことと、
（Ｃ）前記第一光源を消灯することと、
（Ｄ）前記第二光源を用いて前記組織に二度目の照明をすることと、
（Ｅ）前記照明をすること（Ｄ）の間、前記複数のフォトセンサを用いて画像の第二コレクションを取り込むことと、
を含み、
前記画像の第一コレクションが、前記複数のフォトセンサの各フォトセンサに対し、前記対応するマルチバンドパスフィルタが通過させる第一スペクトルバンドに対応する画像を含み、
前記第一スペクトル範囲内の光が、前記複数のマルチバンドパスフィルタの各マルチバンドパスフィルタの前記第一スペクトルバンド範囲内の光を含み、
前記画像の第二コレクションが、前記複数のフォトセンサの各フォトセンサに対し、前記対応するマルチバンドパスフィルタが通過させる第二スペクトルバンドに対応する画像を含み、
前記第二スペクトル範囲内の光が、前記複数のマルチバンドパスフィルタの各マルチバンドパスフィルタの前記第二スペクトルバンド範囲内の光を含む、
請求項３から１０のいずれか１項に記載の撮像装置。
【請求項１２】
複数のフォトセンサの各フォトセンサが、各フォトセンサの撮像積算時間を決定する対応シャッタ機構により制御される画素アレイであり、
前記複数のフォトセンサのうちの第一フォトセンサが、前記取り込むこと（Ｂ）の間に用いられる第一積算時間、及び、前記取り込むこと（Ｅ）の間に用いられる第二積算時間に独立して関連し、
前記第一積算時間が前記第二積算時間から独立している、
請求項１１に記載の撮像装置。
【請求項１３】
複数のフォトセンサの各フォトセンサが、各フォトセンサの撮像積算時間を決定する対応シャッタ機構により制御される画素アレイであり、
前記照明をすること（Ａ）の時間が、前記取り込むこと（Ｂ）の間の前記複数のフォトセンサと関連する第一最大積算時間で決定され、
前記取り込むこと（Ｂ）の間、前記複数のフォトセンサのうちの第一フォトセンサの積算時間が、前記複数のフォトセンサのうちの第二フォトセンサの積算時間と異なり、
前記照明をすること（Ｄ）の時間が、前記取り込むこと（Ｅ）の間の前記複数のフォトセンサと関連する第二最大積算時間で決定され、
前記取り込むこと（Ｅ）の間、前記第一フォトセンサの積算時間が、前記第二フォトセンサの積算時間と異なり、
前記第一最大積算時間が、前記第二最大積算時間と異なる、
請求項１１又は１２に記載の撮像装置。
【請求項１４】
前記複数の画像の各画像が、前記組織の多画素画像であり、
前記コントローラで実施される前記方法が、
（Ｆ）前記複数の画像の各画像を画素ベースで合成し、合成画像を作成すること、
をさらに含む、
請求項１１から１３のいずれか１項に記載の撮像装置。
【請求項１５】
第一回路板であって、複数のフォトセンサのうちの第一フォトセンサ及び第三フォトセンサが当該第一回路板に接続されている第一回路板と、
第二回路板であって、前記複数のフォトセンサのうちの第二フォトセンサ及び第四フォトセンサが当該第二回路板に接続されている第二回路板と、
をさらに備え、
前記第一ビームスプリッタが、前記レンズからの光を少なくとも２つの光路のうちの第一光路及び第二光路に分光するよう構成され、
前記第一光路が、前記レンズと前記第一ビームスプリッタの間の光軸と略同一線上にあり、前記第二光路が前記光軸に対して略垂直であり、
前記第二ビームスプリッタが、前記第一光路からの光を第三光路及び第四光路に分光するよう構成され、
前記第三光路が、前記第一光路と略同一線上にあり、前記第四光路が前記光軸に対して略垂直であり、
前記複数のビームスプリッタのうちの第三ビームスプリッタが、前記第二光路からの光を第五光路及び第六光路に分光するよう構成され、
前記第五光路が、前記第二光路と略同一線上にあり、前記第六光路が前記第二光路に対して略垂直であり、
前記光路アセンブリが、
前記第三光路からの光を前記第一回路板に接続された前記第一フォトセンサへ前記第三光路に垂直な第一新光路に偏向するよう構成される第一ビームステアリングエレメントと、
前記第四光路からの光を前記第二回路板に接続された前記第二フォトセンサへ前記第四光路に垂直な第二新光路に偏向するよう構成される第二ビームステアリングエレメントと、
前記第五光路からの光を前記第一回路板に接続された前記第三フォトセンサへ前記第五光路に垂直な第三新光路に偏向するよう構成される第三ビームステアリングエレメントと、
前記第六光路からの光を前記第二回路板に接続された前記第四フォトセンサへ前記第六光路に垂直な第四新光路に偏向するよう構成される第四ビームステアリングエレメントと、
をさらに備える、
請求項９から１４のいずれか１項に記載の撮像装置。
【請求項１６】
前記複数のマルチバンドパスフィルタのうちの第一マルチバンドパスフィルタが、前記第一ビームスプリッタと前記第一フォトセンサの間の前記第一新光路に配置され、
前記複数のマルチバンドパスフィルタのうちの第二マルチバンドパスフィルタが、前記第二ビームスプリッタと前記第二フォトセンサの間の前記第二新光路に配置され、
前記複数のマルチバンドパスフィルタのうちの第三マルチバンドパスフィルタが、前記第三ビームスプリッタと前記第三フォトセンサの間の前記第三新光路に配置され、
前記複数のマルチバンドパスフィルタのうちの第四マルチバンドパスフィルタが、第四ビームスプリッタと前記第四フォトセンサの間の前記第四新光路に配置される、
請求項１５に記載の撮像装置。
【請求項１７】
前記光軸に沿って配置され、前記レンズに隣接し、前記光軸に沿って前記第一ビームスプリッタの手前に配置された偏光フィルタをさらに備える、請求項９から１６のいずれか１項に記載の撮像装置。
【請求項１８】
前記第一、第二、第三及び第四ビームステアリングエレメントが折り畳み式プリズムである、請求項１５から１７のいずれか１項に記載の撮像装置。
【請求項１９】
各ビームスプリッタ及び各ビームステアリングエレメントが、実質的に同一平面に沿って方向付けされている、請求項１５から１８のいずれか１項に記載の撮像装置。
【請求項２０】
前記撮像装置が携帯可能で、前記照明をすること（Ａ）及び前記照明をすること（Ｄ）の間、電力グリッドから独立して給電され、
前記第一光源が、前記照明をすること（Ａ）の間、少なくとも８０ワットの光力を提供し、
前記第二光源が、前記照明をすること（Ｄ）の間、少なくとも８０ワットの光力を提供し、
前記撮像装置が、前記第一光源及び前記第二光源と電気通信するコンデンサバンクをさらに備え、
前記コンデンサバンクのコンデンサの定格電圧が少なくとも２ボルトであり、定格容量が少なくとも８０ファラドである、
請求項１１から１９のいずれか１項に記載の撮像装置。
【手続補正書】
【提出日】平成30年7月11日(2018.7.11)
【手続補正１】
【補正対象書類名】特許請求の範囲
【補正対象項目名】全文
【補正方法】変更
【補正の内容】
【特許請求の範囲】
【請求項１】
組織のオキシヘモグロビン及びデオキシヘモグロビン成分の判断のための８から１２枚の画像のセットを収集するよう構成された撮像装置であって、
光源と、
前記少なくとも一つの光源から発光されて前記組織で後方散乱された光を受光するよう構成されたレンズと、
前記レンズと光通信し、前記組織の８から１２枚の画像のセットを収集するよう構成された複数のフォトセンサと、
複数のマルチバンドパスフィルタと、
を備え、
前記複数のマルチバンドパスフィルタの各マルチバンドパスフィルタは、複数のフォトセンサのうちの対応するフォトセンサを覆い、それにより、前記レンズにより受光された光から選択的に、光の異なる対応するスペクトルバンドが、前記対応するフォトセンサを通過し、
前記８から１２枚の画像のセットのうちの各画像は、個別スペクトルバンドで収集され、
前記８から１２枚の画像のセットは、中心波長が５２０±５ｎｍ、５４０±５ｎｍ、５６０±５ｎｍ、５８０±５ｎｍ、５９０±５ｎｍ、６１０±５ｎｍ、６２０±５ｎｍ、及び６４０±５ｎｍであるスペクトルバンドの所定のセットのいずれか７つ以上のスペクトルバンドで収集された画像を含む、
撮像装置。
【請求項２】
前記スペクトルバンドの所定のセットの各スペクトルバンドが、１５ｎｍ未満の半値全幅を有する、請求項１に記載の撮像装置。
【請求項３】
前記光源が第一光源及び第二光源を備え、
前記第一光源が、第一スペクトル範囲に実質的に限定された光を発光し、
前記第一スペクトル範囲が、前記スペクトルバンドの所定のセットの第一サブセットを含み、
前記第二光源が、第二スペクトル範囲に実質的に限定された光を発光し、
前記第二スペクトル範囲が、前記スペクトルバンドの所定のセットの前記第一サブセット以外の前記スペクトルバンドの所定のセットにおけるスペクトルバンドを含む、
請求項１又は２に記載の撮像装置。
【請求項４】
前記第一光源が第一バンドパスフィルタで覆われた第一マルチスペクトル光源であり、
前記第一バンドパスフィルタが、前記第一光源により発光された第一スペクトル範囲外の全ての光を実質的にブロックし、
前記第二光源が第二バンドパスフィルタで覆われた第二マルチスペクトル光源であり、
前記第二バンドパスフィルタが、前記第二光源により発光された第二スペクトル範囲外の全ての光を実質的にブロックする、
請求項３に記載の撮像装置。
【請求項５】
前記第一マルチスペクトル光源が第一白色発光ダイオードであり、
前記第二マルチスペクトル光源が第二白色発光ダイオードである、
請求項４に記載の撮像装置。
【請求項６】
前記複数のマルチバンドパスフィルタの各マルチバンドパスフィルタが、２つの個別スペクトルバンドのいずれかに対応する光が選択的に前記対応するフォトセンサまで通過するよう構成されており、
前記２つの個別スペクトルバンドの第一が、第一スペクトル範囲にあるが第二スペクトル範囲でない第一スペクトルバンドに対応し、
前記２つの個別スペクトルバンドの第二が、第二スペクトル範囲にあるが第一スペクトル範囲でない第二スペクトルバンドに対応する、
請求項１から５のいずれか１項に記載の撮像装置。
【請求項７】
前記複数のマルチバンドパスフィルタがデュアルバンドパスフィルタである、請求項１から６のいずれか１項に記載の撮像装置。
【請求項８】
前記複数のマルチバンドパスフィルタにおけるデュアルバンドパスフィルタの２つのパスバンドが、少なくとも６０ｎｍ離れている、請求項７に記載の撮像装置。
【請求項９】
前記レンズ及び前記複数のフォトセンサと光通信する複数のビームスプリッタを備える光路アセンブリをさらに備え、
前記複数のビームスプリッタの各ビームスプリッタが、レンズからの光を少なくとも２つの光路に分光するよう構成され、
前記複数のビームスプリッタのうちの第一ビームスプリッタが、前記レンズと直接的に光通信し、前記複数のビームスプリッタのうちの第二ビームスプリッタが、前記第一ビームスプリッタを介して前記レンズと間接的に光通信し、
前記複数のビームスプリッタ全体が、前記レンズにより受光された光を複数の光路に分光し、
前記複数の光路の各光路が、前記複数のフォトセンサのうちの対応するフォトセンサを覆う各マルチバンドパスフィルタを介して、前記対応するフォトセンサに光を向けるよう構成されている、
請求項１から８のいずれか１項に記載の撮像装置。
【請求項１０】
前記複数のビームスプリッタの各ビームスプリッタが、光反射に対する光透過の比率が約５０：５０であり、波長非依存型ビームスプリッタである、請求項９に記載の撮像装置。
【請求項１１】
方法の実施により複数のフォトセンサから複数画像を取り込むよう構成されたコントローラをさらに備え、
当該方法が、
（Ａ）前記第一光源を用いて前記組織に一度目の照明をすることと、
（Ｂ）前記照明をすること（Ａ）の間、前記複数のフォトセンサを用いて画像の第一コレクションを取り込むことと、
（Ｃ）前記第一光源を消灯することと、
（Ｄ）前記第二光源を用いて前記組織に二度目の照明をすることと、
（Ｅ）前記照明をすること（Ｄ）の間、前記複数のフォトセンサを用いて画像の第二コレクションを取り込むことと、
を含み、
前記画像の第一コレクションが、前記複数のフォトセンサの各フォトセンサに対し、前記対応するマルチバンドパスフィルタが通過させる第一スペクトルバンドに対応する画像を含み、
前記第一スペクトル範囲内の光が、前記複数のマルチバンドパスフィルタの各マルチバンドパスフィルタの前記第一スペクトルバンド範囲内の光を含み、
前記画像の第二コレクションが、前記複数のフォトセンサの各フォトセンサに対し、前記対応するマルチバンドパスフィルタが通過させる第二スペクトルバンドに対応する画像を含み、
前記第二スペクトル範囲内の光が、前記複数のマルチバンドパスフィルタの各マルチバンドパスフィルタの前記第二スペクトルバンド範囲内の光を含む、
請求項３から５のいずれか１項に記載の撮像装置。
【請求項１２】
複数のフォトセンサの各フォトセンサが、各フォトセンサの撮像積算時間を決定する対応シャッタ機構により制御される画素アレイであり、
前記複数のフォトセンサのうちの第一フォトセンサが、前記取り込むこと（Ｂ）の間に用いられる第一積算時間、及び、前記取り込むこと（Ｅ）の間に用いられる第二積算時間に独立して関連し、
前記第一積算時間が前記第二積算時間から独立している、
請求項１１に記載の撮像装置。
【請求項１３】
複数のフォトセンサの各フォトセンサが、各フォトセンサの撮像積算時間を決定する対応シャッタ機構により制御される画素アレイであり、
前記照明をすること（Ａ）の時間が、前記取り込むこと（Ｂ）の間の前記複数のフォトセンサと関連する第一最大積算時間で決定され、
前記取り込むこと（Ｂ）の間、前記複数のフォトセンサのうちの第一フォトセンサの積算時間が、前記複数のフォトセンサのうちの第二フォトセンサの積算時間と異なり、
前記照明をすること（Ｄ）の時間が、前記取り込むこと（Ｅ）の間の前記複数のフォトセンサと関連する第二最大積算時間で決定され、
前記取り込むこと（Ｅ）の間、前記第一フォトセンサの積算時間が、前記第二フォトセンサの積算時間と異なり、
前記第一最大積算時間が、前記第二最大積算時間と異なる、
請求項１１又は１２に記載の撮像装置。
【請求項１４】
前記複数の画像の各画像が、前記組織の多画素画像であり、
前記コントローラで実施される前記方法が、
（Ｆ）前記複数の画像の各画像を画素ベースで合成し、合成画像を作成すること、
をさらに含む、
請求項１１から１３のいずれか１項に記載の撮像装置。
【請求項１５】
第一回路板であって、複数のフォトセンサのうちの第一フォトセンサ及び第三フォトセンサが当該第一回路板に接続されている第一回路板と、
第二回路板であって、前記複数のフォトセンサのうちの第二フォトセンサ及び第四フォトセンサが当該第二回路板に接続されている第二回路板と、
をさらに備え、
前記第一ビームスプリッタが、前記レンズからの光を少なくとも２つの光路のうちの第一光路及び第二光路に分光するよう構成され、
前記第一光路が、前記レンズと前記第一ビームスプリッタの間の光軸と略同一線上にあり、前記第二光路が前記光軸に対して略垂直であり、
前記第二ビームスプリッタが、前記第一光路からの光を第三光路及び第四光路に分光するよう構成され、
前記第三光路が、前記第一光路と略同一線上にあり、前記第四光路が前記光軸に対して略垂直であり、
前記複数のビームスプリッタのうちの第三ビームスプリッタが、前記第二光路からの光を第五光路及び第六光路に分光するよう構成され、
前記第五光路が、前記第二光路と略同一線上にあり、前記第六光路が前記第二光路に対して略垂直であり、
前記光路アセンブリが、
前記第三光路からの光を前記第一回路板に接続された前記第一フォトセンサへ前記第三光路に垂直な第一新光路に偏向するよう構成される第一ビームステアリングエレメントと、
前記第四光路からの光を前記第二回路板に接続された前記第二フォトセンサへ前記第四光路に垂直な第二新光路に偏向するよう構成される第二ビームステアリングエレメントと、
前記第五光路からの光を前記第一回路板に接続された前記第三フォトセンサへ前記第五光路に垂直な第三新光路に偏向するよう構成される第三ビームステアリングエレメントと、
前記第六光路からの光を前記第二回路板に接続された前記第四フォトセンサへ前記第六光路に垂直な第四新光路に偏向するよう構成される第四ビームステアリングエレメントと、
をさらに備える、
請求項９又は１０に記載の撮像装置。
【請求項１６】
前記複数のマルチバンドパスフィルタのうちの第一マルチバンドパスフィルタが、前記第一ビームスプリッタと前記第一フォトセンサの間の前記第一新光路に配置され、
前記複数のマルチバンドパスフィルタのうちの第二マルチバンドパスフィルタが、前記第二ビームスプリッタと前記第二フォトセンサの間の前記第二新光路に配置され、
前記複数のマルチバンドパスフィルタのうちの第三マルチバンドパスフィルタが、前記第三ビームスプリッタと前記第三フォトセンサの間の前記第三新光路に配置され、
前記複数のマルチバンドパスフィルタのうちの第四マルチバンドパスフィルタが、第四ビームスプリッタと前記第四フォトセンサの間の前記第四新光路に配置される、
請求項１５に記載の撮像装置。
【請求項１７】
前記光軸に沿って配置され、前記レンズに隣接し、前記光軸に沿って前記第一ビームスプリッタの手前に配置された偏光フィルタをさらに備える、請求項１５又は１６に記載の撮像装置。
【請求項１８】
前記第一、第二、第三及び第四ビームステアリングエレメントが折り畳み式プリズムである、請求項１５から１７のいずれか１項に記載の撮像装置。
【請求項１９】
各ビームスプリッタ及び各ビームステアリングエレメントが、実質的に同一平面に沿って方向付けされている、請求項１５から１８のいずれか１項に記載の撮像装置。
【請求項２０】
前記撮像装置が携帯可能で、前記照明をすること（Ａ）及び前記照明をすること（Ｄ）の間、電力グリッドから独立して給電され、
前記第一光源が、前記照明をすること（Ａ）の間、少なくとも８０ワットの光力を提供し、
前記第二光源が、前記照明をすること（Ｄ）の間、少なくとも８０ワットの光力を提供し、
前記撮像装置が、前記第一光源及び前記第二光源と電気通信するコンデンサバンクをさらに備え、
前記コンデンサバンクのコンデンサの定格電圧が少なくとも２ボルトであり、定格容量が少なくとも８０ファラドである、
請求項１１から１４のいずれか１項に記載の撮像装置。
【外国語明細書】
2018151400000001.pdf